(57)【要約】本明細書は、無線ＬＡＮ（ＷＬＡＮ）システムにおける信号の送受信方法及びそのための装置に対して提示する。具体的に、本明細書は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）モードで動作するステーションがトレーニングフィールドを含む信号を送受信する方法及びそのための装置に対して提示する。【選択図】図３９
2020526990.tif 000002
【特許請求の範囲】
【請求項１】
無線ＬＡＮ（ＷＬＡＮ）システムにおける第１のステーション（ＳＴＡ）が第２のＳＴＡに信号を送信する方法において、
空間時間ストリーム別基本トレーニングサブフィールド及び総空間時間ストリームの個数に基づいて空間時間ストリーム別トレーニングサブフィールドを含むトレーニングフィールドを生成し、
前記空間時間ストリーム別基本トレーニングサブフィールドは、ヘッダフィールドが指示する情報に基づいてＭ個（Ｍは、自然数）ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルで構成され、
前記ヘッダフィールド及び前記トレーニングフィールドを含む信号を、対応する空間時間ストリームを介して前記第２のＳＴＡに送信することを含む、信号送信方法。
【請求項２】
前記空間時間ストリーム別基本トレーニングサブフィールドは、前記ヘッダフィールドが指示する情報に基づいて１個、２個または４個のＯＦＤＭシンボルで構成される、請求項１に記載の信号送信方法。
【請求項３】
前記１個、２個または４個のＯＦＤＭシンボルに含まれる一つのＯＦＤＭシンボルは、７２．７２ｎｓ長さであるガード区間（ｇｕａｒｄ  ｉｎｔｅｒｖａｌ）またはＣＰ（Ｃｙｃｌｉｃ  Ｐｒｅｆｉｘ）を含む、請求項２に記載の信号送信方法。
【請求項４】
前記ヘッダフィールドは、前記空間時間ストリーム別基本トレーニングサブフィールドのＯＦＤＭシンボル長さを指示するＥＤＭＧ（Ｅｎｈａｎｃｅｄ  Ｄｉｒｅｃｔｉｏｎａｌ  Ｍｕｌｔｉ  Ｇｉｇａｂｉｔ）トレーニングサブフィールドシーケンス長さ（ｔｒａｉｎｉｎｇ  ｓｕｂｆｉｅｌｄ  ｓｅｑｕｅｎｃｅ  ｌｅｎｇｔｈ）フィールドを含む、請求項１に記載の信号送信方法。
【請求項５】
前記ＥＤＭＧトレーニングサブフィールドシーケンス長さフィールドが０を指示する場合、前記空間時間ストリーム別基本トレーニングサブフィールドは、２個のＯＦＤＭシンボルで構成され、
前記ＥＤＭＧトレーニングサブフィールドシーケンス長さフィールドが１を指示する場合、前記空間時間ストリーム別基本トレーニングサブフィールドは、４個のＯＦＤＭシンボルで構成され、
前記ＥＤＭＧトレーニングサブフィールドシーケンス長さフィールドが２を指示する場合、前記空間時間ストリーム別基本トレーニングサブフィールドは、１個のＯＦＤＭシンボルで構成される、請求項４に記載の信号送信方法。
【請求項６】
前記空間時間ストリーム別トレーニングサブフィールドは、前記総空間時間ストリームの個数によって決定される規則に基づいて、前記空間時間ストリーム別基本トレーニングサブフィールドを用いて構成される、請求項１に記載の信号送信方法。
【請求項７】
前記総空間時間ストリームの個数が１である場合、
前記空間時間ストリーム別トレーニングサブフィールドは、下記数式に基づいて構成され、
[数]
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１］
ここで、ＯＦＤＭ＿ＴＲＮ＿ｓｕｂｆｉｅｌｄ＿Ｎは、空間時間ストリームインデックスＮに対するトレーニングサブフィールドを意味し、ＯＦＤＭ＿ＴＲＮ＿ｂａｓｉｃ＿Ｎは、空間時間ストリームインデックスＮに対する基本トレーニングサブフィールドを意味する、請求項６に記載の信号送信方法。
【請求項８】
前記総空間時間ストリームの個数が２である場合、
前記空間時間ストリーム別トレーニングサブフィールドは、下記数式に基づいて構成され、
[数]
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１］
ＯＦＤＭ＿ＴＲＮ＿ｓｕｂｆｉｅｌｄ＿２＝［ＯＦＤＭ＿ＴＲＮ＿ｂａｓｉｃ＿２、ＯＦＤＭ＿ＴＲＮ＿ｂａｓｉｃ＿２］
ここで、ＯＦＤＭ＿ＴＲＮ＿ｓｕｂｆｉｅｌｄ＿Ｎは、空間時間ストリームインデックスＮに対するトレーニングサブフィールドを意味し、ＯＦＤＭ＿ＴＲＮ＿ｂａｓｉｃ＿Ｎは、空間時間ストリームインデックスＮに対する基本トレーニングサブフィールドを意味する、請求項６に記載の信号送信方法。
【請求項９】
前記総空間時間ストリームの個数が３である場合、
前記空間時間ストリーム別トレーニングサブフィールドは、下記数式に基づいて構成され、
[数]
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１］
ＯＦＤＭ＿ＴＲＮ＿ｓｕｂｆｉｅｌｄ＿２＝［ＯＦＤＭ＿ＴＲＮ＿ｂａｓｉｃ＿２、−ｗ３１＊ＯＦＤＭ＿ＴＲＮ＿ｂａｓｉｃ＿２、ｗ３２＊ＯＦＤＭ＿ＴＲＮ＿ｂａｓｉｃ＿２］
ＯＦＤＭ＿ＴＲＮ＿ｓｕｂｆｉｅｌｄ＿３＝［ＯＦＤＭ＿ＴＲＮ＿ｂａｓｉｃ＿３、−ｗ３３＊ＯＦＤＭ＿ＴＲＮ＿ｂａｓｉｃ＿３、ｗ３４＊ＯＦＤＭ＿ＴＲＮ＿ｂａｓｉｃ＿３］
ここで、ＯＦＤＭ＿ＴＲＮ＿ｓｕｂｆｉｅｌｄ＿Ｎは、空間時間ストリームインデックスＮに対するトレーニングサブフィールドを意味し、ＯＦＤＭ＿ＴＲＮ＿ｂａｓｉｃ＿Ｎは、空間時間ストリームインデックスＮに対する基本トレーニングサブフィールドを意味し、ｗ３＝ｅｘｐ（−ｊ＊２＊ｐｉ／３）である、請求項６に記載の信号送信方法。
【請求項１０】
前記総空間時間ストリームの個数が４である場合、
前記空間時間ストリーム別トレーニングサブフィールドは、下記数式に基づいて構成され、
[数]
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１］
ＯＦＤＭ＿ＴＲＮ＿ｓｕｂｆｉｅｌｄ＿２＝［ＯＦＤＭ＿ＴＲＮ＿ｂａｓｉｃ＿２、ＯＦＤＭ＿ＴＲＮ＿ｂａｓｉｃ＿２、−ＯＦＤＭ＿ＴＲＮ＿ｂａｓｉｃ＿２、ＯＦＤＭ＿ＴＲＮ＿ｂａｓｉｃ＿２］
ＯＦＤＭ＿ＴＲＮ＿ｓｕｂｆｉｅｌｄ＿３＝［ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３］
ＯＦＤＭ＿ＴＲＮ＿ｓｕｂｆｉｅｌｄ＿４＝［−ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４］
ここで、ＯＦＤＭ＿ＴＲＮ＿ｓｕｂｆｉｅｌｄ＿Ｎは、空間時間ストリームインデックスＮに対するトレーニングサブフィールドを意味し、ＯＦＤＭ＿ＴＲＮ＿ｂａｓｉｃ＿Ｎは、空間時間ストリームインデックスＮに対する基本トレーニングサブフィールドを意味する、請求項６に記載の信号送信方法。
【請求項１１】
前記総空間時間ストリームの個数が５である場合、
前記空間時間ストリーム別トレーニングサブフィールドは、下記数式に基づいて構成され、
[数]
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、−ＯＦＤＭ＿ＴＲＮ＿ｂａｓｉｃ＿１］
ＯＦＤＭ＿ＴＲＮ＿ｓｕｂｆｉｅｌｄ＿２＝［ＯＦＤＭ＿ＴＲＮ＿ｂａｓｉｃ＿２、−ｗ６１＊ＯＦＤＭ＿ＴＲＮ＿ｂａｓｉｃ＿２、ｗ６２＊ＯＦＤＭ＿ＴＲＮ＿ｂａｓｉｃ＿２、ｗ６３＊ＯＦＤＭ＿ＴＲＮ＿ｂａｓｉｃ＿２、ｗ６４＊ＯＦＤＭ＿ＴＲＮ＿ｂａｓｉｃ＿２、−ｗ６５＊ＯＦＤＭ＿ＴＲＮ＿ｂａｓｉｃ＿２］
ＯＦＤＭ＿ＴＲＮ＿ｓｕｂｆｉｅｌｄ＿３＝［ＯＦＤＭ＿ＴＲＮ＿ｂａｓｉｃ＿３、−ｗ６２＊ＯＦＤＭ＿ＴＲＮ＿ｂａｓｉｃ＿３、ｗ６４＊ＯＦＤＭ＿ＴＲＮ＿ｂａｓｉｃ＿３、ｗ６６＊ＯＦＤＭ＿ＴＲＮ＿ｂａｓｉｃ＿３、ｗ６８＊ＯＦＤＭ＿ＴＲＮ＿ｂａｓｉｃ＿３−ｗ６１０＊ＯＦＤＭ＿ＴＲＮ＿ｂａｓｉｃ＿３］
ＯＦＤＭ＿ＴＲＮ＿ｓｕｂｆｉｅｌｄ＿４＝［ＯＦＤＭ＿ＴＲＮ＿ｂａｓｉｃ＿４、−ｗ６３＊ＯＦＤＭ＿ＴＲＮ＿ｂａｓｉｃ＿４、ｗ６６＊ＯＦＤＭ＿ＴＲＮ＿ｂａｓｉｃ＿４、ｗ６９＊ＯＦＤＭ＿ＴＲＮ＿ｂａｓｉｃ＿４、ｗ６１２＊ＯＦＤＭ＿ＴＲＮ＿ｂａｓｉｃ＿４−ｗ６１５＊ＯＦＤＭ＿ＴＲＮ＿ｂａｓｉｃ＿４］
ＯＦＤＭ＿ＴＲＮ＿ｓｕｂｆｉｅｌｄ＿５＝［ＯＦＤＭ＿ＴＲＮ＿ｂａｓｉｃ＿５、−ｗ６４＊ＯＦＤＭ＿ＴＲＮ＿ｂａｓｉｃ＿５、ｗ６８＊ＯＦＤＭ＿ＴＲＮ＿ｂａｓｉｃ＿５、ｗ６１２＊ＯＦＤＭ＿ＴＲＮ＿ｂａｓｉｃ＿５、ｗ６１６＊ＯＦＤＭ＿ＴＲＮ＿ｂａｓｉｃ＿５−ｗ６２０＊ＯＦＤＭ＿ＴＲＮ＿ｂａｓｉｃ＿５］
ここで、ＯＦＤＭ＿ＴＲＮ＿ｓｕｂｆｉｅｌｄ＿Ｎは、空間時間ストリームインデックスＮに対するトレーニングサブフィールドを意味し、ＯＦＤＭ＿ＴＲＮ＿ｂａｓｉｃ＿Ｎは、空間時間ストリームインデックスＮに対する基本トレーニングサブフィールドを意味し、ｗ６＝ｅｘｐ（−ｊ＊２＊ｐｉ／６）である、請求項６に記載の信号送信方法。
【請求項１２】
前記総空間時間ストリームの個数が６である場合、
前記空間時間ストリーム別トレーニングサブフィールドは、下記数式に基づいて構成され、
[数]
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、−ＯＦＤＭ＿ＴＲＮ＿ｂａｓｉｃ＿１］
ＯＦＤＭ＿ＴＲＮ＿ｓｕｂｆｉｅｌｄ＿２＝［ＯＦＤＭ＿ＴＲＮ＿ｂａｓｉｃ＿２、−ｗ６１＊ＯＦＤＭ＿ＴＲＮ＿ｂａｓｉｃ＿２、ｗ６２＊ＯＦＤＭ＿ＴＲＮ＿ｂａｓｉｃ＿２、ｗ６３＊ＯＦＤＭ＿ＴＲＮ＿ｂａｓｉｃ＿２、ｗ６４＊ＯＦＤＭ＿ＴＲＮ＿ｂａｓｉｃ＿２、−ｗ６５＊ＯＦＤＭ＿ＴＲＮ＿ｂａｓｉｃ＿２］
ＯＦＤＭ＿ＴＲＮ＿ｓｕｂｆｉｅｌｄ＿３＝［ＯＦＤＭ＿ＴＲＮ＿ｂａｓｉｃ＿３、−ｗ６２＊ＯＦＤＭ＿ＴＲＮ＿ｂａｓｉｃ＿３、ｗ６４＊ＯＦＤＭ＿ＴＲＮ＿ｂａｓｉｃ＿３、ｗ６６＊ＯＦＤＭ＿ＴＲＮ＿ｂａｓｉｃ＿３、ｗ６８＊ＯＦＤＭ＿ＴＲＮ＿ｂａｓｉｃ＿３−ｗ６１０＊ＯＦＤＭ＿ＴＲＮ＿ｂａｓｉｃ＿３］
ＯＦＤＭ＿ＴＲＮ＿ｓｕｂｆｉｅｌｄ＿４＝［ＯＦＤＭ＿ＴＲＮ＿ｂａｓｉｃ＿４、−ｗ６３＊ＯＦＤＭ＿ＴＲＮ＿ｂａｓｉｃ＿４、ｗ６６＊ＯＦＤＭ＿ＴＲＮ＿ｂａｓｉｃ＿４、ｗ６９＊ＯＦＤＭ＿ＴＲＮ＿ｂａｓｉｃ＿４、ｗ６１２＊ＯＦＤＭ＿ＴＲＮ＿ｂａｓｉｃ＿４−ｗ６１５＊ＯＦＤＭ＿ＴＲＮ＿ｂａｓｉｃ＿４］
ＯＦＤＭ＿ＴＲＮ＿ｓｕｂｆｉｅｌｄ＿５＝［ＯＦＤＭ＿ＴＲＮ＿ｂａｓｉｃ＿５、−ｗ６４＊ＯＦＤＭ＿ＴＲＮ＿ｂａｓｉｃ＿５、ｗ６８＊ＯＦＤＭ＿ＴＲＮ＿ｂａｓｉｃ＿５、ｗ６１２＊ＯＦＤＭ＿ＴＲＮ＿ｂａｓｉｃ＿５、ｗ６１６＊ＯＦＤＭ＿ＴＲＮ＿ｂａｓｉｃ＿５−ｗ６２０＊ＯＦＤＭ＿ＴＲＮ＿ｂａｓｉｃ＿５］
ＯＦＤＭ＿ＴＲＮ＿ｓｕｂｆｉｅｌｄ＿６＝［ＯＦＤＭ＿ＴＲＮ＿ｂａｓｉｃ＿６、−ｗ６５＊ＯＦＤＭ＿ＴＲＮ＿ｂａｓｉｃ＿６、ｗ６１０＊ＯＦＤＭ＿ＴＲＮ＿ｂａｓｉｃ＿６、ｗ６１５＊ＯＦＤＭ＿ＴＲＮ＿ｂａｓｉｃ＿６、ｗ６２０＊ＯＦＤＭ＿ＴＲＮ＿ｂａｓｉｃ＿６−ｗ６２５＊ＯＦＤＭ＿ＴＲＮ＿ｂａｓｉｃ＿６］
ここで、ＯＦＤＭ＿ＴＲＮ＿ｓｕｂｆｉｅｌｄ＿Ｎは、空間時間ストリームインデックスＮに対するトレーニングサブフィールドを意味し、ＯＦＤＭ＿ＴＲＮ＿ｂａｓｉｃ＿Ｎは、空間時間ストリームインデックスＮに対する基本トレーニングサブフィールドを意味し、ｗ６＝ｅｘｐ（−ｊ＊２＊ｐｉ／６）である、請求項６に記載の信号送信方法。
【請求項１３】
前記総空間時間ストリームの個数が７である場合、
前記空間時間ストリーム別トレーニングサブフィールドは、下記数式に基づいて構成され、
[数]
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１］
ＯＦＤＭ＿ＴＲＮ＿ｓｕｂｆｉｅｌｄ＿２＝［ＯＦＤＭ＿ＴＲＮ＿ｂａｓｉｃ＿２、ＯＦＤＭ＿ＴＲＮ＿ｂａｓｉｃ＿２、−ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２、−ＯＦＤＭ＿ＴＲＮ＿ｂａｓｉｃ＿２、ＯＦＤＭ＿ＴＲＮ＿ｂａｓｉｃ＿２］
ＯＦＤＭ＿ＴＲＮ＿ｓｕｂｆｉｅｌｄ＿３＝［ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３］
ＯＦＤＭ＿ＴＲＮ＿ｓｕｂｆｉｅｌｄ＿４＝［−ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、−ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４］
ＯＦＤＭ＿ＴＲＮ＿ｓｕｂｆｉｅｌｄ＿５＝［ＯＦＤＭ＿ＴＲＮ＿ｂａｓｉｃ＿５、−ＯＦＤＭ＿ＴＲＮ＿ｂａｓｉｃ＿５、ＯＦＤＭ＿ＴＲＮ＿ｂａｓｉｃ＿５、ＯＦＤＭ＿ＴＲＮ＿ｂａｓｉｃ＿５、−ＯＦＤＭ＿ＴＲＮ＿ｂａｓｉｃ＿５、ＯＦＤＭ＿ＴＲＮ＿ｂａｓｉｃ＿５、−ＯＦＤＭ＿ＴＲＮ＿ｂａｓｉｃ＿５、−ＯＦＤＭ＿ＴＲＮ＿ｂａｓｉｃ＿５］
ＯＦＤＭ＿ＴＲＮ＿ｓｕｂｆｉｅｌｄ＿６＝［ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６、−ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６］
ＯＦＤＭ＿ＴＲＮ＿ｓｕｂｆｉｅｌｄ＿７＝［ＯＦＤＭ＿ＴＲＮ＿ｂａｓｉｃ＿７、ＯＦＤＭ＿ＴＲＮ＿ｂａｓｉｃ＿７、ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、ＯＦＤＭ＿ＴＲＮ＿ｂａｓｉｃ＿７］
ここで、ＯＦＤＭ＿ＴＲＮ＿ｓｕｂｆｉｅｌｄ＿Ｎは、空間時間ストリームインデックスＮに対するトレーニングサブフィールドを意味し、ＯＦＤＭ＿ＴＲＮ＿ｂａｓｉｃ＿Ｎは、空間時間ストリームインデックスＮに対する基本トレーニングサブフィールドを意味する、請求項６に記載の信号送信方法。
【請求項１４】
前記総空間時間ストリームの個数が８である場合、
前記空間時間ストリーム別トレーニングサブフィールドは、下記数式に基づいて構成され、
[数]
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１］
ＯＦＤＭ＿ＴＲＮ＿ｓｕｂｆｉｅｌｄ＿２＝［ＯＦＤＭ＿ＴＲＮ＿ｂａｓｉｃ＿２、ＯＦＤＭ＿ＴＲＮ＿ｂａｓｉｃ＿２、−ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２、−ＯＦＤＭ＿ＴＲＮ＿ｂａｓｉｃ＿２、ＯＦＤＭ＿ＴＲＮ＿ｂａｓｉｃ＿２］
ＯＦＤＭ＿ＴＲＮ＿ｓｕｂｆｉｅｌｄ＿３＝［ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３］
ＯＦＤＭ＿ＴＲＮ＿ｓｕｂｆｉｅｌｄ＿４＝［−ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、−ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４］
ＯＦＤＭ＿ＴＲＮ＿ｓｕｂｆｉｅｌｄ＿５＝［ＯＦＤＭ＿ＴＲＮ＿ｂａｓｉｃ＿５、−ＯＦＤＭ＿ＴＲＮ＿ｂａｓｉｃ＿５、ＯＦＤＭ＿ＴＲＮ＿ｂａｓｉｃ＿５、ＯＦＤＭ＿ＴＲＮ＿ｂａｓｉｃ＿５、−ＯＦＤＭ＿ＴＲＮ＿ｂａｓｉｃ＿５、ＯＦＤＭ＿ＴＲＮ＿ｂａｓｉｃ＿５、−ＯＦＤＭ＿ＴＲＮ＿ｂａｓｉｃ＿５、−ＯＦＤＭ＿ＴＲＮ＿ｂａｓｉｃ＿５］
ＯＦＤＭ＿ＴＲＮ＿ｓｕｂｆｉｅｌｄ＿６＝［ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６、−ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６］
ＯＦＤＭ＿ＴＲＮ＿ｓｕｂｆｉｅｌｄ＿７＝［ＯＦＤＭ＿ＴＲＮ＿ｂａｓｉｃ＿７、ＯＦＤＭ＿ＴＲＮ＿ｂａｓｉｃ＿７、ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、ＯＦＤＭ＿ＴＲＮ＿ｂａｓｉｃ＿７］
ＯＦＤＭ＿ＴＲＮ＿ｓｕｂｆｉｅｌｄ＿８＝［−ＯＦＤＭ＿ＴＲＮ＿ｂａｓｉｃ＿８、ＯＦＤＭ＿ＴＲＮ＿ｂａｓｉｃ＿８、ＯＦＤＭ＿ＴＲＮ＿ｂａｓｉｃ＿８、ＯＦＤＭ＿ＴＲＮ＿ｂａｓｉｃ＿８、ＯＦＤＭ＿ＴＲＮ＿ｂａｓｉｃ＿８、−ＯＦＤＭ＿ＴＲＮ＿ｂａｓｉｃ＿８、−ＯＦＤＭ＿ＴＲＮ＿ｂａｓｉｃ＿８、−ＯＦＤＭ＿ＴＲＮ＿ｂａｓｉｃ＿８］
ここで、ＯＦＤＭ＿ＴＲＮ＿ｓｕｂｆｉｅｌｄ＿Ｎは、空間時間ストリームインデックスＮに対するトレーニングサブフィールドを意味し、ＯＦＤＭ＿ＴＲＮ＿ｂａｓｉｃ＿Ｎは、空間時間ストリームインデックスＮに対する基本トレーニングサブフィールドを意味する、請求項６に記載の信号送信方法。
【請求項１５】
前記空間時間ストリーム別基本トレーニングサブフィールドは、前記信号が送信される連続的なチャネルの個数によって周波数領域で異なる長さのシーケンスで構成される、請求項１に記載の信号送信方法。
【請求項１６】
無線ＬＡＮ（ＷＬＡＮ）システムにおける第１のステーション（ＳＴＡ）が第２のＳＴＡから信号を受信する方法において、
送信される信号に含まれているヘッダフィールドを受信し、
前記ヘッダフィールドが指示する情報に基づいて空間時間ストリーム別基本トレーニングサブフィールドのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル個数を決定し、
総空間時間ストリームの個数及び前記決定されたＯＦＤＭシンボル個数で構成された前記空間時間ストリーム別基本トレーニングサブフィールドに基づいて構成される空間時間ストリーム別トレーニングサブフィールドを含むトレーニングフィールドを、対応する空間時間ストリームを介して受信することを含む、信号受信方法。
【請求項１７】
無線ＬＡＮ（ＷＬＡＮ）システムにおける信号を送信するステーション装置において、
一つ以上のＲＦ（Ｒａｄｉｏ  Ｆｒｅｑｕｅｎｃｙ）チェーンを有し、他のステーション装置と信号を送受信するように構成される送受信部と、
前記送受信部と連結され、前記他のステーション装置と信号を送受信した信号を処理するプロセッサとを含み、
前記プロセッサは、空間時間ストリーム別基本トレーニングサブフィールド及び総空間時間ストリームの個数に基づいて空間時間ストリーム別トレーニングサブフィールドを含むトレーニングフィールドを生成し、前記空間時間ストリーム別基本トレーニングサブフィールドは、ヘッダフィールドが指示する情報に基づいてＭ個（Ｍは、自然数）ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルで構成され、
前記プロセッサは、前記ヘッダフィールド及び前記トレーニングフィールドを含む信号を、対応する前記空間時間ストリームを介して前記第２のＳＴＡに送信するように構成される、ステーション装置。
【請求項１８】
無線ＬＡＮ（ＷＬＡＮ）システムにおける信号を受信するステーション装置において、
一つ以上のＲＦ（Ｒａｄｉｏ  Ｆｒｅｑｕｅｎｃｙ）チェーンを有し、他のステーション装置と信号を送受信するように構成される送受信部と、
前記送受信部と連結され、前記他のステーション装置と信号を送受信した信号を処理するプロセッサとを含み、
前記プロセッサは、
送信される信号に含まれているヘッダフィールドを受信し、
前記ヘッダフィールドが指示する情報に基づいて空間時間ストリーム別基本トレーニングサブフィールドのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル個数を決定し、
総空間時間ストリームの個数及び前記決定されたＯＦＤＭシンボル個数で構成された前記空間時間ストリーム別基本トレーニングサブフィールドに基づいて構成される空間時間ストリーム別トレーニングサブフィールドを含むトレーニングフィールドを、対応する空間時間ストリームを介して受信するように構成される、ステーション装置
【発明の詳細な説明】
【技術分野】
【０００１】
以下の説明は、無線ＬＡＮ（ＷＬＡＮ）システムにおけるステーションの信号の送受信方法及びそのための装置に関する。
【０００２】
より具体的に、以下の説明は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）モードで動作するステーションがトレーニングフィールドを含む信号を送受信する方法及びそのための装置に関する。
【背景技術】
【０００３】
無線ＬＡＮ技術に対する標準は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準として開発されている。ＩＥＥＥ８０２．１１ａ及びｂは２．４ＧＨｚまたは５ＧＨｚで非免許帯域（ｕｎｌｉｃｅｎｓｅｄ  ｂａｎｄ）を利用し、ＩＥＥＥ８０２．１１ｂは１１Ｍｂｐｓの送信速度を提供し、ＩＥＥＥ８０２．１１ａは５４Ｍｂｐｓの送信速度を提供する。ＩＥＥＥ８０２．１１ｇは、２．４ＧＨｚで直交周波数分割多重化（Ｏｒｔｈｏｇｏｎａｌ  ｆｒｅｑｕｅｎｃｙ−ｄｉｖｉｓｉｏｎ  ｍｕｌｔｉｐｌｅｘｉｎｇ、ＯＦＤＭ）を適用し、５４Ｍｂｐｓの送信速度を提供する。ＩＥＥＥ８０２．１１ｎは、多重入出力ＯＦＤＭ（ｍｕｌｔｉｐｌｅ  ｉｎｐｕｔ  ｍｕｌｔｉｐｌｅ  ｏｕｔｐｕｔ−ＯＦＤＭ、ＭＩＭＯ−ＯＦＤＭ）を適用し、４個の空間的なストリーム（ｓｐａｔｉａｌ  ｓｔｒｅａｍ）に対して３００Ｍｂｐｓの送信速度を提供する。ＩＥＥＥ８０２．１１ｎではチャネル帯域幅（ｃｈａｎｎｅｌ  ｂａｎｄｗｉｄｔｈ）を４０ＭＨｚまでサポートし、この場合、６００Ｍｂｐｓの送信速度を提供する。
【０００４】
前述した無線ＬＡＮ標準は、最大１６０ＭＨｚ帯域幅を使用し、８個の空間ストリームをサポートして最大１Ｇｂｉｔ／ｓの速度をサポートするＩＥＥＥ８０２．１１ａｃ標準を経て、ＩＥＥＥ８０２．１１ａｘ標準化に対する議論が行われている。
【０００５】
一方、ＩＥＥＥ８０２．１１ａｄでは６０ＧＨｚ帯域での超高速処理率のための性能向上を規定しており、このようなＩＥＥＥ８０２．１１ａｄシステムに最初にチャネルボンディング及びＭＩＭＯ技術を導入するためのＩＥＥＥ８０２．１１ａｙに対する議論が行われている。
【発明の概要】
【発明が解決しようとする課題】
【０００６】
本発明ではＯＦＤＭモードで動作するステーションがトレーニングフィールドを含む信号を送受信する方法及びそのための装置を提案する。
【課題を解決するための手段】
【０００７】
前述したような課題を解決するための本発明の一側面では、無線ＬＡＮ（ＷＬＡＮ）システムにおける第１のステーション（ＳＴＡ）が第２のＳＴＡに信号を送信する方法において、空間時間ストリーム別基本トレーニングサブフィールド及び総空間時間ストリームの個数に基づいて空間時間ストリーム別トレーニングサブフィールドを含むトレーニングフィールドを生成し、前記空間時間ストリーム別基本トレーニングサブフィールドは、ヘッダフィールドが指示する情報に基づいてＭ個（Ｍは、自然数）ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルで構成され、前記ヘッダフィールド及び前記トレーニングフィールドを含む信号を、対応する空間時間ストリームを介して前記第２のＳＴＡに送信することを含む、信号送信方法を提案する。
【０００８】
前述したような課題を解決するための本発明の他の側面では、無線ＬＡＮ（ＷＬＡＮ）システムにおける信号を送信するステーション装置において、一つ以上のＲＦ（Ｒａｄｉｏ  Ｆｒｅｑｕｅｎｃｙ）チェーンを有し、他のステーション装置と信号を送受信するように構成される送受信部と、前記送受信部と連結され、前記他のステーション装置と信号を送受信した信号を処理するプロセッサとを含み、前記プロセッサは、空間時間ストリーム別基本トレーニングサブフィールド及び総空間時間ストリームの個数に基づいて空間時間ストリーム別トレーニングサブフィールドを含むトレーニングフィールドを生成し、前記空間時間ストリーム別基本トレーニングサブフィールドは、ヘッダフィールドが指示する情報に基づいてＭ個（Ｍは、自然数）ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルで構成され、前記プロセッサは、前記ヘッダフィールド及び前記トレーニングフィールドを含む信号を、対応する空間時間ストリームを介して前記第２のＳＴＡに送信するように構成される、ステーション装置を提案する。
【０００９】
前記構成において、前記空間時間ストリーム別基本トレーニングサブフィールドは、前記ヘッダフィールドが指示する情報に基づいて１個、２個または４個のＯＦＤＭシンボルで構成される。
【００１０】
このとき、前記１個、２個または４個のＯＦＤＭシンボルに含まれる一つのＯＦＤＭシンボルは、７２．７２ｎｓ長さであるガード区間（ｇｕａｒｄ  ｉｎｔｅｒｖａｌ）またはＣＰ（Ｃｙｃｌｉｃ  Ｐｒｅｆｉｘ）を含む。
【００１１】
また、前記ヘッダフィールドは、前記空間時間ストリーム別基本トレーニングサブフィールドのＯＦＤＭシンボル長さを指示するＥＤＭＧ（Ｅｎｈａｎｃｅｄ  Ｄｉｒｅｃｔｉｏｎａｌ  Ｍｕｌｔｉ  Ｇｉｇａｂｉｔ）トレーニングサブフィールドシーケンス長さ（ｔｒａｉｎｉｎｇ  ｓｕｂｆｉｅｌｄ  ｓｅｑｕｅｎｃｅ  ｌｅｎｇｔｈ）フィールドを含む。
【００１２】
この場合、前記ＥＤＭＧトレーニングサブフィールドシーケンス長さフィールドが０を指示する場合、前記空間時間ストリーム別基本トレーニングサブフィールドは、２個のＯＦＤＭシンボルで構成され、前記ＥＤＭＧトレーニングサブフィールドシーケンス長さフィールドが１を指示する場合、前記空間時間ストリーム別基本トレーニングサブフィールドは、４個のＯＦＤＭシンボルで構成され、前記ＥＤＭＧトレーニングサブフィールドシーケンス長さフィールドが２を指示する場合、前記空間時間ストリーム別基本トレーニングサブフィールドは、１個のＯＦＤＭシンボルで構成される。
【００１３】
また、前記空間時間ストリーム別トレーニングサブフィールドは、前記総空間時間ストリームの個数によって決定される規則に基づいて、前記空間時間ストリーム別基本トレーニングサブフィールドを用いて構成される。
【００１４】
一例として、前記総空間時間ストリームの個数が１である場合、前記空間時間ストリーム別トレーニングサブフィールドは、下記数式に基づいて構成される。
【００１５】
[数]
【００１６】
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１］
【００１７】
ここで、ＯＦＤＭ＿ＴＲＮ＿ｓｕｂｆｉｅｌｄ＿Ｎは、空間時間ストリームインデックスＮに対するトレーニングサブフィールドを意味し、ＯＦＤＭ＿ＴＲＮ＿ｂａｓｉｃ＿Ｎは、空間時間ストリームインデックスＮに対する基本トレーニングサブフィールドを意味する。
【００１８】
他の例として、前記総空間時間ストリームの個数が２である場合、前記空間時間ストリーム別トレーニングサブフィールドは、下記数式に基づいて構成される。
【００１９】
[数]
【００２０】
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１］
【００２１】
ＯＦＤＭ＿ＴＲＮ＿ｓｕｂｆｉｅｌｄ＿２＝［ＯＦＤＭ＿ＴＲＮ＿ｂａｓｉｃ＿２、ＯＦＤＭ＿ＴＲＮ＿ｂａｓｉｃ＿２］
【００２２】
ここで、ＯＦＤＭ＿ＴＲＮ＿ｓｕｂｆｉｅｌｄ＿Ｎは、空間時間ストリームインデックスＮに対するトレーニングサブフィールドを意味し、ＯＦＤＭ＿ＴＲＮ＿ｂａｓｉｃ＿Ｎは、空間時間ストリームインデックスＮに対する基本トレーニングサブフィールドを意味する。
【００２３】
他の例として、前記総空間時間ストリームの個数が３である場合、前記空間時間ストリーム別トレーニングサブフィールドは、下記数式に基づいて構成される。
【００２４】
[数]
【００２５】
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１］
【００２６】
ＯＦＤＭ＿ＴＲＮ＿ｓｕｂｆｉｅｌｄ＿２＝［ＯＦＤＭ＿ＴＲＮ＿ｂａｓｉｃ＿２、−ｗ３１＊ＯＦＤＭ＿ＴＲＮ＿ｂａｓｉｃ＿２、ｗ３２＊ＯＦＤＭ＿ＴＲＮ＿ｂａｓｉｃ＿２］
【００２７】
ＯＦＤＭ＿ＴＲＮ＿ｓｕｂｆｉｅｌｄ＿３＝［ＯＦＤＭ＿ＴＲＮ＿ｂａｓｉｃ＿３、−ｗ３３＊ＯＦＤＭ＿ＴＲＮ＿ｂａｓｉｃ＿３、ｗ３４＊ＯＦＤＭ＿ＴＲＮ＿ｂａｓｉｃ＿３］
【００２８】
ここで、ＯＦＤＭ＿ＴＲＮ＿ｓｕｂｆｉｅｌｄ＿Ｎは、空間時間ストリームインデックスＮに対するトレーニングサブフィールドを意味し、ＯＦＤＭ＿ＴＲＮ＿ｂａｓｉｃ＿Ｎは、空間時間ストリームインデックスＮに対する基本トレーニングサブフィールドを意味し、ｗ３＝ｅｘｐ（−ｊ＊２＊ｐｉ／３）が適用される。
【００２９】
他の例として、前記総空間時間ストリームの個数が４である場合、前記空間時間ストリーム別トレーニングサブフィールドは、下記数式に基づいて構成される。
【００３０】
[数]
【００３１】
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１］
【００３２】
ＯＦＤＭ＿ＴＲＮ＿ｓｕｂｆｉｅｌｄ＿２＝［ＯＦＤＭ＿ＴＲＮ＿ｂａｓｉｃ＿２、ＯＦＤＭ＿ＴＲＮ＿ｂａｓｉｃ＿２、−ＯＦＤＭ＿ＴＲＮ＿ｂａｓｉｃ＿２、ＯＦＤＭ＿ＴＲＮ＿ｂａｓｉｃ＿２］
【００３３】
ＯＦＤＭ＿ＴＲＮ＿ｓｕｂｆｉｅｌｄ＿３＝［ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３］
【００３４】
ＯＦＤＭ＿ＴＲＮ＿ｓｕｂｆｉｅｌｄ＿４＝［−ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４］
【００３５】
ここで、ＯＦＤＭ＿ＴＲＮ＿ｓｕｂｆｉｅｌｄ＿Ｎは、空間時間ストリームインデックスＮに対するトレーニングサブフィールドを意味し、ＯＦＤＭ＿ＴＲＮ＿ｂａｓｉｃ＿Ｎは、空間時間ストリームインデックスＮに対する基本トレーニングサブフィールドを意味する。
【００３６】
他の例として、前記総空間時間ストリームの個数が５である場合、前記空間時間ストリーム別トレーニングサブフィールドは、下記数式に基づいて構成される。
【００３７】
[数]
【００３８】
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、−ＯＦＤＭ＿ＴＲＮ＿ｂａｓｉｃ＿１］
【００３９】
ＯＦＤＭ＿ＴＲＮ＿ｓｕｂｆｉｅｌｄ＿２＝［ＯＦＤＭ＿ＴＲＮ＿ｂａｓｉｃ＿２、−ｗ６１＊ＯＦＤＭ＿ＴＲＮ＿ｂａｓｉｃ＿２、ｗ６２＊ＯＦＤＭ＿ＴＲＮ＿ｂａｓｉｃ＿２、ｗ６３＊ＯＦＤＭ＿ＴＲＮ＿ｂａｓｉｃ＿２、ｗ６４＊ＯＦＤＭ＿ＴＲＮ＿ｂａｓｉｃ＿２、−ｗ６５＊ＯＦＤＭ＿ＴＲＮ＿ｂａｓｉｃ＿２］
【００４０】
ＯＦＤＭ＿ＴＲＮ＿ｓｕｂｆｉｅｌｄ＿３＝［ＯＦＤＭ＿ＴＲＮ＿ｂａｓｉｃ＿３、−ｗ６２＊ＯＦＤＭ＿ＴＲＮ＿ｂａｓｉｃ＿３、ｗ６４＊ＯＦＤＭ＿ＴＲＮ＿ｂａｓｉｃ＿３、ｗ６６＊ＯＦＤＭ＿ＴＲＮ＿ｂａｓｉｃ＿３、ｗ６８＊ＯＦＤＭ＿ＴＲＮ＿ｂａｓｉｃ＿３−ｗ６１０＊ＯＦＤＭ＿ＴＲＮ＿ｂａｓｉｃ＿３］
【００４１】
ＯＦＤＭ＿ＴＲＮ＿ｓｕｂｆｉｅｌｄ＿４＝［ＯＦＤＭ＿ＴＲＮ＿ｂａｓｉｃ＿４、−ｗ６３＊ＯＦＤＭ＿ＴＲＮ＿ｂａｓｉｃ＿４、ｗ６６＊ＯＦＤＭ＿ＴＲＮ＿ｂａｓｉｃ＿４、ｗ６９＊ＯＦＤＭ＿ＴＲＮ＿ｂａｓｉｃ＿４、ｗ６１２＊ＯＦＤＭ＿ＴＲＮ＿ｂａｓｉｃ＿４−ｗ６１５＊ＯＦＤＭ＿ＴＲＮ＿ｂａｓｉｃ＿４］
【００４２】
ＯＦＤＭ＿ＴＲＮ＿ｓｕｂｆｉｅｌｄ＿５＝［ＯＦＤＭ＿ＴＲＮ＿ｂａｓｉｃ＿５、−ｗ６４＊ＯＦＤＭ＿ＴＲＮ＿ｂａｓｉｃ＿５、ｗ６８＊ＯＦＤＭ＿ＴＲＮ＿ｂａｓｉｃ＿５、ｗ６１２＊ＯＦＤＭ＿ＴＲＮ＿ｂａｓｉｃ＿５、ｗ６１６＊ＯＦＤＭ＿ＴＲＮ＿ｂａｓｉｃ＿５−ｗ６２０＊ＯＦＤＭ＿ＴＲＮ＿ｂａｓｉｃ＿５］
【００４３】
ここで、ＯＦＤＭ＿ＴＲＮ＿ｓｕｂｆｉｅｌｄ＿Ｎは、空間時間ストリームインデックスＮに対するトレーニングサブフィールドを意味し、ＯＦＤＭ＿ＴＲＮ＿ｂａｓｉｃ＿Ｎは、空間時間ストリームインデックスＮに対する基本トレーニングサブフィールドを意味し、ｗ６＝ｅｘｐ（−ｊ＊２＊ｐｉ／６）が適用される。
【００４４】
他の例として、前記総空間時間ストリームの個数が６である場合、前記空間時間ストリーム別トレーニングサブフィールドは、下記数式に基づいて構成される。
【００４５】
[数]
【００４６】
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、−ＯＦＤＭ＿ＴＲＮ＿ｂａｓｉｃ＿１］
【００４７】
ＯＦＤＭ＿ＴＲＮ＿ｓｕｂｆｉｅｌｄ＿２＝［ＯＦＤＭ＿ＴＲＮ＿ｂａｓｉｃ＿２、−ｗ６１＊ＯＦＤＭ＿ＴＲＮ＿ｂａｓｉｃ＿２、ｗ６２＊ＯＦＤＭ＿ＴＲＮ＿ｂａｓｉｃ＿２、ｗ６３＊ＯＦＤＭ＿ＴＲＮ＿ｂａｓｉｃ＿２、ｗ６４＊ＯＦＤＭ＿ＴＲＮ＿ｂａｓｉｃ＿２、−ｗ６５＊ＯＦＤＭ＿ＴＲＮ＿ｂａｓｉｃ＿２］
【００４８】
ＯＦＤＭ＿ＴＲＮ＿ｓｕｂｆｉｅｌｄ＿３＝［ＯＦＤＭ＿ＴＲＮ＿ｂａｓｉｃ＿３、−ｗ６２＊ＯＦＤＭ＿ＴＲＮ＿ｂａｓｉｃ＿３、ｗ６４＊ＯＦＤＭ＿ＴＲＮ＿ｂａｓｉｃ＿３、ｗ６６＊ＯＦＤＭ＿ＴＲＮ＿ｂａｓｉｃ＿３、ｗ６８＊ＯＦＤＭ＿ＴＲＮ＿ｂａｓｉｃ＿３−ｗ６１０＊ＯＦＤＭ＿ＴＲＮ＿ｂａｓｉｃ＿３］
【００４９】
ＯＦＤＭ＿ＴＲＮ＿ｓｕｂｆｉｅｌｄ＿４＝［ＯＦＤＭ＿ＴＲＮ＿ｂａｓｉｃ＿４、−ｗ６３＊ＯＦＤＭ＿ＴＲＮ＿ｂａｓｉｃ＿４、ｗ６６＊ＯＦＤＭ＿ＴＲＮ＿ｂａｓｉｃ＿４、ｗ６９＊ＯＦＤＭ＿ＴＲＮ＿ｂａｓｉｃ＿４、ｗ６１２＊ＯＦＤＭ＿ＴＲＮ＿ｂａｓｉｃ＿４−ｗ６１５＊ＯＦＤＭ＿ＴＲＮ＿ｂａｓｉｃ＿４］
【００５０】
ＯＦＤＭ＿ＴＲＮ＿ｓｕｂｆｉｅｌｄ＿５＝［ＯＦＤＭ＿ＴＲＮ＿ｂａｓｉｃ＿５、−ｗ６４＊ＯＦＤＭ＿ＴＲＮ＿ｂａｓｉｃ＿５、ｗ６８＊ＯＦＤＭ＿ＴＲＮ＿ｂａｓｉｃ＿５、ｗ６１２＊ＯＦＤＭ＿ＴＲＮ＿ｂａｓｉｃ＿５、ｗ６１６＊ＯＦＤＭ＿ＴＲＮ＿ｂａｓｉｃ＿５−ｗ６２０＊ＯＦＤＭ＿ＴＲＮ＿ｂａｓｉｃ＿５］
【００５１】
ＯＦＤＭ＿ＴＲＮ＿ｓｕｂｆｉｅｌｄ＿６＝［ＯＦＤＭ＿ＴＲＮ＿ｂａｓｉｃ＿６、−ｗ６５＊ＯＦＤＭ＿ＴＲＮ＿ｂａｓｉｃ＿６、ｗ６１０＊ＯＦＤＭ＿ＴＲＮ＿ｂａｓｉｃ＿６、ｗ６１５＊ＯＦＤＭ＿ＴＲＮ＿ｂａｓｉｃ＿６、ｗ６２０＊ＯＦＤＭ＿ＴＲＮ＿ｂａｓｉｃ＿６−ｗ６２５＊ＯＦＤＭ＿ＴＲＮ＿ｂａｓｉｃ＿６］
【００５２】
ここで、ＯＦＤＭ＿ＴＲＮ＿ｓｕｂｆｉｅｌｄ＿Ｎは、空間時間ストリームインデックスＮに対するトレーニングサブフィールドを意味し、ＯＦＤＭ＿ＴＲＮ＿ｂａｓｉｃ＿Ｎは、空間時間ストリームインデックスＮに対する基本トレーニングサブフィールドを意味し、ｗ６＝ｅｘｐ（−ｊ＊２＊ｐｉ／６）が適用される。
【００５３】
他の例として、前記総空間時間ストリームの個数が７である場合、前記空間時間ストリーム別トレーニングサブフィールドは、下記数式に基づいて構成される。
【００５４】
[数]
【００５５】
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１］
【００５６】
ＯＦＤＭ＿ＴＲＮ＿ｓｕｂｆｉｅｌｄ＿２＝［ＯＦＤＭ＿ＴＲＮ＿ｂａｓｉｃ＿２、ＯＦＤＭ＿ＴＲＮ＿ｂａｓｉｃ＿２、−ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２、−ＯＦＤＭ＿ＴＲＮ＿ｂａｓｉｃ＿２、ＯＦＤＭ＿ＴＲＮ＿ｂａｓｉｃ＿２］
【００５７】
ＯＦＤＭ＿ＴＲＮ＿ｓｕｂｆｉｅｌｄ＿３＝［ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３］
【００５８】
ＯＦＤＭ＿ＴＲＮ＿ｓｕｂｆｉｅｌｄ＿４＝［−ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、−ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４］
【００５９】
ＯＦＤＭ＿ＴＲＮ＿ｓｕｂｆｉｅｌｄ＿５＝［ＯＦＤＭ＿ＴＲＮ＿ｂａｓｉｃ＿５、−ＯＦＤＭ＿ＴＲＮ＿ｂａｓｉｃ＿５、ＯＦＤＭ＿ＴＲＮ＿ｂａｓｉｃ＿５、ＯＦＤＭ＿ＴＲＮ＿ｂａｓｉｃ＿５、−ＯＦＤＭ＿ＴＲＮ＿ｂａｓｉｃ＿５、ＯＦＤＭ＿ＴＲＮ＿ｂａｓｉｃ＿５、−ＯＦＤＭ＿ＴＲＮ＿ｂａｓｉｃ＿５、−ＯＦＤＭ＿ＴＲＮ＿ｂａｓｉｃ＿５］
【００６０】
ＯＦＤＭ＿ＴＲＮ＿ｓｕｂｆｉｅｌｄ＿６＝［ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６、−ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６］
【００６１】
ＯＦＤＭ＿ＴＲＮ＿ｓｕｂｆｉｅｌｄ＿７＝［ＯＦＤＭ＿ＴＲＮ＿ｂａｓｉｃ＿７、ＯＦＤＭ＿ＴＲＮ＿ｂａｓｉｃ＿７、ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、ＯＦＤＭ＿ＴＲＮ＿ｂａｓｉｃ＿７］
【００６２】
ここで、ＯＦＤＭ＿ＴＲＮ＿ｓｕｂｆｉｅｌｄ＿Ｎは、空間時間ストリームインデックスＮに対するトレーニングサブフィールドを意味し、ＯＦＤＭ＿ＴＲＮ＿ｂａｓｉｃ＿Ｎは、空間時間ストリームインデックスＮに対する基本トレーニングサブフィールドを意味する。
【００６３】
他の例として、前記総空間時間ストリームの個数が８である場合、前記空間時間ストリーム別トレーニングサブフィールドは、下記数式に基づいて構成される。
【００６４】
[数]
【００６５】
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１］
【００６６】
ＯＦＤＭ＿ＴＲＮ＿ｓｕｂｆｉｅｌｄ＿２＝［ＯＦＤＭ＿ＴＲＮ＿ｂａｓｉｃ＿２、ＯＦＤＭ＿ＴＲＮ＿ｂａｓｉｃ＿２、−ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２、−ＯＦＤＭ＿ＴＲＮ＿ｂａｓｉｃ＿２、ＯＦＤＭ＿ＴＲＮ＿ｂａｓｉｃ＿２］
【００６７】
ＯＦＤＭ＿ＴＲＮ＿ｓｕｂｆｉｅｌｄ＿３＝［ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３］
【００６８】
ＯＦＤＭ＿ＴＲＮ＿ｓｕｂｆｉｅｌｄ＿４＝［−ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、−ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４］
【００６９】
ＯＦＤＭ＿ＴＲＮ＿ｓｕｂｆｉｅｌｄ＿５＝［ＯＦＤＭ＿ＴＲＮ＿ｂａｓｉｃ＿５、−ＯＦＤＭ＿ＴＲＮ＿ｂａｓｉｃ＿５、ＯＦＤＭ＿ＴＲＮ＿ｂａｓｉｃ＿５、ＯＦＤＭ＿ＴＲＮ＿ｂａｓｉｃ＿５、−ＯＦＤＭ＿ＴＲＮ＿ｂａｓｉｃ＿５、ＯＦＤＭ＿ＴＲＮ＿ｂａｓｉｃ＿５、−ＯＦＤＭ＿ＴＲＮ＿ｂａｓｉｃ＿５、−ＯＦＤＭ＿ＴＲＮ＿ｂａｓｉｃ＿５］
【００７０】
ＯＦＤＭ＿ＴＲＮ＿ｓｕｂｆｉｅｌｄ＿６＝［ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６、−ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６］
【００７１】
ＯＦＤＭ＿ＴＲＮ＿ｓｕｂｆｉｅｌｄ＿７＝［ＯＦＤＭ＿ＴＲＮ＿ｂａｓｉｃ＿７、ＯＦＤＭ＿ＴＲＮ＿ｂａｓｉｃ＿７、ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、ＯＦＤＭ＿ＴＲＮ＿ｂａｓｉｃ＿７］
【００７２】
ＯＦＤＭ＿ＴＲＮ＿ｓｕｂｆｉｅｌｄ＿８＝［−ＯＦＤＭ＿ＴＲＮ＿ｂａｓｉｃ＿８、ＯＦＤＭ＿ＴＲＮ＿ｂａｓｉｃ＿８、ＯＦＤＭ＿ＴＲＮ＿ｂａｓｉｃ＿８、ＯＦＤＭ＿ＴＲＮ＿ｂａｓｉｃ＿８、ＯＦＤＭ＿ＴＲＮ＿ｂａｓｉｃ＿８、−ＯＦＤＭ＿ＴＲＮ＿ｂａｓｉｃ＿８、−ＯＦＤＭ＿ＴＲＮ＿ｂａｓｉｃ＿８、−ＯＦＤＭ＿ＴＲＮ＿ｂａｓｉｃ＿８］
【００７３】
ここで、ＯＦＤＭ＿ＴＲＮ＿ｓｕｂｆｉｅｌｄ＿Ｎは、空間時間ストリームインデックスＮに対するトレーニングサブフィールドを意味し、ＯＦＤＭ＿ＴＲＮ＿ｂａｓｉｃ＿Ｎは、空間時間ストリームインデックスＮに対する基本トレーニングサブフィールドを意味する。
【００７４】
前記構成において、前記空間時間ストリーム別基本トレーニングサブフィールドは、前記信号が送信される連続的なチャネルの個数によって周波数領域で異なる長さのシーケンスで構成される。
【００７５】
前述したような課題を解決するための本発明の他の側面では、無線ＬＡＮ（ＷＬＡＮ）システムにおける第１のステーション（ＳＴＡ）が第２のＳＴＡから信号を受信する方法において、送信される信号に含まれているヘッダフィールドを受信し、前記ヘッダフィールドが指示する情報に基づいて空間時間ストリーム別基本トレーニングサブフィールドのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル個数を決定し、総空間時間ストリームの個数及び前記決定されたＯＦＤＭシンボル個数で構成された前記空間時間ストリーム別基本トレーニングサブフィールドに基づいて構成される空間時間ストリーム別トレーニングサブフィールドを含むトレーニングフィールドを、対応する空間時間ストリームを介して受信することを含む、信号受信方法を提案する。
【００７６】
前述したような課題を解決するための本発明の他の側面では、無線ＬＡＮ（ＷＬＡＮ）システムにおける信号を受信するステーション装置において、一つ以上のＲＦ（Ｒａｄｉｏ  Ｆｒｅｑｕｅｎｃｙ）チェーンを有し、他のステーション装置と信号を送受信するように構成される送受信部と、前記送受信部と連結され、前記他のステーション装置と信号を送受信した信号を処理するプロセッサとを含み、前記プロセッサは、送信される信号に含まれているヘッダフィールドを受信し、前記ヘッダフィールドが指示する情報に基づいて空間時間ストリーム別基本トレーニングサブフィールドのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル個数を決定し、総空間時間ストリームの個数及び前記決定されたＯＦＤＭシンボル個数で構成された前記空間時間ストリーム別基本トレーニングサブフィールドに基づいて構成される空間時間ストリーム別トレーニングサブフィールドを含むトレーニングフィールドを、対応する空間時間ストリームを介して受信するように構成される、ステーション装置を提案する。
【００７７】
本発明で得ることができる効果は、以上で言及した効果に制限されるものではなく、言及しない他の効果は、以下の記載から本発明が属する技術分野において通常の知識を有する者に明確に理解されることができる。
【発明の効果】
【００７８】
前記のような構成を介して、本発明によるＯＦＤＭモードで動作するステーションは、トレーニングフィールドを含む信号を送受信することができる。
【００７９】
特に、本発明によると、ステーションは、ＳＣモードのトレーニングフィールド構成と整列（ａｌｉｇｎ）可能なＯＦＤＭモードのトレーニングフィールドを含む信号を送受信することができる。
【００８０】
本発明で得ることができる効果は、以上で言及した効果に制限されるものではなく、言及しない他の効果は、以下の記載から本発明が属する技術分野において通常の知識を有する者に明確に理解されることができる。
【図面の簡単な説明】
【００８１】
本明細書に添付される図面は、本発明に対する理解を提供するためのものであって、本発明の多様な実施形態を示し、明細書の記載と共に本発明の原理を説明するためのものである。
【００８２】
【図１】無線ＬＡＮシステムの構成の一例を示す。
【図２】無線ＬＡＮシステムの構成の他の例を示す。
【図３】本発明の一実施形態に係るチャネルボンディング動作説明のための６０ＧＨｚ帯域でのチャネルを説明するための図面である。
【図４】無線ＬＡＮシステムでチャネルボンディングを実行する基本的な方法を説明するための図面である。
【図５】ビーコン間隔の構成を説明するための図面である。
【図６】既存無線フレームの物理構成を説明するための図面である。
【図７】図６の無線フレームのヘッダフィールドの構成を説明するための図面である。
【図８】図６の無線フレームのヘッダフィールドの構成を説明するための図面である。
【図９】本発明に適用可能なＰＰＤＵ構造を示す。
【図１０】本発明に適用可能なＰＰＤＵ構造を簡単に示す。
【図１１】本発明に適用可能な空間時間ストリーム別ＥＤＭＧ−ＣＥＦシーケンスまたはトレーニングシーケンスを示す。
【図１２】本発明に適用可能な空間時間ストリーム別ＥＤＭＧ−ＣＥＦシーケンスまたはトレーニングシーケンスを示す。
【図１３】本発明に適用可能な空間時間ストリーム別ＥＤＭＧ−ＣＥＦシーケンスまたはトレーニングシーケンスを示す。
【図１４】本発明に適用可能な空間時間ストリーム別ＥＤＭＧ−ＣＥＦシーケンスまたはトレーニングシーケンスを示す。
【図１５】本発明に適用可能な空間時間ストリーム別ＥＤＭＧ−ＣＥＦシーケンスまたはトレーニングシーケンスを示す。
【図１６】本発明に適用可能な空間時間ストリーム別ＥＤＭＧ−ＣＥＦシーケンスまたはトレーニングシーケンスを示す。
【図１７】本発明に適用可能な空間時間ストリーム別ＥＤＭＧ−ＣＥＦシーケンスまたはトレーニングシーケンスを示す。
【図１８】本発明に適用可能な空間時間ストリーム別ＥＤＭＧ−ＣＥＦシーケンスまたはトレーニングシーケンスを示す。
【図１９】本発明に適用可能な空間時間ストリーム別ＥＤＭＧ−ＣＥＦシーケンスまたはトレーニングシーケンスを示す。
【図２０】本発明に適用可能な空間時間ストリーム別ＥＤＭＧ−ＣＥＦシーケンスまたはトレーニングシーケンスを示す。
【図２１】本発明に適用可能な空間時間ストリーム別ＥＤＭＧ−ＣＥＦシーケンスまたはトレーニングシーケンスを示す。
【図２２】本発明に適用可能な空間時間ストリーム別ＥＤＭＧ−ＣＥＦシーケンスまたはトレーニングシーケンスを示す。
【図２３】本発明に適用可能な空間時間ストリーム別ＥＤＭＧ−ＣＥＦシーケンスまたはトレーニングシーケンスを示す。
【図２４】本発明に適用可能な空間時間ストリーム別ＥＤＭＧ−ＣＥＦシーケンスまたはトレーニングシーケンスを示す。
【図２５】本発明に適用可能な空間時間ストリーム別ＥＤＭＧ−ＣＥＦシーケンスまたはトレーニングシーケンスを示す。
【図２６】本発明に適用可能な空間時間ストリーム別ＥＤＭＧ−ＣＥＦシーケンスまたはトレーニングシーケンスを示す。
【図２７】本発明に適用可能な空間時間ストリーム別ＥＤＭＧ−ＣＥＦシーケンスまたはトレーニングシーケンスを示す。
【図２８】本発明に適用可能な空間時間ストリーム別ＥＤＭＧ−ＣＥＦシーケンスまたはトレーニングシーケンスを示す。
【図２９】本発明に適用可能な空間時間ストリーム別ＥＤＭＧ−ＣＥＦシーケンスまたはトレーニングシーケンスを示す。
【図３０】本発明に適用可能な空間時間ストリーム別ＥＤＭＧ−ＣＥＦシーケンスまたはトレーニングシーケンスを示す。
【図３１】１個のＯＦＤＭシンボルに対応するＴＲＮサブフィールド構造を示す。
【図３２】２個のＯＦＤＭシンボルに対応するＴＲＮサブフィールド構造を示す。
【図３３】２個のＯＦＤＭシンボルに対応するＴＲＮサブフィールド構造を示す。
【図３４】３個のＯＦＤＭシンボルに対応するＴＲＮサブフィールド構造を示す。
【図３５】４個のＯＦＤＭシンボルに対応するＴＲＮサブフィールド構造を示す。
【図３６】４個のＯＦＤＭシンボルに対応するＴＲＮサブフィールド構造を示す。
【図３７】５個のＯＦＤＭシンボルに対応するＴＲＮサブフィールド構造を示す。
【図３８】６個のＯＦＤＭシンボルに対応するＴＲＮサブフィールド構造を示す。
【図３９】本発明の一例によってＴＲＮフィールドを含む信号を送信する方法を示す流れ図である。
【図４０】前述したような方法を具現するための装置を説明するための図面である。
【発明を実施するための形態】
【００８３】
以下、本発明による好ましい実施形態を添付された図面を参照して詳細に説明する。添付された図面と共に以下に開示される詳細な説明は、本発明の例示的な実施形態を説明するものであり、本発明が実施されることができる唯一の実施形態を示すものではない。
【００８４】
以下の詳細な説明は、本発明の完全な理解を提供するために具体的な細部事項を含む。しかし、当業者は、本発明がこのような具体的な細部事項がなくても実施可能であることを理解する。いくつかの場合、本発明の概念が不明になることを避けるために公知の構造及び装置が省略され、または各構造及び装置の核心機能を中心にするブロック図形式に図示される。
【００８５】
本発明が適用される移動通信システムは、多様に存在できるが、以下では移動通信システムの一例として無線ＬＡＮシステムに対して具体的に説明する。
【００８６】
１．無線ＬＡＮ（Ｗｉｒｅｌｅｓｓ  ＬＡＮ、ＷＬＡＮ）システム
【００８７】
１−１．無線ＬＡＮシステム一般
【００８８】
図１は、無線ＬＡＮシステムの構成の一例を示す。
【００８９】
図１に示すように、無線ＬＡＮシステムは、一つ以上の基本サービスセット（Ｂａｓｉｃ  Ｓｅｒｖｉｃｅ  Ｓｅｔ、ＢＳＳ）を含む。ＢＳＳは、成功的に同期化されて互いに通信できるステーション（Ｓｔａｔｉｏｎ、ＳＴＡ）の集合である。
【００９０】
ＳＴＡは、媒体接続制御（Ｍｅｄｉｕｍ  Ａｃｃｅｓｓ  Ｃｏｎｔｒｏｌ、ＭＡＣ）と無線媒体に対する物理階層（Ｐｈｙｓｉｃａｌ  Ｌａｙｅｒ）インターフェースを含む論理エンティティであって、アクセスポイント（ａｃｃｅｓｓ  ｐｏｉｎｔ、ＡＰ）と非ＡＰ  ＳＴＡ（Ｎｏｎ−ＡＰ  Ｓｔａｔｉｏｎ）を含む。ＳＴＡのうち、ユーザが操作する携帯用端末は、Ｎｏｎ−ＡＰ  ＳＴＡであって、単純にＳＴＡとする時はＮｏｎ−ＡＰ  ＳＴＡを意味することもある。Ｎｏｎ− ＡＰ  ＳＴＡは、端末（ｔｅｒｍｉｎａｌ）、無線送受信ユニット（Ｗｉｒｅｌｅｓｓ  Ｔｒａｎｓｍｉｔ／Ｒｅｃｅｉｖｅ  Ｕｎｉｔ、ＷＴＲＵ）、ユーザ装備（Ｕｓｅｒ  Ｅｑｕｉｐｍｅｎｔ、ＵＥ）、移動局（Ｍｏｂｉｌｅ  Ｓｔａｔｉｏｎ、ＭＳ）、携帯用端末（Ｍｏｂｉｌｅ  Ｔｅｒｍｉｎａｌ）、または移動加入者ユニット（Ｍｏｂｉｌｅ  Ｓｕｂｓｃｒｉｂｅｒ  Ｕｎｉｔ）など、他の名称で呼ばれることもある。
【００９１】
そして、ＡＰは自分に結合されたＳＴＡ（Ａｓｓｏｃｉａｔｅｄ  Ｓｔａｔｉｏｎ）に無線媒体を介して分配システム（Ｄｉｓｔｒｉｂｕｔｉｏｎ  Ｓｙｓｔｅｍ、ＤＳ）への接続を提供するエンティティである。ＡＰは、集中制御機、基地局（Ｂａｓｅ  Ｓｔａｔｉｏｎ、ＢＳ）、Ｎｏｄｅ−Ｂ、ＢＴＳ（Ｂａｓｅ  Ｔｒａｎｓｃｅｉｖｅｒ  Ｓｙｓｔｅｍ）、ＰＣＰ／ＡＰ（ｐｅｒｓｏｎａｌ  ｂａｓｉｃ  ｓｅｒｖｉｃｅ  ｓｅｔ  ｃｅｎｔｒａｌ  ｐｏｉｎｔ／ａｃｃｅｓｓ  ｐｏｉｎｔ）またはサイト制御機などで呼ばれることもある。
【００９２】
ＢＳＳは、インフラストラクチャ（ｉｎｆｒａｓｔｒｕｃｔｕｒｅ）ＢＳＳと独立した（Ｉｎｄｅｐｅｎｄｅｎｔ）ＢＳＳ（ＩＢＳＳ）に区分できる。
【００９３】
図１に示すＢＢＳは、ＩＢＳＳである。ＩＢＳＳは、ＡＰを含まないＢＳＳを意味し、ＡＰを含まないため、ＤＳへの接続が許容されなくてセルフコンテインドネットワーク（ｓｅｌｆ−ｃｏｎｔａｉｎｅｄ  ｎｅｔｗｏｒｋ）をなす。
【００９４】
図２は、無線ＬＡＮシステムの構成の他の例を示す。
【００９５】
図２に示すＢＳＳは、インフラストラクチャＢＳＳである。インフラストラクチャＢＳＳは、一つ以上のＳＴＡ及びＡＰを含む。インフラストラクチャＢＳＳで、非ＡＰ  ＳＴＡ間の通信は、ＡＰを経由して行われることが原則であるが、非ＡＰ  ＳＴＡ間に直接リンク（ｌｉｎｋ）が設定された場合は、非ＡＰ  ＳＴＡ間で直接通信も可能である。
【００９６】
図２に示すように、複数のインフラストラクチャＢＳＳは、ＤＳを介して相互連結されることができる。ＤＳを介して連結された複数のＢＳＳを拡張サービスセット（Ｅｘｔｅｎｄｅｄ  Ｓｅｒｖｉｃｅ  Ｓｅｔ、ＥＳＳ）という。ＥＳＳに含まれるＳＴＡは、互いに通信でき、同じＥＳＳ内で非ＡＰ  ＳＴＡは、シームレス通信しながら一つのＢＳＳから他のＢＳＳに移動できる。
【００９７】
ＤＳは、複数のＡＰを連結するメカニズム（ｍｅｃｈａｎｉｓｍ）であって、必ずネットワークである必要はなく、所定の分配サービスを提供することができる場合は、その形態に対しては何らの制限がない。例えば、ＤＳは、メッシュ（ｍｅｓｈ）ネットワークのような無線ネットワークであり、またはＡＰを互いに連結させる物理的な構造物である。
【００９８】
以上に基づいて無線ＬＡＮシステムでチャネルボンディング方式に対して説明する。
【００９９】
１−２．無線ＬＡＮシステムでのチャネルボンディング
【０１００】
図３は、本発明の一実施形態に係るチャネルボンディング動作説明のための６０ＧＨｚ帯域でのチャネルを説明するための図面である。
【０１０１】
図３に示すように、６０ＧＨｚ帯域では４個のチャネルが構成されることができ、一般チャネル帯域幅は２．１６ＧＨｚである。６０ＧＨｚで使用可能なＩＳＭ帯域（５７ＧＨｚ〜６６ＧＨｚ）は、各国状況によって異なるように規定されることができる。一般的に、図３に示すチャネルのうち、チャネル２は、全ての地域で使用可能であるため、ｄｅｆａｕｌｔチャネルとして使われることができる。オーストラリアを除外した大部分の地域でチャネル２及びチャネル３を使用することができ、これをチャネルボンディングに活用できる。ただし、チャネルボンディングに活用されるチャネルは多様であり、本発明は特定チャネルに限定されるものではない。
【０１０２】
図４は、無線ＬＡＮシステムでチャネルボンディングを実行する基本的な方法を説明するための図面である。
【０１０３】
図４の例は、ＩＥＥＥ８０２．１１ｎシステムで２個の２０ＭＨｚチャネルを結合して４０ＭＨｚチャネルボンディングで動作することを例えて説明する。ＩＥＥＥ８０２．１１ａｃシステムの場合、４０／８０／１６０ＭＨｚチャネルボンディングが可能である。
【０１０４】
図４の例示的な２個のチャネルは、主チャネル（Ｐｒｉｍａｒｙ  Ｃｈａｎｎｅｌ）及び補助チャネル（Ｓｅｃｏｎｄａｒｙ  Ｃｈａｎｎｅｌ）を含み、ＳＴＡは、前記２個のチャネルのうち、主チャネルに対してＣＳＭＡ／ＣＡ方式にチャネル状態を検討することができる。もし、主チャネルが一定のバックオフ間隔（ｂａｃｋｏｆｆ  ｉｎｔｅｒｖａｌ）の間にアイドル（ｉｄｌｅ）でバックオフカウントが０になる時点で、補助チャネルが所定時間（例えば、ＰＩＦＳ）の間にアイドルである場合、ＳＴＡは、主チャネル及び補助チャネルを結合してデータを送信することができる。
【０１０５】
ただし、図４のようにコンテンションベースのチャネルボンディングを実行する場合、前述したように主チャネルに対するバックオフカウントが満了される時点で、補助チャネルが一定時間の間にアイドル状態を維持した場合に限ってチャネルボンディングが可能であるため、チャネルボンディングの活用が非常に制限的であり、媒体状況に柔軟に対応しにくい側面がある。
【０１０６】
それによって、本発明の一側面ではＡＰがＳＴＡにスケジューリング情報を送信してスケジューリングベースの接続を実行する方案を提案する。一方、本発明の他の一側面では前述したスケジューリングに基づいてまたは前述したスケジューリングと独立にコンテンションベースのチャネル接続を実行する方案を提案する。併せて、本発明の他の一側面ではビームフォーミング（ｂｅａｍｆｏｒｍｉｎｇ）に基づいて空間共有（Ｓｐａｔｉａｌ  Ｓｈａｒｉｎｇ）技法を介して通信を実行する方法に対して提案する。
【０１０７】
１−３．ビーコン間隔構成
【０１０８】
図５は、ビーコン間隔の構成を説明するための図面である。
【０１０９】
１１ａｄベースのＤＭＧ  ＢＳＳシステムで媒体の時間はビーコン間隔に分けられる。ビーコン間隔内の下位区間は、アクセス区間（Ａｃｃｅｓｓ  Ｐｅｒｉｏｄ）という。一つのビーコン間隔内の互いに異なるアクセス区間は、異なる接続規則を有することができる。このようなアクセス区間に対する情報は、ＡＰまたはＰＣＰ（Ｐｅｒｓｏｎａｌ  ｂａｓｉｃ  ｓｅｒｖｉｃｅ  ｓｅｔ  Ｃｏｎｔｒｏｌ  Ｐｏｉｎｔ）によりｎｏｎ−ＡＰ  ＳＴＡまたはｎｏｎ−ＰＣＰに送信されることができる。
【０１１０】
図５に示す例のように、一つのビーコン間隔は、一つのＢＨＩ（Ｂｅａｃｏｎ  Ｈｅａｄｅｒ  Ｉｎｔｅｒｖａｌ）と一つのＤＴＩ（Ｄａｔａ  Ｔｒａｎｓｆｅｒ  Ｉｎｔｅｒｖａｌ）を含むことができる。ＢＨＩは、図４に示すように、ＢＴＩ（Ｂｅａｃｏｎ  Ｔｒａｎｓｍｉｓｓｉｏｎ  Ｉｎｔｅｒｖａｌ）、Ａ−ＢＦＴ（Ａｓｓｏｃｉａｔｉｏｎ  Ｂｅａｍｆｏｒｍｉｎｇ  Ｔｒａｉｎｉｎｇ）及びＡＴＩ（Ａｎｎｏｕｎｃｅｍｅｎｔ  Ｔｒａｎｓｍｉｓｓｉｏｎ  Ｉｎｔｅｒｖａｌ）を含むことができる。
【０１１１】
ＢＴＩは、一つ以上のＤＭＧビーコンフレームが送信されることができる区間を意味する。Ａ−ＢＦＴは、先行するＢＴＩの間にＤＭＧビーコンフレームを送信したＳＴＡによるビームフォーミングトレーニングが実行される区間を意味する。ＡＴＩは、ＰＣＰ／ＡＰとｎｏｎ−ＰＣＰ／ｎｏｎ−ＡＰ  ＳＴＡとの間に要求−応答ベースの管理アクセス区間を意味する。
【０１１２】
一方、ＤＴＩ（Ｄａｔａ  Ｔｒａｎｓｆｅｒ  Ｉｎｔｅｒｖａｌ）は、ＳＴＡ間のフレーム交換が行われる区間であって、図５に示すように、一つ以上のＣＢＡＰ（Ｃｏｎｔｅｎｔｉｏｎ  Ｂａｓｅｄ  Ａｃｃｅｓｓ  Ｐｅｒｉｏｄ）及び一つ以上のＳＰ（Ｓｅｒｖｉｃｅ  Ｐｅｒｉｏｄ）が割り当てられることができる。図５では２個のＣＢＡＰと２個のＳＰが割り当てられる例を示しているが、これは例示に過ぎず、これに限定される必要はない。
【０１１３】
以下、本発明が適用される無線ＬＡＮシステムでの物理階層構成に対して具体的に説明する。
【０１１４】
１−４．物理階層構成
【０１１５】
本発明の一実施形態に係る無線ＬＡＮシステムでは、下記のような三つの異なる変調モードを提供することができることを仮定する。
【０１１６】
【表１】
2020526990.tif 000003
【０１１７】
このような変調モードは、互いに異なる要求条件（例えば、高い処理率または安定性）を満たすために利用されることができる。システムによってこれらのうち一部モードのみをサポートすることもできる。
【０１１８】
図６は、既存無線フレームの物理構成を説明するための図面である。
【０１１９】
全てのＤＭＧ（Ｄｉｒｅｃｔｉｏｎａｌ  Ｍｕｌｔｉ−Ｇｉｇａｂｉｔ）物理階層は、図６に示すようなフィールドを共通的に含むことを仮定する。ただし、各々のモードによって、個別的なフィールドの規定方式及び使われる変調／コーディング方式において相違点を有することができる。
【０１２０】
図６に示すように、無線フレームのプリアンブルは、ＳＴＦ（Ｓｈｏｒｔ  Ｔｒａｉｎｉｎｇ  Ｆｉｅｌｄ）及びＣＥ（Ｃｈａｎｎｅｌ  Ｅｓｔｉｍａｔｉｏｎ）を含むことができる。また、無線フレームは、ヘッダ、及びペイロードとしてデータフィールドと選択的にビームフォーミングのためのＴＲＮ（Ｔｒａｉｎｉｎｇ）フィールドを含むことができる。
【０１２１】
図７及び図８は、図６の無線フレームのヘッダフィールドの構成を説明するための図面である。
【０１２２】
具体的に、図７は、ＳＣ（Ｓｉｎｇｌｅ  Ｃａｒｒｉｅｒ）モードが利用される場合を示している。ＳＣモードにおけるヘッダは、スクランブリングの初期値を示す情報、ＭＣＳ（Ｍｏｄｕｌａｔｉｏｎ  ａｎｄ  Ｃｏｄｉｎｇ  Ｓｃｈｅｍｅ）、データの長さを示す情報、追加的なＰＰＤＵ（Ｐｈｙｓｉｃａｌ  Ｐｒｏｔｏｃｏｌ  Ｄａｔａ  Ｕｎｉｔ）の存在可否を示す情報、パケットタイプ、トレーニング長さ、Ａｇｇｒｅｇａｔｉｏｎ可否、ビームトレーニング要求可否、最後のＲＳＳＩ（Ｒｅｃｅｉｖｅｄ  Ｓｉｇｎａｌ  Ｓｔｒｅｎｇｔｈ  Ｉｎｄｉｃａｔｏｒ）、切断（ｔｒｕｎｃａｔｉｏｎ）可否、ＨＣＳ（Ｈｅａｄｅｒ  Ｃｈｅｃｋ  Ｓｅｑｕｅｎｃｅ）などの情報を含むことができる。また、図７に示すように、ヘッダは、４ビットの留保ビット（ｒｅｓｅｒｖｅｄ  ｂｉｔｓ）を有しており、以下の説明ではこのような留保ビットを活用することもできる。
【０１２３】
また、図８は、ＯＦＤＭモードが適用される場合のヘッダの具体的な構成を示している。ＯＦＤＭヘッダは、スクランブリングの初期値を示す情報、ＭＣＳ、データの長さを示す情報、追加的なＰＰＤＵの存在可否を示す情報、パケットタイプ、トレーニング長さ、Ａｇｇｒｅｇａｔｉｏｎ可否、ビームトレーニング要求可否、最後のＲＳＳＩ、切断可否、ＨＣＳ（Ｈｅａｄｅｒ  Ｃｈｅｃｋ  Ｓｅｑｕｅｎｃｅ）などの情報を含むことができる。また、図８に示すように、ヘッダは、２ビットの留保ビットを有しており、以下の説明では図７の場合と同様にこのような留保ビットを活用することもできる。
【０１２４】
前述したように、ＩＥＥＥ８０２．１１ａｙシステムは、既存１１ａｄシステムに最初にチャネルボンディング及びＭＩＭＯ技術の導入を考慮している。１１ａｙでチャネルボンディング及びＭＩＭＯを具現するためには新しいＰＰＤＵ構造が必要である。即ち、既存１１ａｄ  ＰＰＤＵ構造では、レガシー端末をサポートすると同時にチャネルボンディングとＭＩＭＯを具現するには限界がある。
【０１２５】
そのためにレガシー端末をサポートするためのレガシープリアンブル、レガシーヘッダフィールド以後に１１ａｙ端末のための新しいフィールドを定義することができ、ここで、新しく定義されたフィールドを介してチャネルボンディングとＭＩＭＯをサポートすることができる。
【０１２６】
図９は、本発明の好ましい一実施形態に係るＰＰＤＵ構造を示す。図９において、横軸は時間領域に対応し、縦軸は周波数領域に対応できる。
【０１２７】
２個以上のチャネルをボンディングした時、各チャネルで使われる周波数帯域（例：１．８３ＧＨｚ）間には一定大きさの周波数帯域（例：４００ＭＨｚ帯域）が存在できる。Ｍｉｘｅｄ  ｍｏｄｅの場合、各チャネルを介してレガシープリアンブル（レガシーＳＴＦ、レガシー：ＣＥ）がｄｕｐｌｉｃａｔｅで送信され、本発明の一実施形態では各チャネル間の４００ＭＨｚ帯域を介してレガシープリアンブルと共に同時に新しいＳＴＦとＣＥフィールドの送信（ｇａｐ  ｆｉｌｌｉｎｇ）を考慮することができる。
【０１２８】
この場合、図９に示すように、本発明によるＰＰＤＵ構造は、ａｙ  ＳＴＦ、ａｙ  ＣＥ、ａｙヘッダＢ、ペイロード（ｐａｙｌｏａｄ）をレガシープリアンブル、レガシーヘッダ及びａｙヘッダＡ以後に広帯域で送信する形態を有する。したがって、ヘッダフィールド以後に送信されるａｙヘッダ、ａｙ  Ｐａｙｌｏａｄフィールドなどは、ボンディングに使われるチャネルを介して送信できる。以下、ａｙヘッダをレガシーヘッダと区分するために、ＥＤＭＧ（ｅｎｈａｎｃｅｄ  ｄｉｒｅｃｔｉｏｎａｌ  ｍｕｌｔｉ−ｇｉｇａｂｉｔ）ヘッダと命名することもでき、該当名称は混用して使われることができる。
【０１２９】
一例として、１１ａｙには総６個または８個のチャネル（各２．１６ＧＨｚ）が存在でき、単一ＳＴＡでは最大４個のチャネルをボンディングして送信できる。したがって、ａｙヘッダとａｙ  Ｐａｙｌｏａｄは、２．１６ＧＨｚ、４．３２ＧＨｚ、６．４８ＧＨｚ、８．６４ＧＨｚ帯域幅を介して送信できる。
【０１３０】
または、前述したようなＧａｐ−Ｆｉｌｌｉｎｇを実行せずにレガシープリアンブルを繰り返して送信する時のＰＰＤＵフォーマットも考慮することができる。
【０１３１】
この場合、Ｇａｐ−Ｆｉｌｌｉｎｇを実行しなくて図８に点線で図示されたＧＦ−ＳＴＦ及びＧＦ−ＣＥフィールドなしでａｙ  ＳＴＦ、ａｙ  ＣＥ及びａｙヘッダＢをレガシープリアンブル、レガシーヘッダ及びａｙヘッダＡ以後に広帯域で送信する形態を有する。
【０１３２】
図１０は、本発明に適用可能なＰＰＤＵ構造を簡単に示す。前述したＰＰＤＵフォーマットを簡単に整理すると、図１０のように示すことができる。
【０１３３】
図１０に示すように、１１ａｙシステムに適用可能なＰＰＤＵフォーマットは、Ｌ−ＳＴＦ、Ｌ−ＣＥ、Ｌ−Ｈｅａｄｅｒ、ＥＤＭＧ−Ｈｅａｄｅｒ−Ａ、ＥＤＭＧ−ＳＴＦ、ＥＤＭＧ−ＣＥＦ、ＥＤＭＧ−Ｈｅａｄｅｒ−Ｂ、Ｄａｔａ、ＴＲＮフィールドを含むことができ、前記フィールドは、ＰＰＤＵの形態（例：ＳＵ  ＰＰＤＵ、ＭＵ  ＰＰＤＵ等）によって選択的に含まれることができる。
【０１３４】
ここで、Ｌ−ＳＴＦ、Ｌ−ＣＥ、Ｌ−ｈｅａｄｅｒフィールドを含む部分は、非ＥＤＭＧ領域（Ｎｏｎ−ＥＤＭＧ  ｐｏｒｔｉｏｎ）と命名でき、その他の部分は、ＥＤＭＧ領域と命名できる。また、Ｌ−ＳＴＦ、Ｌ−ＣＥ、Ｌ−Ｈｅａｄｅｒ、ＥＤＭＧ−Ｈｅａｄｅｒ−Ａフィールドは、ｐｒｅ−ＥＤＭＧ  ｍｏｄｕｌａｔｅｄ  ｆｉｅｌｄｓと命名されることができ、その他の部分は、ＥＤＭＧ  ｍｏｄｕｌａｔｅｄ  ｆｉｅｌｄｓと命名されることができる。
【０１３５】
前記のようなＰＰＤＵの（レガシー）プリアンブル部分は、パケット検出（ｐａｃｋｅｔ  ｄｅｔｅｃｔｉｏｎ）、ＡＧＣ（Ａｕｔｏｍａｔｉｃ  Ｇａｉｎ  Ｃｏｎｔｒｏｌ）、周波数オフセット測定（ｆｒｅｑｕｅｎｃｙ  ｏｆｆｓｅｔ  ｅｓｔｉｍａｔｉｏｎ）、同期化（ｓｙｎｃｈｒｏｎｉｚａｔｉｏｎ）、変調（ＳＣまたはＯＦＤＭ）の指示及びチャネル測定（ｃｈａｎｎｅｌ  ｅｓｔｉｍａｔｉｏｎ）に使われることができる。プリアンブルのフォーマットは、ＯＦＤＭパケット及びＳＣパケットに対して共通されることができる。このとき、前記プリアンブルは、ＳＴＦ（Ｓｈｏｒｔ  Ｔｒａｉｎｉｎｇ  Ｆｉｅｌｄ）及び前記ＳＴＦフィールド以後に位置したＣＥ（Ｃｈａｎｎｅｌ  Ｅｓｔｉｍａｔｉｏｎ）フィールドで構成されることができる。（Ｔｈｅ  ｐｒｅａｍｂｌｅ  ｉｓ  ｔｈｅ  ｐａｒｔ  ｏｆ  ｔｈｅ  ＰＰＤＵ  ｔｈａｔ  ｉｓ  ｕｓｅｄ  ｆｏｒ  ｐａｃｋｅｔ  ｄｅｔｅｃｔｉｏｎ，ＡＧＣ，ｆｒｅｑｕｅｎｃｙ  ｏｆｆｓｅｔ  ｅｓｔｉｍａｔｉｏｎ，ｓｙｎｃｈｒｏｎｉｚａｔｉｏｎ，ｉｎｄｉｃａｔｉｏｎ  ｏｆ  ｍｏｄｕｌａｔｉｏｎ（ＳＣ  ｏｒ  ＯＦＤＭ）ａｎｄ  ｃｈａｎｎｅｌ  ｅｓｔｉｍａｔｉｏｎ．Ｔｈｅ  ｆｏｒｍａｔ  ｏｆ  ｔｈｅ  ｐｒｅａｍｂｌｅ  ｉｓ  ｃｏｍｍｏｎ  ｔｏ  ｂｏｔｈ  ＯＦＤＭ  ｐａｃｋｅｔｓ  ａｎｄ  ＳＣ  ｐａｃｋｅｔｓ．Ｔｈｅ  ｐｒｅａｍｂｌｅ  ｉｓ  ｃｏｍｐｏｓｅｄ  ｏｆ  ｔｗｏ  ｐａｒｔｓ：ｔｈｅ  Ｓｈｏｒｔ  Ｔｒａｉｎｉｎｇ  ｆｉｅｌｄ  ａｎｄ  ｔｈｅ  Ｃｈａｎｎｅｌ  Ｅｓｔｉｍａｔｉｏｎ  ｆｉｅｌｄ．）
【０１３６】
３．本発明に適用可能な実施例
【０１３７】
以下では、前記のような構成に基づいてＯＦＤＭモードでのＴＲＮサブフィールドを構成する方法（即ち、ＥＤＭＧ  ＯＦＤＭ  ＰＰＤＵのためのＴＲＮサブフィールド）及びこれに基づいて前記ＴＲＮサブフィールドを含む信号を送受信する方法に対して詳細に説明する。
【０１３８】
まず、本発明に適用可能なＯＦＤＭモードでのＴＲＮサブフィールド構造に対して詳細に説明する。
【０１３９】
３．１．ＯＦＤＭモードでのＴＲＮサブフィールド
【０１４０】
３．１．１．ＯＦＤＭ  ＴＲＮサブフィールドのシーケンス
【０１４１】
本発明によると、ＥＭＤＧ  ＯＦＤＭ  ＰＰＤＵのためのＴＲＮサブフィールド（ＴＲＮ  ｓｕｂｆｉｅｌｄ  ｆｏｒ  ＥＤＭＧ  ＯＦＤＭ  ＰＰＤＵ）は、ＯＦＤＭモードのＥＤＭＧ  ＣＥＦまたはＯＦＤＭモードのＥＤＭＧ  ＳＴＦを用いて構成されることができる。または、ＰＡＰＲ（Ｐｅａｋ  ｔｏ  Ａｖｅｒａｇｅ  Ｐｏｗｅｒ  Ｒａｔｉｏ）性能を考慮して、前記ＥＭＤＧ  ＯＦＤＭ  ＰＰＤＵのためのＴＲＮサブフィールドは、ＰＡＰＲ性能がよいシーケンスを用いて構成されることができる。
【０１４２】
したがって、まず、本発明に適用可能なＥＤＭＧ  ＣＥＦフィールドに対して詳細に説明すると、下記の通りである。
【０１４３】
ＥＤＭＧ−ＣＥＦフィールドの構造は、ＥＤＭＧ  ＰＰＤＵが送信される連続的な２．１６ＧＨｚチャネルの個数及び空間時間ストリームの個数（ｉＳＴＳ）に基づいている（Ｔｈｅ  ｓｔｒｕｃｔｕｒｅ  ｏｆ  ｔｈｅ  ＥＤＭＧ−ＣＥＦ  ｆｉｅｌｄ  ｄｅｐｅｎｄｓ  ｏｎ  ｔｈｅ  ｎｕｍｂｅｒ  ｏｆ  ｃｏｎｔｉｇｕｏｕｓ  ２．１６ＧＨｚ  ｃｈａｎｎｅｌｓ  ｏｖｅｒ  ｗｈｉｃｈ  ａｎ  ＥＤＭＧ  ＰＰＤＵ  ｉｓ  ｔｒａｎｓｍｉｔｔｅｄ  ａｎｄ  ｔｈｅ  ｎｕｍｂｅｒ，ｉＳＴＳ，ｏｆ  ｓｐａｃｅ−ｔｉｍｅ  ｓｔｒｅａｍｓ）。
【０１４４】
まず、ＥＤＭＧ−ＣＥＦフィールドの定義のために使われる長さＮの
2020526990.tif 000004
及び
2020526990.tif 000005
シーケンスは、Ｎ値によって図１１乃至図３０のように定義される。ここで、前記Ｎは、１７６、３８５、５９５及び８０４のうち一つの値を有することができる。
【０１４５】
図１１は、空間時間ストリーム別
2020526990.tif 000006
を示し、図１２は、空間時間ストリーム別
2020526990.tif 000007
を示す。
【０１４６】
図１３及び図１４は、空間時間ストリーム別
2020526990.tif 000008
を示し、図１５及び図１６は、空間時間ストリーム別
2020526990.tif 000009
を示す。
【０１４７】
図１７乃至図１９は、空間時間ストリーム別
2020526990.tif 000010
を示し、図２０乃至図２２は、空間時間ストリーム別
2020526990.tif 000011
を示す。
【０１４８】
図２３乃至図２６は、空間時間ストリーム別
2020526990.tif 000012
を示し、図２７乃至図３０は、空間時間ストリーム別
2020526990.tif 000013
を示す。
【０１４９】
このとき、２．１６ＧＨｚチャネルを介してＥＤＭＧ  ＯＦＤＭモードを使用したＥＤＭＧ  ＰＰＤＵ送信のために、ｉ番目の空間時間ストリームのための周波数領域でのＥＤＭＧ−ＣＥＦシーケンスは、下記数式のように定義されることができる。このとき、
2020526990.tif 000014
及び
2020526990.tif 000015
は、図１１及び図１２のように定義されることができる。
【０１５０】
【数１】
2020526990.tif 000016
【０１５１】
４．３２ＧＨｚチャネルを介してＥＤＭＧ  ＯＦＤＭモードを使用したＥＤＭＧ  ＰＰＤＵ送信のために、ｉ番目の空間時間ストリームのための周波数領域でのＥＤＭＧ−ＣＥＦシーケンスは、下記数式のように定義されることができる。このとき、
2020526990.tif 000017
及び
2020526990.tif 000018
は、図１３乃至図１６のように定義されることができる。
【０１５２】
【数２】
2020526990.tif 000019
【０１５３】
６．４８ＧＨｚチャネルを介してＥＤＭＧ  ＯＦＤＭモードを使用したＥＤＭＧ  ＰＰＤＵ送信のために、ｉ番目の空間時間ストリームのための周波数領域でのＥＤＭＧ−ＣＥＦシーケンスは、下記数式のように定義されることができる。このとき、
2020526990.tif 000020
及び
2020526990.tif 000021
は、図１７乃至図２２のように定義されることができる。
【０１５４】
【数３】
2020526990.tif 000022
【０１５５】
８．６４ＧＨｚチャネルを介してＥＤＭＧ  ＯＦＤＭモードを使用したＥＤＭＧ  ＰＰＤＵ送信のために、ｉ番目の空間時間ストリームのための周波数領域でのＥＤＭＧ−ＣＥＦシーケンスは、下記数式のように定義されることができる。このとき、
2020526990.tif 000023
及び
2020526990.tif 000024
は、図２３乃至図３０のように定義されることができる。
【０１５６】
【数４】
2020526990.tif 000025
【０１５７】
ＯＦＤＭサンプリングレートＦＳがＮＣＢ＊２．６４ＧＨｚであり、サンプル時間区間ＴＳ＝１／ＦＳである場合、時間領域で前記ＥＤＭＧ−ＣＥＦフィールドの送信波形（ｔｒａｎｓｍｉｔ  ｗａｖｅｆｏｒｍ）は、下記数式のように定義されることができる。ここで、ＮＣＢは、連続的なチャネル個数またはボンディングされた（または、結合された）チャネルの個数を示す。
【０１５８】
【数５】
2020526990.tif 000026
【０１５９】
前記数式において、各パラメータは、次のように定義されることができる。
【０１６０】
【数６】
2020526990.tif 000027
【０１６１】
以下では、説明の便宜上、ＯＦＤＭ  ＴＲＮサブフィールドのシーケンスとしてＥＤＭＧ−ＣＥＦフィールドのシーケンスを活用する例示を中心に本発明で提案する構成に対して詳細に説明する。ただし、本発明の他の実施例によると、以下説明の‘ＥＤＭＧ−ＣＥＦシーケンス’は、他のシーケンス（例：ＥＭＤＧ−ＳＴＦシーケンスまたはＰＡＰＲ性能がよい他のシーケンス）に変更されることができる。
【０１６２】
３．１．２．ＯＦＤＭ  ＴＲＮサブフィールドのシンボル長さ
【０１６３】
従来システムではＯＦＤＭモードでないＳＣモードのＴＲＮサブフィールドに対してのみ定義する。このとき、前記ＳＣモードのＴＲＮサブフィールドは、ＴＲＮ＿ＢＬ値によって互いに異なる長さのＴＲＮサブフィールドシーケンスを有することができる。このとき、前記ＴＲＮ＿ＢＬ値は、ＥＤＭＧ  Ｈｅａｄｅｒ−Ａフィールドの‘ＴＲＮ  Ｓｕｂｆｉｅｌｄ  Ｓｅｑｕｅｎｃｅ  Ｌｅｎｇｔｈ  ｆｉｅｌｄ’値によって異なるように設定されることができる。一例として、ＥＤＭＧ−Ｈｅａｄｅｒ−ＡのＴＲＮ  Ｓｕｂｆｉｅｌｄ  Ｓｅｑｕｅｎｃｅ  Ｌｅｎｇｔｈ  ｆｉｅｌｄが０である場合、ＴＲＮ＿ＢＬは１２８に設定され、ＥＤＭＧ−Ｈｅａｄｅｒ−ＡのＴＲＮ  Ｓｕｂｆｉｅｌｄ  Ｓｅｑｕｅｎｃｅ  Ｌｅｎｇｔｈ  ｆｉｅｌｄが１である場合、ＴＲＮ＿ＢＬは２５６に設定され、ＥＤＭＧ−Ｈｅａｄｅｒ−ＡのＴＲＮ  Ｓｕｂｆｉｅｌｄ  Ｓｅｑｕｅｎｃｅ  Ｌｅｎｇｔｈ  ｆｉｅｌｄが２である場合、ＴＲＮ＿ＢＬは６４に設定されることができる。このとき、ＥＤＭＧ−Ｈｅａｄｅｒ−ＡのＴＲＮ  Ｓｕｂｆｉｅｌｄ  Ｓｅｑｕｅｎｃｅ  Ｌｅｎｇｔｈ  ｆｉｅｌｄ値が０である場合は‘Ｎｏｒｍａｌ’、１である場合は‘Ｌｏｎｇ’、２である場合は‘Ｓｈｏｒｔ’を意味することができる。
【０１６４】
ここで、ＳＣモードのＴＲＮシーケンスは、下記数式のように６個のゴレイ相補シーケンス（Ｇｏｌａｙ  ｃｏｍｐｌｅｍｅｎｔａｒｙ  ｓｅｑｕｅｎｃｅ）ＧａとＧｂで構成されることができる。
【０１６５】
【数７】
2020526990.tif 000028
【０１６６】
前記数式において、ｉは、空間時間ストリーム（ｓｐａｃｅ  ｔｉｍｅ  ｓｔｒｅａｍ）または送信チェーン（ｔｒａｎｓｍｉｔ  ｃｈａｉｎ）を意味することができる。
【０１６７】
前述したように、ＥＤＭＧ  Ｈｅａｄｅｒ−ＡのＴＲＮ  Ｓｕｂｆｉｅｌｄ  Ｓｅｑｕｅｎｃｅ  Ｌｅｎｇｔｈ  ｆｉｅｌｄ値によって、ＴＲＮサブフィールドの長さは、異なるように設定されることができる。したがって、各場合によるＴＲＮサブフィールドシーケンスの時間長さ（ｄｕｒａｔｉｏｎ）は、次の通りである。
【０１６８】
−ＥＤＭＧ−Ｈｅａｄｅｒ−ＡのＴＲＮ  Ｓｕｂｆｉｅｌｄ  Ｓｅｑｕｅｎｃｅ  Ｌｅｎｇｔｈ  ｆｉｅｌｄが０である場合、６＊１２８＊Ｔｃ＝７６８＊Ｔｃ
【０１６９】
−ＥＤＭＧ−Ｈｅａｄｅｒ−ＡのＴＲＮ  Ｓｕｂｆｉｅｌｄ  Ｓｅｑｕｅｎｃｅ  Ｌｅｎｇｔｈ  ｆｉｅｌｄが１である場合、６＊２５６＊Ｔｃ＝１５３６＊Ｔｃ
【０１７０】
−ＥＤＭＧ−Ｈｅａｄｅｒ−ＡのＴＲＮ  Ｓｕｂｆｉｅｌｄ  Ｓｅｑｕｅｎｃｅ  Ｌｅｎｇｔｈ  ｆｉｅｌｄが２である場合、６＊６４＊Ｔｃ＝３８４＊Ｔｃ
【０１７１】
ここで、Ｔｃは、ＳＣモードのチップレート（ｃｈｉｐ  ｒａｔｅ）を意味し、０．５７ｎｓ値を有することができる。
【０１７２】
前述したＳＣモードでのＴＲＮサブフィールドシーケンスの時間長さをＯＦＤＭサンプル時間パラメータ（ｓａｍｐｌｅ  ｔｉｍｅ  ｐａｒａｍｅｔｅｒ）であるＴＳを用いて表現すると、次のように表現されることができる。（ＴＣ＝ＴＳ＊３／２、ＴＳ＝０．３８ｎｓ）
【０１７３】
−ＥＤＭＧ−Ｈｅａｄｅｒ−ＡのＴＲＮ  Ｓｕｂｆｉｅｌｄ  Ｓｅｑｕｅｎｃｅ  Ｌｅｎｇｔｈ  ｆｉｅｌｄが０である場合、６＊１２８＊ＴＣ＝１１５２＊ＴＳ
【０１７４】
−ＥＤＭＧ−Ｈｅａｄｅｒ−ＡのＴＲＮ  Ｓｕｂｆｉｅｌｄ  Ｓｅｑｕｅｎｃｅ  Ｌｅｎｇｔｈ  ｆｉｅｌｄが１である場合、６＊２５６＊ＴＣ＝２３０４＊ＴＳ
【０１７５】
−ＥＤＭＧ−Ｈｅａｄｅｒ−ＡのＴＲＮ  Ｓｕｂｆｉｅｌｄ  Ｓｅｑｕｅｎｃｅ  Ｌｅｎｇｔｈ  ｆｉｅｌｄが２である場合、６＊６４＊ＴＣ＝５７６＊ＴＳ
【０１７６】
このように、従来システムではＯＦＤＭモードのＴＲＮサブフィールドのシンボル長さに対して定義しない。したがって、本発明では本発明が適用可能な１１ａｙシステムでＯＦＤＭモードのＴＲＮサブフィールドのシンボル長さで適用可能な例示に対して詳細に説明する。
【０１７７】
本発明に適用可能な８０２．１１ａｙシステムでは１個乃至４個のチャネルがボンディングされたチャネルを介した信号送受信をサポートすることができる。したがって、ボンディングされたチャネル個数によって本発明に適用可能な基本ＯＦＤＭ  ＴＲＮサブフィールド（ｂａｓｉｃ  ＯＦＤＭ  ＴＲＮ  ｓｕｂｆｉｅｌｄ、１個のＯＦＤＭシンボルに対応するＯＦＤＭ  ＴＲＮサブフィールド）は、次のように構成されることができる。
【０１７８】
（１）Ｓｉｎｇｌｅ  ｃｈａｎｎｅｌ
【０１７９】
このとき、ＯＦＤＭモードのサンプル周波数（ｓａｍｐｌｅ  ｆｒｅｑｕｅｎｃｙ）ＦＳは２．６４ＧＨｚであり、サンプル時間（ｓａｍｐｌｅ  ｔｉｍｅ）ＴＳは０．３８ｎｓ（＝Ｔｃ＊２／３）である。
【０１８０】
送信機は、ＯＦＤＭ  ＥＤＭＧ−ＣＥＦに対して５１２  ｐｏｉｎｔ  ＩＤＦＴ（Ｉｎｖｅｒｓｅ  Ｄｉｓｃｒｅｔｅ  Ｆｏｕｒｉｅｒ  Ｔｒａｎｓｆｏｒｍ）を適用してＣＰ（Ｃｙｃｌｉｃ  Ｐｒｅｆｉｘ）を挿入（ｉｎｓｅｒｔｉｏｎ）してＯＦＤＭ  ＴＲＮサブフィールドを構成することができる。
【０１８１】
このとき、前記挿入されるＣＰ長さ（または、サンプル数）として、４８、９６、１９２、３２、６４、１２８サンプルが適用されることができる。即ち、時間領域での前記挿入されるＣＰ長さは、４８＊ＴＳ、９６＊ＴＳ、１９２＊ＴＳ（＝７２．７２ｎｓ）、３２＊ＴＳ、６４＊ＴＳ、１２８＊ＴＳである。この場合、１個のＯＦＤＭシンボルに対する総サンプル個数は、５６０、６０８、７０４、５４４、５７６、６４０である。また、この場合、時間領域での各ＴＲＮサブフィールドの長さは、５６０＊ＴＳ、６０８＊ＴＳ、７０４＊ＴＳ、５４４＊ＴＳ、５７６＊ＴＳ、６４０＊ＴＳである。
【０１８２】
（２）２  ｃｈａｎｎｅｌ  ｂｏｎｄｉｎｇ
【０１８３】
このとき、ＯＦＤＭモードのサンプル周波数ＦＳは５．２８ＧＨｚであり、サンプル時間ＴＳは０．１９ｎｓ（＝Ｔｃ／３）である。
【０１８４】
送信機は、ＯＦＤＭ  ＥＤＭＧ−ＣＥＦに対して１０２４  ｐｏｉｎｔ  ＩＤＦＴを適用してＣＰを挿入してＯＦＤＭ  ＴＲＮサブフィールドを構成することができる。
【０１８５】
このとき、前記挿入されるＣＰ長さ（または、サンプル数）として、９６、１９２、３８４、６４、１２８、２５６サンプルが適用されることができる。即ち、時間領域での前記挿入されるＣＰ長さは、９６＊ＴＳ、１９２＊ＴＳ、３８４＊ＴＳ（＝７２．７２ｎｓ）、６４＊ＴＳ、１２８＊ＴＳ、２５６＊ＴＳである。この場合、１個のＯＦＤＭシンボルに対する総サンプル個数は、１１２０、１２１６、１４０８、１０８８、１１５２、１２８０である。また、この場合、時間領域での各ＴＲＮサブフィールドの長さは、１１２０＊ＴＳ、１２１６＊ＴＳ、１４０８＊ＴＳ、１０８８＊ＴＳ、１１５２＊ＴＳ、１２８０＊ＴＳである。
【０１８６】
（３）３  ｃｈａｎｎｅｌ  ｂｏｎｄｉｎｇ
【０１８７】
このとき、ＯＦＤＭモードのサンプル周波数ＦＳは７．９２ＧＨｚであり、サンプル時間ＴＳは０．１３ｎｓ（＝２＊Ｔｃ／９）である。
【０１８８】
送信機は、ＯＦＤＭ  ＥＤＭＧ−ＣＥＦに対して１５３６  ｐｏｉｎｔ  ＩＤＦＴを適用してＣＰを挿入してＯＦＤＭ  ＴＲＮサブフィールドを構成することができる。
【０１８９】
このとき、前記挿入されるＣＰ長さ（または、サンプル数）として、１４４、２８８、５７６、９６、１９２、３８４サンプルが適用されることができる。即ち、時間領域での前記挿入されるＣＰ長さは、１４４＊ＴＳ、２８８＊ＴＳ、５７６＊ＴＳ（＝７２．７２ｎｓ）、９６＊ＴＳ、１９２＊ＴＳ、３８４＊ＴＳである。この場合、１個のＯＦＤＭシンボルに対する総サンプル個数は、１６８０、１８２４、２１１２、１６３２、１７２８、１９２０である。また、この場合、時間領域での各ＴＲＮサブフィールドの長さは、１６８０＊ＴＳ、１８２４＊ＴＳ、２１１２＊ＴＳ、１６３２＊ＴＳ、１７２８＊ＴＳ、１９２０＊ＴＳである。
【０１９０】
（４）４  ｃｈａｎｎｅｌ  ｂｏｎｄｉｎｇ
【０１９１】
このとき、ＯＦＤＭモードのサンプル周波数ＦＳは１０．５６ＧＨｚであり、サンプル時間ＴＳは０．０９ｎｓ（＝Ｔｃ／６）である。
【０１９２】
送信機は、ＯＦＤＭ  ＥＤＭＧ−ＣＥＦに対して２０４８  ｐｏｉｎｔ  ＩＤＦＴを適用してＣＰを挿入してＯＦＤＭ  ＴＲＮサブフィールドを構成することができる。
【０１９３】
このとき、前記挿入されるＣＰ長さ（または、サンプル数）として、１９２、３８４、７６８、１２８、２５６、５１２サンプルが適用されることができる。即ち、時間領域での前記挿入されるＣＰ長さは、１９２＊ＴＳ、３８４＊ＴＳ、７６８＊ＴＳ（＝７２．７２ｎｓ）、１２８＊ＴＳ、２５６＊ＴＳ、５１２＊ＴＳである。この場合、１個のＯＦＤＭシンボルに対する総サンプル個数は、２２４０、２４３２、２８１６、２１７６、２３０４、２５６０である。また、この場合、時間領域での各ＴＲＮサブフィールドの長さは、２２４０＊ＴＳ、２４３２＊ＴＳ、２８１６＊ＴＳ、２１７６＊ＴＳ、２３０４＊ＴＳ、２５６０＊ＴＳである。
【０１９４】
本発明によると、送信機は、前述した全てのＣＰサンプル個数によるＣＰ＋ＩＤＦＴ（ＯＦＤＭ  ＥＤＭＧ−ＣＥＦ）構造を用いて一つのＯＦＤＭシンボルに対応するＯＦＤＭ  ＴＲＮサブフィールドを構成することができる。
【０１９５】
また、ＳＣモードの場合と同様に、ＥＤＭＧ  ＯＦＤＭ  ＰＰＤＵのＨｅａｄｅｒ−Ａフィールドは、ＴＲＮフィールドの長さを指示するフィールド（例：ＴＲＮ  Ｓｕｂｆｉｅｌｄ  Ｓｅｑｕｅｎｃｅ  Ｌｅｎｇｔｈフィールド）を含むことができる。したがって、以下では前記フィールドの値によってＴＲＮサブフィールドを構成する方法に対して詳細に説明する。
【０１９６】
本発明において、前記フィールドの値によるＴＲＮサブフィールドは、基本ＴＲＮサブフィールド構造（ＣＰ＋ＩＤＦＴ（ＯＦＤＭ  ＥＤＭＧ−ＣＥＦ））が１乃至５回繰り返しされて構成されることができる。したがって、以下ではＳＣモードと同様に、ＥＭＤＧ  Ｈｅａｄｅｒ−Ａフィールドの‘ＴＲＮ  Ｓｕｂｆｉｅｌｄ  Ｓｅｑｕｅｎｃｅ  Ｌｅｎｇｔｈ  ｆｉｅｌｄ’値によって適用可能なＴＲＮサブフィールド構造（例：ＴＲＮサブフィールドのシンボル長さ）に対して詳細に説明する。
【０１９７】
１）ＥＤＭＧ−Ｈｅａｄｅｒ−ＡのＴＲＮ  Ｓｕｂｆｉｅｌｄ  Ｓｅｑｕｅｎｃｅ  Ｌｅｎｇｔｈ  ｆｉｅｌｄが０である場合（ＴＲＮ＿ＢＬは１２８、１１５２＊ＴＳ）
【０１９８】
図３１は、１個のＯＦＤＭシンボルに対応するＴＲＮサブフィールド構造を示す。
【０１９９】
図３１に示すように、ＥＤＭＧ−Ｈｅａｄｅｒ−ＡのＴＲＮ  Ｓｕｂｆｉｅｌｄ  Ｓｅｑｕｅｎｃｅ  Ｌｅｎｇｔｈ  ｆｉｅｌｄが０である場合、対応するＴＲＮサブフィールド構造は、一つのＯＦＤＭシンボルに対応するＴＲＮサブフィールド構造（即ち、一つの基本ＯＦＤＭ  ＴＲＮサブフィールドで構成）で構成されることができる。
【０２００】
図３２及び図３３は、２個のＯＦＤＭシンボルに対応するＴＲＮサブフィールド構造を示す。
【０２０１】
図３２及び図３３に示すように、ＥＤＭＧ−Ｈｅａｄｅｒ−ＡのＴＲＮ  Ｓｕｂｆｉｅｌｄ  Ｓｅｑｕｅｎｃｅ  Ｌｅｎｇｔｈ  ｆｉｅｌｄが０である場合、対応するＴＲＮサブフィールド構造は、２個のＯＦＤＭシンボルに対応するＴＲＮサブフィールド構造（即ち、２個の基本ＯＦＤＭ  ＴＲＮサブフィールドで構成）で構成されることができる。
【０２０２】
このとき、図３２のように各シンボル別ＣＰが２回使われ、または図３３のように２個のＯＦＤＭシンボルにわたって一つのＣＰのみが使われることができる。
【０２０３】
図３４は、３個のＯＦＤＭシンボルに対応するＴＲＮサブフィールド構造を示す。
【０２０４】
図３４に示すように、ＥＤＭＧ−Ｈｅａｄｅｒ−ＡのＴＲＮ  Ｓｕｂｆｉｅｌｄ  Ｓｅｑｕｅｎｃｅ  Ｌｅｎｇｔｈ  ｆｉｅｌｄが０である場合、対応するＴＲＮサブフィールド構造は、３個のＯＦＤＭシンボルに対応するＴＲＮサブフィールド構造（即ち、３個の基本ＯＦＤＭ  ＴＲＮサブフィールドで構成）で構成されることができる。
【０２０５】
図３５及び図３６は、４個のＯＦＤＭシンボルに対応するＴＲＮサブフィールド構造を示す。
【０２０６】
図３６に示すように、ＥＤＭＧ−Ｈｅａｄｅｒ−ＡのＴＲＮ  Ｓｕｂｆｉｅｌｄ  Ｓｅｑｕｅｎｃｅ  Ｌｅｎｇｔｈ  ｆｉｅｌｄが０である場合、対応するＴＲＮサブフィールド構造は、４個のＯＦＤＭシンボルに対応するＴＲＮサブフィールド構造（即ち、４個の基本ＯＦＤＭ  ＴＲＮサブフィールドで構成）で構成されることができる。
【０２０７】
このとき、図３５のように各シンボル別ＣＰが４回使われ、または図３６のように４個のＯＦＤＭシンボルにわたって２個のＣＰのみが使われることができる。
【０２０８】
２）ＥＤＭＧ−Ｈｅａｄｅｒ−ＡのＴＲＮ  Ｓｕｂｆｉｅｌｄ  Ｓｅｑｕｅｎｃｅ  Ｌｅｎｇｔｈ  ｆｉｅｌｄが１である場合（ＴＲＮ＿ＢＬは２５６、２３０４＊ＴＳ）
【０２０９】
ＥＤＭＧ−Ｈｅａｄｅｒ−ＡのＴＲＮ  Ｓｕｂｆｉｅｌｄ  Ｓｅｑｕｅｎｃｅ  Ｌｅｎｇｔｈ  ｆｉｅｌｄが１である場合、図３１乃至図３６に示すように、対応するＴＲＮサブフィールドは、一つのＯＦＤＭシンボルに対応するＴＲＮサブフィールド構造（即ち、一つの基本ＯＦＤＭ  ＴＲＮサブフィールドで構成）、２個のＯＦＤＭシンボルに対応するＴＲＮサブフィールド構造（即ち、２個の基本ＯＦＤＭ  ＴＲＮサブフィールドで構成）、３個のＯＦＤＭシンボルに対応するＴＲＮサブフィールド構造（即ち、３個の基本ＯＦＤＭ  ＴＲＮサブフィールドで構成）または４個のＯＦＤＭシンボルに対応するＴＲＮサブフィールド構造（即ち、４個の基本ＯＦＤＭ  ＴＲＮサブフィールドで構成）で構成されることができる。
【０２１０】
追加的に、ＥＤＭＧ−Ｈｅａｄｅｒ−ＡのＴＲＮ  Ｓｕｂｆｉｅｌｄ  Ｓｅｑｕｅｎｃｅ  Ｌｅｎｇｔｈ  ｆｉｅｌｄが１である場合、対応するＴＲＮサブフィールドは、図３７または図３８のように５個のＯＦＤＭシンボルまたは６個のＯＦＤＭシンボルに対応するＴＲＮサブフィールド構造で構成されることができる。
【０２１１】
図３７は、５個のＯＦＤＭシンボルに対応するＴＲＮサブフィールド構造を示す。
【０２１２】
図３７に示すように、ＥＤＭＧ−Ｈｅａｄｅｒ−ＡのＴＲＮ  Ｓｕｂｆｉｅｌｄ  Ｓｅｑｕｅｎｃｅ  Ｌｅｎｇｔｈ  ｆｉｅｌｄが１である場合、対応するＴＲＮサブフィールド構造（即ち、５個の基本ＯＦＤＭ  ＴＲＮサブフィールドで構成）は、５個のＯＦＤＭシンボルに対応するＴＲＮサブフィールド構造で構成されることができる。
【０２１３】
図３８は、６個のＯＦＤＭシンボルに対応するＴＲＮサブフィールド構造を示す。
【０２１４】
図３８に示すように、ＥＤＭＧ−Ｈｅａｄｅｒ−ＡのＴＲＮ  Ｓｕｂｆｉｅｌｄ  Ｓｅｑｕｅｎｃｅ  Ｌｅｎｇｔｈ  ｆｉｅｌｄが１である場合、対応するＴＲＮサブフィールド構造（即ち、６個の基本ＯＦＤＭ  ＴＲＮサブフィールドで構成）は、６個のＯＦＤＭシンボルに対応するＴＲＮサブフィールド構造で構成されることができる。
【０２１５】
３）ＥＤＭＧ−Ｈｅａｄｅｒ−ＡのＴＲＮ  Ｓｕｂｆｉｅｌｄ  Ｓｅｑｕｅｎｃｅ  Ｌｅｎｇｔｈ  ｆｉｅｌｄが２である場合（ＴＲＮ＿ＢＬは６４、５７６＊ＴＳ）。
【０２１６】
ＥＤＭＧ−Ｈｅａｄｅｒ−ＡのＴＲＮ  Ｓｕｂｆｉｅｌｄ  Ｓｅｑｕｅｎｃｅ  Ｌｅｎｇｔｈ  ｆｉｅｌｄが２である場合、図３１乃至図３３に示すように、対応するＴＲＮサブフィールドは、一つのＯＦＤＭシンボルに対応するＴＲＮサブフィールド構造（即ち、一つの基本ＯＦＤＭ  ＴＲＮサブフィールドで構成）または２個のＯＦＤＭシンボルに対応するＴＲＮサブフィールド構造（即ち、２個の基本ＯＦＤＭ  ＴＲＮサブフィールドで構成）で構成されることができる。
【０２１７】
本発明が適用可能な好ましい実施例において、ＥＤＭＧ  Ｈｅａｄｅｒ−ＡフィールドのＴＲＮ  Ｓｕｂｆｉｅｌｄ  Ｓｅｑｕｅｎｃｅ  Ｌｅｎｇｔｈ  ｆｉｅｌｄの値によるＴＲＮサブフィールド構造（即ち、前記基本ＴＲＮサブフィールド構造が一定回数繰り返しされる構造）は、ＳＣモードのＴＲＮサブフィールドと時間領域で整列（ａｌｉｇｎ）されるように決定されることができる。
【０２１８】
一例として、Ｎｏｒｍａｌである場合（即ち、ＥＤＭＧ−Ｈｅａｄｅｒ−ＡのＴＲＮ  Ｓｕｂｆｉｅｌｄ  Ｓｅｑｕｅｎｃｅ  Ｌｅｎｇｔｈ  ｆｉｅｌｄが０である場合）ＳＣモードのＴＲＮサブフィールドとＯＦＤＭモードのＴＲＮサブフィールドとの間の時間領域での整列（ａｌｉｇｎ）を考慮すると、前記Ｎｏｒｍａｌである場合に対応するＯＦＤＭモードのＴＲＮサブフィールドは、一つのＯＦＤＭシンボル［７２．７２ｎｓ長さであるｌｏｎｇ  ＧＩ（Ｇｕａｒｄ  Ｉｎｔｅｒｖａｌ）が使われる場合、７０４＊ＴＳ］または２個のＯＦＤＭシンボル［７２．７２ｎｓ長さであるｌｏｎｇ  ＧＩ（Ｇｕａｒｄ  Ｉｎｔｅｒｖａｌ）が使われる場合、１４０８＊ＴＳ］で構成されることができる。
【０２１９】
このとき、ＳＣモードの場合と同様に、ＥＤＭＧ  Ｈｅａｄｅｒ−ＡフィールドのＴＲＮ  Ｓｕｂｆｉｅｌｄ  Ｓｅｑｕｅｎｃｅ  Ｌｅｎｇｔｈ  ｆｉｅｌｄが指示する値によって、ＯＦＤＭ  ＴＲＮサブフィールドをＮｏｒｍａｌ／Ｓｈｏｒｔ／Ｌｏｎｇ構造に容易に構成可能にするために、Ｎｏｒｍａｌである場合、ＴＲＮサブフィールド構造は、２個のＯＦＤＭシンボル長さで構成されることができる。
【０２２０】
即ち、本発明に適用可能な好ましい実施例によると、ＥＤＭＧ−Ｈｅａｄｅｒ−ＡのＴＲＮ  Ｓｕｂｆｉｅｌｄ  Ｓｅｑｕｅｎｃｅ  Ｌｅｎｇｔｈ  ｆｉｅｌｄが０である場合、ＴＲＮサブフィールドが図３２のような２個のＯＦＤＭシンボルに対応するＴＲＮサブフィールド構造で構成され、ＥＤＭＧ−Ｈｅａｄｅｒ−ＡのＴＲＮ  Ｓｕｂｆｉｅｌｄ  Ｓｅｑｕｅｎｃｅ  Ｌｅｎｇｔｈ  ｆｉｅｌｄが１である場合、ＴＲＮサブフィールドが図３５のような４個のＯＦＤＭシンボルに対応するＴＲＮサブフィールド構造で構成され、ＥＤＭＧ−Ｈｅａｄｅｒ−ＡのＴＲＮ  Ｓｕｂｆｉｅｌｄ  Ｓｅｑｕｅｎｃｅ  Ｌｅｎｇｔｈ  ｆｉｅｌｄが０である場合、ＴＲＮサブフィールドが図３１のような一つのＯＦＤＭシンボルに対応するＴＲＮサブフィールド構造で構成されることができる。
【０２２１】
このような構成を介して、時間領域でＯＦＤＭモードのＴＲＮサブフィールドとＳＣモードのＴＲＮサブフィールドの時間長さは、整列（ａｌｉｇｎ）されることができる。
【０２２２】
前述したように、Ｓｉｎｇｌｅ  ｃｈａｎｎｅｌの場合は５１２  ｐｏｉｎｔ  ＩＤＦＴ、２  ｃｈａｎｎｅｌ  ｂｏｎｄｉｎｇの場合は１０２４  ｐｏｉｎｔ  ＩＤＦＴ、３  ｃｈａｎｎｅｌ  ｂｏｎｄｉｎｇの場合は１５３６  ｐｏｉｎｔ  ＩＤＦＴ、４  ｃｈａｎｎｅｌ  ｂｏｎｄｉｎｇの場合は２０４８  ｐｏｉｎｔ  ＩＤＦＴが適用されることができる。また、各々の場合に対して適用可能なＣＰサンプル個数として、ｓｉｎｇｌｅ  ｃｈａｎｎｅｌ  ｂｏｎｄｉｎｇの場合は４８、９６、１９２、３２、６４、１２８、２  ｃｈａｎｎｅｌ  ｂｏｎｄｉｎｇの場合は９６、１９２、３８４、６４、１２８、２５６、３  ｃｈａｎｎｅｌ  ｂｏｎｄｉｎｇの場合は１４４、２８８、５７６、９６、１９２、３８４、４  ｃｈａｎｎｅｌ  ｂｏｎｄｉｎｇの場合は１９２、３８４、７６８、１２８、２５６、５１２のＣＰサンプル個数が適用されることができる。
【０２２３】
本発明において、一つのＯＦＤＭシンボルに対応するＴＲＮサブフィールド構造が繰り返しされてＴＲＮサブフィールドを構成するにあたって、ＣＰとＩＤＦＴ（ＯＦＤＭ  ＥＤＭＧ−ＣＥＦ）の順序は、多様に変更されることができる。
【０２２４】
３．１．３．多重ストリームでのＯＦＤＭ  ＴＲＮフィールド構造
【０２２５】
本発明に適用可能な１１ａｙシステムではＭＩＭＯ（Ｍｕｌｔｉｐｌｅ  Ｉｎｐｕｔ  Ｍｕｌｔｉｐｌｅ  Ｏｕｔｐｕｔ）をサポートするために最大８個の空間時間ストリームをサポートすることができる。したがって、以下ではサポートする総ストリームの個数によるＯＦＤＭ  ＴＲＮサブフィールドの構造に対して詳細に説明する。
【０２２６】
説明の便宜上、以下ではｉ番目の空間時間ストリームのＯＦＤＭ  ＥＤＭＧ−ＣＥＦに対してＩＤＦＴ適用後ＣＰ挿入を介して取得した一つのＯＦＤＭシンボルに対応するＴＲＮサブフィールド構造をＥＤＭＧ−Ｈｅａｄｅｒ−ＡのＴＲＮ  Ｓｕｂｆｉｅｌｄ  Ｓｅｑｕｅｎｃｅ  Ｌｅｎｇｔｈ  ｆｉｅｌｄの値によって１回、２回または４回繰り返した信号をＯＦＤＭ＿ＴＲＮ＿ｂａｓｉｃ＿ｉと仮定する。
【０２２７】
それによって、総空間時間ストリームの個数によるＯＦＤＭ  ＴＲＮサブフィールドは、次のように定義されることができる。
【０２２８】
（１）Ｎｓｔｓ＝１（ｔｏｔａｌ  ｎｕｍｂｅｒ  ｏｆ  ｓｔｒｅａｍ：１）
【０２２９】
ＯＦＤＭ＿ＴＲＮ＿ｓｕｂｆｉｅｌｄ＿１＝［ＯＦＤＭ＿ＴＲＮ＿ｂａｓｉｃ＿１］
【０２３０】
または
【０２３１】
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１］
【０２３２】
（２）Ｎｓｔｓ＝２（ｔｏｔａｌ  ｎｕｍｂｅｒ  ｏｆ  ｓｔｒｅａｍ：２）
【０２３３】
ＯＦＤＭ＿ＴＲＮ＿ｓｕｂｆｉｅｌｄ＿１＝［ＯＦＤＭ＿ＴＲＮ＿ｂａｓｉｃ＿１］
【０２３４】
ＯＦＤＭ＿ＴＲＮ＿ｓｕｂｆｉｅｌｄ＿２＝［ＯＦＤＭ＿ＴＲＮ＿ｂａｓｉｃ＿２］
【０２３５】
または
【０２３６】
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１］
【０２３７】
ＯＦＤＭ＿ＴＲＮ＿ｓｕｂｆｉｅｌｄ＿２＝［ＯＦＤＭ＿ＴＲＮ＿ｂａｓｉｃ＿２、ＯＦＤＭ＿ＴＲＮ＿ｂａｓｉｃ＿２］
【０２３８】
（３）Ｎｓｔｓ＝３（ｔｏｔａｌ  ｎｕｍｂｅｒ  ｏｆ  ｓｔｒｅａｍ：３）（ｗ３＝ｅｘｐ（−ｊ＊２＊ｐｉ／３））
【０２３９】
ＯＦＤＭ＿ＴＲＮ＿ｓｕｂｆｉｅｌｄ＿１＝［ＯＦＤＭ＿ＴＲＮ＿ｂａｓｉｃ＿１、ＯＦＤＭ＿ＴＲＮ＿ｂａｓｉｃ＿１］
【０２４０】
ＯＦＤＭ＿ＴＲＮ＿ｓｕｂｆｉｅｌｄ＿２＝［ＯＦＤＭ＿ＴＲＮ＿ｂａｓｉｃ＿２、ＯＦＤＭ＿ＴＲＮ＿ｂａｓｉｃ＿２］
【０２４１】
ＯＦＤＭ＿ＴＲＮ＿ｓｕｂｆｉｅｌｄ＿３＝［ＯＦＤＭ＿ＴＲＮ＿ｂａｓｉｃ＿３、−ＯＦＤＭ＿ＴＲＮ＿ｂａｓｉｃ＿３］
【０２４２】
または
【０２４３】
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１］
【０２４４】
ＯＦＤＭ＿ＴＲＮ＿ｓｕｂｆｉｅｌｄ＿２＝［ＯＦＤＭ＿ＴＲＮ＿ｂａｓｉｃ＿２、−ｗ３１＊ＯＦＤＭ＿ＴＲＮ＿ｂａｓｉｃ＿２、ｗ３２＊ＯＦＤＭ＿ＴＲＮ＿ｂａｓｉｃ＿２］
【０２４５】
ＯＦＤＭ＿ＴＲＮ＿ｓｕｂｆｉｅｌｄ＿３＝［ＯＦＤＭ＿ＴＲＮ＿ｂａｓｉｃ＿３、−ｗ３３＊ＯＦＤＭ＿ＴＲＮ＿ｂａｓｉｃ＿３、ｗ３４＊ＯＦＤＭ＿ＴＲＮ＿ｂａｓｉｃ＿３］
【０２４６】
または
【０２４７】
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１］
【０２４８】
ＯＦＤＭ＿ＴＲＮ＿ｓｕｂｆｉｅｌｄ＿２＝［ＯＦＤＭ＿ＴＲＮ＿ｂａｓｉｃ＿２、ＯＦＤＭ＿ＴＲＮ＿ｂａｓｉｃ＿２、−ＯＦＤＭ＿ＴＲＮ＿ｂａｓｉｃ＿２、ＯＦＤＭ＿ＴＲＮ＿ｂａｓｉｃ＿２］
【０２４９】
ＯＦＤＭ＿ＴＲＮ＿ｓｕｂｆｉｅｌｄ＿３＝［ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３］
【０２５０】
（４）Ｎｓｔｓ＝４（ｔｏｔａｌ  ｎｕｍｂｅｒ  ｏｆ  ｓｔｒｅａｍ：４）（ｗ４＝ｅｘｐ（−ｊ＊２＊ｐｉ／４））
【０２５１】
ＯＦＤＭ＿ＴＲＮ＿ｓｕｂｆｉｅｌｄ＿１＝［ＯＦＤＭ＿ＴＲＮ＿ｂａｓｉｃ＿１、ＯＦＤＭ＿ＴＲＮ＿ｂａｓｉｃ＿１］
【０２５２】
ＯＦＤＭ＿ＴＲＮ＿ｓｕｂｆｉｅｌｄ＿２＝［ＯＦＤＭ＿ＴＲＮ＿ｂａｓｉｃ＿２、ＯＦＤＭ＿ＴＲＮ＿ｂａｓｉｃ＿２］
【０２５３】
ＯＦＤＭ＿ＴＲＮ＿ｓｕｂｆｉｅｌｄ＿３＝［ＯＦＤＭ＿ＴＲＮ＿ｂａｓｉｃ＿３、−ＯＦＤＭ＿ＴＲＮ＿ｂａｓｉｃ＿３］
【０２５４】
ＯＦＤＭ＿ＴＲＮ＿ｓｕｂｆｉｅｌｄ＿４＝［ＯＦＤＭ＿ＴＲＮ＿ｂａｓｉｃ＿４、−ＯＦＤＭ＿ＴＲＮ＿ｂａｓｉｃ＿４］
【０２５５】
または
【０２５６】
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１］
【０２５７】
ＯＦＤＭ＿ＴＲＮ＿ｓｕｂｆｉｅｌｄ＿２＝［ＯＦＤＭ＿ＴＲＮ＿ｂａｓｉｃ＿２、−ｗ４１＊ＯＦＤＭ＿ＴＲＮ＿ｂａｓｉｃ＿２、ｗ４２＊ＯＦＤＭ＿ＴＲＮ＿ｂａｓｉｃ＿２、ｗ４３＊ＯＦＤＭ＿ＴＲＮ＿ｂａｓｉｃ＿２］
【０２５８】
ＯＦＤＭ＿ＴＲＮ＿ｓｕｂｆｉｅｌｄ＿３＝［ＯＦＤＭ＿ＴＲＮ＿ｂａｓｉｃ＿３、−ｗ４４＊ＯＦＤＭ＿ＴＲＮ＿ｂａｓｉｃ＿３、ｗ４５＊ＯＦＤＭ＿ＴＲＮ＿ｂａｓｉｃ＿３、ｗ４６＊ＯＦＤＭ＿ＴＲＮ＿ｂａｓｉｃ＿３］
【０２５９】
ＯＦＤＭ＿ＴＲＮ＿ｓｕｂｆｉｅｌｄ＿４＝［ＯＦＤＭ＿ＴＲＮ＿ｂａｓｉｃ＿４、−ｗ４７＊ＯＦＤＭ＿ＴＲＮ＿ｂａｓｉｃ＿４、ｗ４８＊ＯＦＤＭ＿ＴＲＮ＿ｂａｓｉｃ＿４、ｗ４９＊ＯＦＤＭ＿ＴＲＮ＿ｂａｓｉｃ＿４］
【０２６０】
または
【０２６１】
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１］
【０２６２】
ＯＦＤＭ＿ＴＲＮ＿ｓｕｂｆｉｅｌｄ＿２＝［ＯＦＤＭ＿ＴＲＮ＿ｂａｓｉｃ＿２、ＯＦＤＭ＿ＴＲＮ＿ｂａｓｉｃ＿２、−ＯＦＤＭ＿ＴＲＮ＿ｂａｓｉｃ＿２、ＯＦＤＭ＿ＴＲＮ＿ｂａｓｉｃ＿２］
【０２６３】
ＯＦＤＭ＿ＴＲＮ＿ｓｕｂｆｉｅｌｄ＿３＝［ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３］
【０２６４】
ＯＦＤＭ＿ＴＲＮ＿ｓｕｂｆｉｅｌｄ＿４＝［−ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４］
【０２６５】
（５）Ｎｓｔｓ＝５（ｔｏｔａｌ  ｎｕｍｂｅｒ  ｏｆ  ｓｔｒｅａｍ：５）（ｗ５＝ｅｘｐ（−ｊ＊２＊ｐｉ／５）、ｗ６＝ｅｘｐ（−ｊ＊２＊ｐｉ／６））
【０２６６】
ＯＦＤＭ＿ＴＲＮ＿ｓｕｂｆｉｅｌｄ＿１＝［ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１］
【０２６７】
ＯＦＤＭ＿ＴＲＮ＿ｓｕｂｆｉｅｌｄ＿２＝［ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２］
【０２６８】
ＯＦＤＭ＿ＴＲＮ＿ｓｕｂｆｉｅｌｄ＿３＝［ＯＦＤＭ＿ＴＲＮ＿ｂａｓｉｃ＿３、−ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３］
【０２６９】
ＯＦＤＭ＿ＴＲＮ＿ｓｕｂｆｉｅｌｄ＿４＝［ＯＦＤＭ＿ＴＲＮ＿ｂａｓｉｃ＿４、−ＯＦＤＭ＿ＴＲＮ＿ｂａｓｉｃ＿４、ＯＦＤＭ＿ＴＲＮ＿ｂａｓｉｃ＿４、−ＯＦＤＭ＿ＴＲＮ＿ｂａｓｉｃ＿４］
【０２７０】
ＯＦＤＭ＿ＴＲＮ＿ｓｕｂｆｉｅｌｄ＿５＝［ＯＦＤＭ＿ＴＲＮ＿ｂａｓｉｃ＿５、ＯＦＤＭ＿ＴＲＮ＿ｂａｓｉｃ＿５、−ＯＦＤＭ＿ＴＲＮ＿ｂａｓｉｃ＿５、−ＯＦＤＭ＿ＴＲＮ＿ｂａｓｉｃ＿５］
【０２７１】
または
【０２７２】
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、−ＯＦＤＭ＿ＴＲＮ＿ｂａｓｉｃ＿１］
【０２７３】
ＯＦＤＭ＿ＴＲＮ＿ｓｕｂｆｉｅｌｄ＿２＝［ＯＦＤＭ＿ＴＲＮ＿ｂａｓｉｃ＿２、−ｗ６１＊ＯＦＤＭ＿ＴＲＮ＿ｂａｓｉｃ＿２、ｗ６２＊ＯＦＤＭ＿ＴＲＮ＿ｂａｓｉｃ＿２、ｗ６３＊ＯＦＤＭ＿ＴＲＮ＿ｂａｓｉｃ＿２、ｗ６４＊ＯＦＤＭ＿ＴＲＮ＿ｂａｓｉｃ＿２、−ｗ６５＊ＯＦＤＭ＿ＴＲＮ＿ｂａｓｉｃ＿２］
【０２７４】
ＯＦＤＭ＿ＴＲＮ＿ｓｕｂｆｉｅｌｄ＿３＝［ＯＦＤＭ＿ＴＲＮ＿ｂａｓｉｃ＿３、−ｗ６２＊ＯＦＤＭ＿ＴＲＮ＿ｂａｓｉｃ＿３、ｗ６４＊ＯＦＤＭ＿ＴＲＮ＿ｂａｓｉｃ＿３、ｗ６６＊ＯＦＤＭ＿ＴＲＮ＿ｂａｓｉｃ＿３、ｗ６８＊ＯＦＤＭ＿ＴＲＮ＿ｂａｓｉｃ＿３−ｗ６１０＊ＯＦＤＭ＿ＴＲＮ＿ｂａｓｉｃ＿３］
【０２７５】
ＯＦＤＭ＿ＴＲＮ＿ｓｕｂｆｉｅｌｄ＿４＝［ＯＦＤＭ＿ＴＲＮ＿ｂａｓｉｃ＿４、−ｗ６３＊ＯＦＤＭ＿ＴＲＮ＿ｂａｓｉｃ＿４、ｗ６６＊ＯＦＤＭ＿ＴＲＮ＿ｂａｓｉｃ＿４、ｗ６９＊ＯＦＤＭ＿ＴＲＮ＿ｂａｓｉｃ＿４、ｗ６１２＊ＯＦＤＭ＿ＴＲＮ＿ｂａｓｉｃ＿４−ｗ６１５＊ＯＦＤＭ＿ＴＲＮ＿ｂａｓｉｃ＿４］
【０２７６】
ＯＦＤＭ＿ＴＲＮ＿ｓｕｂｆｉｅｌｄ＿５＝［ＯＦＤＭ＿ＴＲＮ＿ｂａｓｉｃ＿５、−ｗ６４＊ＯＦＤＭ＿ＴＲＮ＿ｂａｓｉｃ＿５、ｗ６８＊ＯＦＤＭ＿ＴＲＮ＿ｂａｓｉｃ＿５、ｗ６１２＊ＯＦＤＭ＿ＴＲＮ＿ｂａｓｉｃ＿５、ｗ６１６＊ＯＦＤＭ＿ＴＲＮ＿ｂａｓｉｃ＿５−ｗ６２０＊ＯＦＤＭ＿ＴＲＮ＿ｂａｓｉｃ＿５］
【０２７７】
または
【０２７８】
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１］
【０２７９】
ＯＦＤＭ＿ＴＲＮ＿ｓｕｂｆｉｅｌｄ＿２＝［ＯＦＤＭ＿ＴＲＮ＿ｂａｓｉｃ＿２、ＯＦＤＭ＿ＴＲＮ＿ｂａｓｉｃ＿２、−ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２、−ＯＦＤＭ＿ＴＲＮ＿ｂａｓｉｃ＿２、ＯＦＤＭ＿ＴＲＮ＿ｂａｓｉｃ＿２］
【０２８０】
ＯＦＤＭ＿ＴＲＮ＿ｓｕｂｆｉｅｌｄ＿３＝［ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３］
【０２８１】
ＯＦＤＭ＿ＴＲＮ＿ｓｕｂｆｉｅｌｄ＿４＝［−ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、−ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４］
【０２８２】
ＯＦＤＭ＿ＴＲＮ＿ｓｕｂｆｉｅｌｄ＿５＝［ＯＦＤＭ＿ＴＲＮ＿ｂａｓｉｃ＿５、−ＯＦＤＭ＿ＴＲＮ＿ｂａｓｉｃ＿５、ＯＦＤＭ＿ＴＲＮ＿ｂａｓｉｃ＿５、ＯＦＤＭ＿ＴＲＮ＿ｂａｓｉｃ＿５、−ＯＦＤＭ＿ＴＲＮ＿ｂａｓｉｃ＿５、ＯＦＤＭ＿ＴＲＮ＿ｂａｓｉｃ＿５、−ＯＦＤＭ＿ＴＲＮ＿ｂａｓｉｃ＿５、−ＯＦＤＭ＿ＴＲＮ＿ｂａｓｉｃ＿５］
【０２８３】
または
【０２８４】
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１］
【０２８５】
ＯＦＤＭ＿ＴＲＮ＿ｓｕｂｆｉｅｌｄ＿２＝［ＯＦＤＭ＿ＴＲＮ＿ｂａｓｉｃ＿２、−ｗ５１＊ＯＦＤＭ＿ＴＲＮ＿ｂａｓｉｃ＿２、ｗ５２＊ＯＦＤＭ＿ＴＲＮ＿ｂａｓｉｃ＿２、ｗ５３＊ＯＦＤＭ＿ＴＲＮ＿ｂａｓｉｃ＿２、ｗ５４＊ＯＦＤＭ＿ＴＲＮ＿ｂａｓｉｃ＿２］
【０２８６】
ＯＦＤＭ＿ＴＲＮ＿ｓｕｂｆｉｅｌｄ＿３＝［ＯＦＤＭ＿ＴＲＮ＿ｂａｓｉｃ＿３、−ｗ５５＊ＯＦＤＭ＿ＴＲＮ＿ｂａｓｉｃ＿３、ｗ５６＊ＯＦＤＭ＿ＴＲＮ＿ｂａｓｉｃ＿３、ｗ５７＊ＯＦＤＭ＿ＴＲＮ＿ｂａｓｉｃ＿３、ｗ５８＊ＯＦＤＭ＿ＴＲＮ＿ｂａｓｉｃ＿３］
【０２８７】
ＯＦＤＭ＿ＴＲＮ＿ｓｕｂｆｉｅｌｄ＿４＝［ＯＦＤＭ＿ＴＲＮ＿ｂａｓｉｃ＿４、−ｗ５９＊ＯＦＤＭ＿ＴＲＮ＿ｂａｓｉｃ＿４、ｗ５１０＊ＯＦＤＭ＿ＴＲＮ＿ｂａｓｉｃ＿４、ｗ５１１＊ＯＦＤＭ＿ＴＲＮ＿ｂａｓｉｃ＿４、ｗ５１２＊ＯＦＤＭ＿ＴＲＮ＿ｂａｓｉｃ＿４］
【０２８８】
ＯＦＤＭ＿ＴＲＮ＿ｓｕｂｆｉｅｌｄ＿５＝［ＯＦＤＭ＿ＴＲＮ＿ｂａｓｉｃ＿５、−ｗ５１３＊ＯＦＤＭ＿ＴＲＮ＿ｂａｓｉｃ＿５、ｗ５１４＊ＯＦＤＭ＿ＴＲＮ＿ｂａｓｉｃ＿５、ｗ５１５＊ＯＦＤＭ＿ＴＲＮ＿ｂａｓｉｃ＿５、ｗ５１６＊ＯＦＤＭ＿ＴＲＮ＿ｂａｓｉｃ＿５］
【０２８９】
（６）Ｎｓｔｓ＝６（ｔｏｔａｌ  ｎｕｍｂｅｒ  ｏｆ  ｓｔｒｅａｍ：６）（ｗ６＝ｅｘｐ（−ｊ２＊ｐｉ／６））
【０２９０】
ＯＦＤＭ＿ＴＲＮ＿ｓｕｂｆｉｅｌｄ＿１＝［ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１］
【０２９１】
ＯＦＤＭ＿ＴＲＮ＿ｓｕｂｆｉｅｌｄ＿２＝［ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２］
【０２９２】
ＯＦＤＭ＿ＴＲＮ＿ｓｕｂｆｉｅｌｄ＿３＝［ＯＦＤＭ＿ＴＲＮ＿ｂａｓｉｃ＿３、−ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３］
【０２９３】
ＯＦＤＭ＿ＴＲＮ＿ｓｕｂｆｉｅｌｄ＿４＝［ＯＦＤＭ＿ＴＲＮ＿ｂａｓｉｃ＿４、−ＯＦＤＭ＿ＴＲＮ＿ｂａｓｉｃ＿４、ＯＦＤＭ＿ＴＲＮ＿ｂａｓｉｃ＿４、−ＯＦＤＭ＿ＴＲＮ＿ｂａｓｉｃ＿４］
【０２９４】
ＯＦＤＭ＿ＴＲＮ＿ｓｕｂｆｉｅｌｄ＿５＝［ＯＦＤＭ＿ＴＲＮ＿ｂａｓｉｃ＿５、ＯＦＤＭ＿ＴＲＮ＿ｂａｓｉｃ＿５、−ＯＦＤＭ＿ＴＲＮ＿ｂａｓｉｃ＿５、−ＯＦＤＭ＿ＴＲＮ＿ｂａｓｉｃ＿５］
【０２９５】
ＯＦＤＭ＿ＴＲＮ＿ｓｕｂｆｉｅｌｄ＿６＝［ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６、−ＯＦＤＭ＿ＴＲＮ＿ｂａｓｉｃ＿６］
【０２９６】
または
【０２９７】
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、−ＯＦＤＭ＿ＴＲＮ＿ｂａｓｉｃ＿１］
【０２９８】
ＯＦＤＭ＿ＴＲＮ＿ｓｕｂｆｉｅｌｄ＿２＝［ＯＦＤＭ＿ＴＲＮ＿ｂａｓｉｃ＿２、−ｗ６１＊ＯＦＤＭ＿ＴＲＮ＿ｂａｓｉｃ＿２、ｗ６２＊ＯＦＤＭ＿ＴＲＮ＿ｂａｓｉｃ＿２、ｗ６３＊ＯＦＤＭ＿ＴＲＮ＿ｂａｓｉｃ＿２、ｗ６４＊ＯＦＤＭ＿ＴＲＮ＿ｂａｓｉｃ＿２、−ｗ６５＊ＯＦＤＭ＿ＴＲＮ＿ｂａｓｉｃ＿２］
【０２９９】
ＯＦＤＭ＿ＴＲＮ＿ｓｕｂｆｉｅｌｄ＿３＝［ＯＦＤＭ＿ＴＲＮ＿ｂａｓｉｃ＿３、−ｗ６２＊ＯＦＤＭ＿ＴＲＮ＿ｂａｓｉｃ＿３、ｗ６４＊ＯＦＤＭ＿ＴＲＮ＿ｂａｓｉｃ＿３、ｗ６６＊ＯＦＤＭ＿ＴＲＮ＿ｂａｓｉｃ＿３、ｗ６８＊ＯＦＤＭ＿ＴＲＮ＿ｂａｓｉｃ＿３−ｗ６１０＊ＯＦＤＭ＿ＴＲＮ＿ｂａｓｉｃ＿３］
【０３００】
ＯＦＤＭ＿ＴＲＮ＿ｓｕｂｆｉｅｌｄ＿４＝［ＯＦＤＭ＿ＴＲＮ＿ｂａｓｉｃ＿４、−ｗ６３＊ＯＦＤＭ＿ＴＲＮ＿ｂａｓｉｃ＿４、ｗ６６＊ＯＦＤＭ＿ＴＲＮ＿ｂａｓｉｃ＿４、ｗ６９＊ＯＦＤＭ＿ＴＲＮ＿ｂａｓｉｃ＿４、ｗ６１２＊ＯＦＤＭ＿ＴＲＮ＿ｂａｓｉｃ＿４−ｗ６１５＊ＯＦＤＭ＿ＴＲＮ＿ｂａｓｉｃ＿４］
【０３０１】
ＯＦＤＭ＿ＴＲＮ＿ｓｕｂｆｉｅｌｄ＿５＝［ＯＦＤＭ＿ＴＲＮ＿ｂａｓｉｃ＿５、−ｗ６４＊ＯＦＤＭ＿ＴＲＮ＿ｂａｓｉｃ＿５、ｗ６８＊ＯＦＤＭ＿ＴＲＮ＿ｂａｓｉｃ＿５、ｗ６１２＊ＯＦＤＭ＿ＴＲＮ＿ｂａｓｉｃ＿５、ｗ６１６＊ＯＦＤＭ＿ＴＲＮ＿ｂａｓｉｃ＿５−ｗ６２０＊ＯＦＤＭ＿ＴＲＮ＿ｂａｓｉｃ＿５］
【０３０２】
ＯＦＤＭ＿ＴＲＮ＿ｓｕｂｆｉｅｌｄ＿６＝［ＯＦＤＭ＿ＴＲＮ＿ｂａｓｉｃ＿６、−ｗ６５＊ＯＦＤＭ＿ＴＲＮ＿ｂａｓｉｃ＿６、ｗ６１０＊ＯＦＤＭ＿ＴＲＮ＿ｂａｓｉｃ＿６、ｗ６１５＊ＯＦＤＭ＿ＴＲＮ＿ｂａｓｉｃ＿６、ｗ６２０＊ＯＦＤＭ＿ＴＲＮ＿ｂａｓｉｃ＿６−ｗ６２５＊ＯＦＤＭ＿ＴＲＮ＿ｂａｓｉｃ＿６］
【０３０３】
または
【０３０４】
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１］
【０３０５】
ＯＦＤＭ＿ＴＲＮ＿ｓｕｂｆｉｅｌｄ＿２＝［ＯＦＤＭ＿ＴＲＮ＿ｂａｓｉｃ＿２、ＯＦＤＭ＿ＴＲＮ＿ｂａｓｉｃ＿２、−ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２、−ＯＦＤＭ＿ＴＲＮ＿ｂａｓｉｃ＿２、ＯＦＤＭ＿ＴＲＮ＿ｂａｓｉｃ＿２］
【０３０６】
ＯＦＤＭ＿ＴＲＮ＿ｓｕｂｆｉｅｌｄ＿３＝［ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３］
【０３０７】
ＯＦＤＭ＿ＴＲＮ＿ｓｕｂｆｉｅｌｄ＿４＝［−ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、−ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４］
【０３０８】
ＯＦＤＭ＿ＴＲＮ＿ｓｕｂｆｉｅｌｄ＿５＝［ＯＦＤＭ＿ＴＲＮ＿ｂａｓｉｃ＿５、−ＯＦＤＭ＿ＴＲＮ＿ｂａｓｉｃ＿５、ＯＦＤＭ＿ＴＲＮ＿ｂａｓｉｃ＿５、ＯＦＤＭ＿ＴＲＮ＿ｂａｓｉｃ＿５、−ＯＦＤＭ＿ＴＲＮ＿ｂａｓｉｃ＿５、ＯＦＤＭ＿ＴＲＮ＿ｂａｓｉｃ＿５、−ＯＦＤＭ＿ＴＲＮ＿ｂａｓｉｃ＿５、−ＯＦＤＭ＿ＴＲＮ＿ｂａｓｉｃ＿５］
【０３０９】
ＯＦＤＭ＿ＴＲＮ＿ｓｕｂｆｉｅｌｄ＿６＝［ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６、−ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６］
【０３１０】
（７）Ｎｓｔｓ＝７（ｔｏｔａｌ  ｎｕｍｂｅｒ  ｏｆ  ｓｔｒｅａｍ：７）（ｗ７＝ｅｘｐ（−ｊ２＊ｐｉ／７））
【０３１１】
ＯＦＤＭ＿ＴＲＮ＿ｓｕｂｆｉｅｌｄ＿１＝［ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１］
【０３１２】
ＯＦＤＭ＿ＴＲＮ＿ｓｕｂｆｉｅｌｄ＿２＝［ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２］
【０３１３】
ＯＦＤＭ＿ＴＲＮ＿ｓｕｂｆｉｅｌｄ＿３＝［ＯＦＤＭ＿ＴＲＮ＿ｂａｓｉｃ＿３、−ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３］
【０３１４】
ＯＦＤＭ＿ＴＲＮ＿ｓｕｂｆｉｅｌｄ＿４＝［ＯＦＤＭ＿ＴＲＮ＿ｂａｓｉｃ＿４、−ＯＦＤＭ＿ＴＲＮ＿ｂａｓｉｃ＿４、ＯＦＤＭ＿ＴＲＮ＿ｂａｓｉｃ＿４、−ＯＦＤＭ＿ＴＲＮ＿ｂａｓｉｃ＿４］
【０３１５】
ＯＦＤＭ＿ＴＲＮ＿ｓｕｂｆｉｅｌｄ＿５＝［ＯＦＤＭ＿ＴＲＮ＿ｂａｓｉｃ＿５、ＯＦＤＭ＿ＴＲＮ＿ｂａｓｉｃ＿５、−ＯＦＤＭ＿ＴＲＮ＿ｂａｓｉｃ＿５、−ＯＦＤＭ＿ＴＲＮ＿ｂａｓｉｃ＿５］
【０３１６】
ＯＦＤＭ＿ＴＲＮ＿ｓｕｂｆｉｅｌｄ＿６＝［ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６、−ＯＦＤＭ＿ＴＲＮ＿ｂａｓｉｃ＿６］
【０３１７】
ＯＦＤＭ＿ＴＲＮ＿ｓｕｂｆｉｅｌｄ＿７＝［ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、ＯＦＤＭ＿ＴＲＮ＿ｂａｓｉｃ＿７］
【０３１８】
または
【０３１９】
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１］
【０３２０】
ＯＦＤＭ＿ＴＲＮ＿ｓｕｂｆｉｅｌｄ＿２＝［ＯＦＤＭ＿ＴＲＮ＿ｂａｓｉｃ＿２、ＯＦＤＭ＿ＴＲＮ＿ｂａｓｉｃ＿２、−ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２、−ＯＦＤＭ＿ＴＲＮ＿ｂａｓｉｃ＿２、ＯＦＤＭ＿ＴＲＮ＿ｂａｓｉｃ＿２］
【０３２１】
ＯＦＤＭ＿ＴＲＮ＿ｓｕｂｆｉｅｌｄ＿３＝［ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３］
【０３２２】
ＯＦＤＭ＿ＴＲＮ＿ｓｕｂｆｉｅｌｄ＿４＝［−ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、−ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４］
【０３２３】
ＯＦＤＭ＿ＴＲＮ＿ｓｕｂｆｉｅｌｄ＿５＝［ＯＦＤＭ＿ＴＲＮ＿ｂａｓｉｃ＿５、−ＯＦＤＭ＿ＴＲＮ＿ｂａｓｉｃ＿５、ＯＦＤＭ＿ＴＲＮ＿ｂａｓｉｃ＿５、ＯＦＤＭ＿ＴＲＮ＿ｂａｓｉｃ＿５、−ＯＦＤＭ＿ＴＲＮ＿ｂａｓｉｃ＿５、ＯＦＤＭ＿ＴＲＮ＿ｂａｓｉｃ＿５、−ＯＦＤＭ＿ＴＲＮ＿ｂａｓｉｃ＿５、−ＯＦＤＭ＿ＴＲＮ＿ｂａｓｉｃ＿５］
【０３２４】
ＯＦＤＭ＿ＴＲＮ＿ｓｕｂｆｉｅｌｄ＿６＝［ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６、−ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６］
【０３２５】
ＯＦＤＭ＿ＴＲＮ＿ｓｕｂｆｉｅｌｄ＿７＝［ＯＦＤＭ＿ＴＲＮ＿ｂａｓｉｃ＿７、ＯＦＤＭ＿ＴＲＮ＿ｂａｓｉｃ＿７、ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、ＯＦＤＭ＿ＴＲＮ＿ｂａｓｉｃ＿７］
【０３２６】
または
【０３２７】
ＯＦＤＭ＿ＴＲＮ＿ｓｕｂｆｉｅｌｄ＿１＝［ＯＦＤＭ＿ＴＲＮ＿ｂａｓｉｃ＿１、−ｗ７１＊ＯＦＤＭ＿ＴＲＮ＿ｂａｓｉｃ＿１、ｗ７２＊ＯＦＤＭ＿ＴＲＮ＿ｂａｓｉｃ＿１、ｗ７３＊ＯＦＤＭ＿ＴＲＮ＿ｂａｓｉｃ＿１、ｗ７４＊ＯＦＤＭ＿ＴＲＮ＿ｂａｓｉｃ＿１、−ｗ７５＊ＯＦＤＭ＿ＴＲＮ＿ｂａｓｉｃ＿１、ｗ７６＊ＯＦＤＭ＿ＴＲＮ＿ｂａｓｉｃ＿１］
【０３２８】
ＯＦＤＭ＿ＴＲＮ＿ｓｕｂｆｉｅｌｄ＿２＝［ＯＦＤＭ＿ＴＲＮ＿ｂａｓｉｃ＿２、−ｗ７７＊ＯＦＤＭ＿ＴＲＮ＿ｂａｓｉｃ＿２、ｗ７８＊ＯＦＤＭ＿ＴＲＮ＿ｂａｓｉｃ＿２、ｗ７９＊ＯＦＤＭ＿ＴＲＮ＿ｂａｓｉｃ＿２、ｗ７１０＊ＯＦＤＭ＿ＴＲＮ＿ｂａｓｉｃ＿２、−ｗ７１１＊ＯＦＤＭ＿ＴＲＮ＿ｂａｓｉｃ＿２、ｗ７１２＊ＯＦＤＭ＿ＴＲＮ＿ｂａｓｉｃ＿２］
【０３２９】
ＯＦＤＭ＿ＴＲＮ＿ｓｕｂｆｉｅｌｄ＿３＝［ＯＦＤＭ＿ＴＲＮ＿ｂａｓｉｃ＿３、−ｗ７１３＊ＯＦＤＭ＿ＴＲＮ＿ｂａｓｉｃ＿３、ｗ７１４＊ＯＦＤＭ＿ＴＲＮ＿ｂａｓｉｃ＿３、ｗ７１５＊ＯＦＤＭ＿ＴＲＮ＿ｂａｓｉｃ＿３、ｗ７１６＊ＯＦＤＭ＿ＴＲＮ＿ｂａｓｉｃ＿３、−ｗ７１７＊ＯＦＤＭ＿ＴＲＮ＿ｂａｓｉｃ＿３、ｗ７１８＊ＯＦＤＭ＿ＴＲＮ＿ｂａｓｉｃ＿３］
【０３３０】
ＯＦＤＭ＿ＴＲＮ＿ｓｕｂｆｉｅｌｄ＿４＝［ＯＦＤＭ＿ＴＲＮ＿ｂａｓｉｃ＿４、−ｗ７１９＊ＯＦＤＭ＿ＴＲＮ＿ｂａｓｉｃ＿４、ｗ７２０＊ＯＦＤＭ＿ＴＲＮ＿ｂａｓｉｃ＿４、ｗ７２１＊ＯＦＤＭ＿ＴＲＮ＿ｂａｓｉｃ＿４、ｗ７２２＊ＯＦＤＭ＿ＴＲＮ＿ｂａｓｉｃ＿４、−ｗ７２３＊ＯＦＤＭ＿ＴＲＮ＿ｂａｓｉｃ＿４、ｗ７２４＊ＯＦＤＭ＿ＴＲＮ＿ｂａｓｉｃ＿４］
【０３３１】
ＯＦＤＭ＿ＴＲＮ＿ｓｕｂｆｉｅｌｄ＿５＝［ＯＦＤＭ＿ＴＲＮ＿ｂａｓｉｃ＿５、−ｗ７２５＊ＯＦＤＭ＿ＴＲＮ＿ｂａｓｉｃ＿５、ｗ７２６＊ＯＦＤＭ＿ＴＲＮ＿ｂａｓｉｃ＿５、ｗ７２７＊ＯＦＤＭ＿ＴＲＮ＿ｂａｓｉｃ＿５、ｗ７２８＊ＯＦＤＭ＿ＴＲＮ＿ｂａｓｉｃ＿５、−ｗ７２９＊ＯＦＤＭ＿ＴＲＮ＿ｂａｓｉｃ＿５、ｗ７３０＊ＯＦＤＭ＿ＴＲＮ＿ｂａｓｉｃ＿５］
【０３３２】
ＯＦＤＭ＿ＴＲＮ＿ｓｕｂｆｉｅｌｄ＿６＝［ＯＦＤＭ＿ＴＲＮ＿ｂａｓｉｃ＿６、−ｗ７３１＊ＯＦＤＭ＿ＴＲＮ＿ｂａｓｉｃ＿６、ｗ７３２＊ＯＦＤＭ＿ＴＲＮ＿ｂａｓｉｃ＿６、ｗ７３３＊ＯＦＤＭ＿ＴＲＮ＿ｂａｓｉｃ＿６、ｗ７３４＊ＯＦＤＭ＿ＴＲＮ＿ｂａｓｉｃ＿６、−ｗ７３５＊ＯＦＤＭ＿ＴＲＮ＿ｂａｓｉｃ＿６、ｗ７３６＊ＯＦＤＭ＿ＴＲＮ＿ｂａｓｉｃ＿６］
【０３３３】
ＯＦＤＭ＿ＴＲＮ＿ｓｕｂｆｉｅｌｄ＿７＝［ＯＦＤＭ＿ＴＲＮ＿ｂａｓｉｃ＿７、−ｗ７３７＊ＯＦＤＭ＿ＴＲＮ＿ｂａｓｉｃ＿７、ｗ７３８＊ＯＦＤＭ＿ＴＲＮ＿ｂａｓｉｃ＿７、ｗ７３９＊ＯＦＤＭ＿ＴＲＮ＿ｂａｓｉｃ＿７、ｗ７４０＊ＯＦＤＭ＿ＴＲＮ＿ｂａｓｉｃ＿７、−ｗ７４１＊ＯＦＤＭ＿ＴＲＮ＿ｂａｓｉｃ＿７、ｗ７４２＊ＯＦＤＭ＿ＴＲＮ＿ｂａｓｉｃ＿７］
【０３３４】
（８）Ｎｓｔｓ＝８（ｔｏｔａｌ  ｎｕｍｂｅｒ  ｏｆ  ｓｔｒｅａｍ：８）（ｗ８＝ｅｘｐ（−ｊ２＊ｐｉ／８））
【０３３５】
ＯＦＤＭ＿ＴＲＮ＿ｓｕｂｆｉｅｌｄ＿１＝［ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１］
【０３３６】
ＯＦＤＭ＿ＴＲＮ＿ｓｕｂｆｉｅｌｄ＿２＝［ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２］
【０３３７】
ＯＦＤＭ＿ＴＲＮ＿ｓｕｂｆｉｅｌｄ＿３＝［ＯＦＤＭ＿ＴＲＮ＿ｂａｓｉｃ＿３、−ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３］
【０３３８】
ＯＦＤＭ＿ＴＲＮ＿ｓｕｂｆｉｅｌｄ＿４＝［ＯＦＤＭ＿ＴＲＮ＿ｂａｓｉｃ＿４、−ＯＦＤＭ＿ＴＲＮ＿ｂａｓｉｃ＿４、ＯＦＤＭ＿ＴＲＮ＿ｂａｓｉｃ＿４、−ＯＦＤＭ＿ＴＲＮ＿ｂａｓｉｃ＿４］
【０３３９】
ＯＦＤＭ＿ＴＲＮ＿ｓｕｂｆｉｅｌｄ＿５＝［ＯＦＤＭ＿ＴＲＮ＿ｂａｓｉｃ＿５、ＯＦＤＭ＿ＴＲＮ＿ｂａｓｉｃ＿５、−ＯＦＤＭ＿ＴＲＮ＿ｂａｓｉｃ＿５、−ＯＦＤＭ＿ＴＲＮ＿ｂａｓｉｃ＿５］
【０３４０】
ＯＦＤＭ＿ＴＲＮ＿ｓｕｂｆｉｅｌｄ＿６＝［ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６、−ＯＦＤＭ＿ＴＲＮ＿ｂａｓｉｃ＿６］
【０３４１】
ＯＦＤＭ＿ＴＲＮ＿ｓｕｂｆｉｅｌｄ＿７＝［ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、ＯＦＤＭ＿ＴＲＮ＿ｂａｓｉｃ＿７］
【０３４２】
ＯＦＤＭ＿ＴＲＮ＿ｓｕｂｆｉｅｌｄ＿８＝［ＯＦＤＭ＿ＴＲＮ＿ｂａｓｉｃ＿８、−ＯＦＤＭ＿ＴＲＮ＿ｂａｓｉｃ＿８、−ＯＦＤＭ＿ＴＲＮ＿ｂａｓｉｃ＿８、ＯＦＤＭ＿ＴＲＮ＿ｂａｓｉｃ＿８］
【０３４３】
または
【０３４４】
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１］
【０３４５】
ＯＦＤＭ＿ＴＲＮ＿ｓｕｂｆｉｅｌｄ＿２＝［ＯＦＤＭ＿ＴＲＮ＿ｂａｓｉｃ＿２、ＯＦＤＭ＿ＴＲＮ＿ｂａｓｉｃ＿２、−ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２、−ＯＦＤＭ＿ＴＲＮ＿ｂａｓｉｃ＿２、ＯＦＤＭ＿ＴＲＮ＿ｂａｓｉｃ＿２］
【０３４６】
ＯＦＤＭ＿ＴＲＮ＿ｓｕｂｆｉｅｌｄ＿３＝［ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３］
【０３４７】
ＯＦＤＭ＿ＴＲＮ＿ｓｕｂｆｉｅｌｄ＿４＝［−ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、−ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４］
【０３４８】
ＯＦＤＭ＿ＴＲＮ＿ｓｕｂｆｉｅｌｄ＿５＝［ＯＦＤＭ＿ＴＲＮ＿ｂａｓｉｃ＿５、−ＯＦＤＭ＿ＴＲＮ＿ｂａｓｉｃ＿５、ＯＦＤＭ＿ＴＲＮ＿ｂａｓｉｃ＿５、ＯＦＤＭ＿ＴＲＮ＿ｂａｓｉｃ＿５、−ＯＦＤＭ＿ＴＲＮ＿ｂａｓｉｃ＿５、ＯＦＤＭ＿ＴＲＮ＿ｂａｓｉｃ＿５、−ＯＦＤＭ＿ＴＲＮ＿ｂａｓｉｃ＿５、−ＯＦＤＭ＿ＴＲＮ＿ｂａｓｉｃ＿５］
【０３４９】
ＯＦＤＭ＿ＴＲＮ＿ｓｕｂｆｉｅｌｄ＿６＝［ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６、−ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６］
【０３５０】
ＯＦＤＭ＿ＴＲＮ＿ｓｕｂｆｉｅｌｄ＿７＝［ＯＦＤＭ＿ＴＲＮ＿ｂａｓｉｃ＿７、ＯＦＤＭ＿ＴＲＮ＿ｂａｓｉｃ＿７、ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、ＯＦＤＭ＿ＴＲＮ＿ｂａｓｉｃ＿７］
【０３５１】
ＯＦＤＭ＿ＴＲＮ＿ｓｕｂｆｉｅｌｄ＿８＝［−ＯＦＤＭ＿ＴＲＮ＿ｂａｓｉｃ＿８、ＯＦＤＭ＿ＴＲＮ＿ｂａｓｉｃ＿８、ＯＦＤＭ＿ＴＲＮ＿ｂａｓｉｃ＿８、ＯＦＤＭ＿ＴＲＮ＿ｂａｓｉｃ＿８、ＯＦＤＭ＿ＴＲＮ＿ｂａｓｉｃ＿８、−ＯＦＤＭ＿ＴＲＮ＿ｂａｓｉｃ＿８、−ＯＦＤＭ＿ＴＲＮ＿ｂａｓｉｃ＿８、−ＯＦＤＭ＿ＴＲＮ＿ｂａｓｉｃ＿８］
【０３５２】
または
【０３５３】
ＯＦＤＭ＿ＴＲＮ＿ｓｕｂｆｉｅｌｄ＿１＝［ＯＦＤＭ＿ＴＲＮ＿ｂａｓｉｃ＿１、−ｗ８１＊ＯＦＤＭ＿ＴＲＮ＿ｂａｓｉｃ＿１、ｗ８２＊ＯＦＤＭ＿ＴＲＮ＿ｂａｓｉｃ＿１、ｗ８３＊ＯＦＤＭ＿ＴＲＮ＿ｂａｓｉｃ＿１、ｗ８４＊ＯＦＤＭ＿ＴＲＮ＿ｂａｓｉｃ＿１、−ｗ８５＊ＯＦＤＭ＿ＴＲＮ＿ｂａｓｉｃ＿１、ｗ８６＊ＯＦＤＭ＿ＴＲＮ＿ｂａｓｉｃ＿１、ｗ８７＊ＯＦＤＭ＿ＴＲＮ＿ｂａｓｉｃ＿１］
【０３５４】
ＯＦＤＭ＿ＴＲＮ＿ｓｕｂｆｉｅｌｄ＿２＝［ＯＦＤＭ＿ＴＲＮ＿ｂａｓｉｃ＿２、−ｗ８８＊ＯＦＤＭ＿ＴＲＮ＿ｂａｓｉｃ＿２、ｗ８９＊ＯＦＤＭ＿ＴＲＮ＿ｂａｓｉｃ＿２、ｗ８１０＊ＯＦＤＭ＿ＴＲＮ＿ｂａｓｉｃ＿２、ｗ８１１＊ＯＦＤＭ＿ＴＲＮ＿ｂａｓｉｃ＿２、−ｗ８１２＊ＯＦＤＭ＿ＴＲＮ＿ｂａｓｉｃ＿２、ｗ８１３＊ＯＦＤＭ＿ＴＲＮ＿ｂａｓｉｃ＿２、ｗ８１４＊ＯＦＤＭ＿ＴＲＮ＿ｂａｓｉｃ＿２］
【０３５５】
ＯＦＤＭ＿ＴＲＮ＿ｓｕｂｆｉｅｌｄ＿３＝［ＯＦＤＭ＿ＴＲＮ＿ｂａｓｉｃ＿３、−ｗ８１５＊ＯＦＤＭ＿ＴＲＮ＿ｂａｓｉｃ＿３、ｗ８１６＊ＯＦＤＭ＿ＴＲＮ＿ｂａｓｉｃ＿３、ｗ８１７＊ＯＦＤＭ＿ＴＲＮ＿ｂａｓｉｃ＿３、ｗ８１８＊ＯＦＤＭ＿ＴＲＮ＿ｂａｓｉｃ＿３、−ｗ８１９＊ＯＦＤＭ＿ＴＲＮ＿ｂａｓｉｃ＿３、ｗ８２０＊ＯＦＤＭ＿ＴＲＮ＿ｂａｓｉｃ＿３、ｗ８２１＊ＯＦＤＭ＿ＴＲＮ＿ｂａｓｉｃ＿３］
【０３５６】
ＯＦＤＭ＿ＴＲＮ＿ｓｕｂｆｉｅｌｄ＿４＝［ＯＦＤＭ＿ＴＲＮ＿ｂａｓｉｃ＿４、−ｗ８２２＊ＯＦＤＭ＿ＴＲＮ＿ｂａｓｉｃ＿４、ｗ８２３＊ＯＦＤＭ＿ＴＲＮ＿ｂａｓｉｃ＿４、ｗ８２４＊ＯＦＤＭ＿ＴＲＮ＿ｂａｓｉｃ＿４、ｗ８２５＊ＯＦＤＭ＿ＴＲＮ＿ｂａｓｉｃ＿４、−ｗ８２６＊ＯＦＤＭ＿ＴＲＮ＿ｂａｓｉｃ＿４、ｗ８２７＊ＯＦＤＭ＿ＴＲＮ＿ｂａｓｉｃ＿４、ｗ８２８＊ＯＦＤＭ＿ＴＲＮ＿ｂａｓｉｃ＿４］
【０３５７】
ＯＦＤＭ＿ＴＲＮ＿ｓｕｂｆｉｅｌｄ＿５＝［ＯＦＤＭ＿ＴＲＮ＿ｂａｓｉｃ＿５、−ｗ８２９＊ＯＦＤＭ＿ＴＲＮ＿ｂａｓｉｃ＿５、ｗ８３０＊ＯＦＤＭ＿ＴＲＮ＿ｂａｓｉｃ＿５、ｗ８３１＊ＯＦＤＭ＿ＴＲＮ＿ｂａｓｉｃ＿５、ｗ８３２＊ＯＦＤＭ＿ＴＲＮ＿ｂａｓｉｃ＿５、−ｗ８３３＊ＯＦＤＭ＿ＴＲＮ＿ｂａｓｉｃ＿５、ｗ８３４＊ＯＦＤＭ＿ＴＲＮ＿ｂａｓｉｃ＿５、ｗ８３５＊ＯＦＤＭ＿ＴＲＮ＿ｂａｓｉｃ＿５］
【０３５８】
ＯＦＤＭ＿ＴＲＮ＿ｓｕｂｆｉｅｌｄ＿６＝［ＯＦＤＭ＿ＴＲＮ＿ｂａｓｉｃ＿６、−ｗ８３６＊ＯＦＤＭ＿ＴＲＮ＿ｂａｓｉｃ＿６、ｗ８３７＊ＯＦＤＭ＿ＴＲＮ＿ｂａｓｉｃ＿６、ｗ８３８＊ＯＦＤＭ＿ＴＲＮ＿ｂａｓｉｃ＿６、ｗ８３９＊ＯＦＤＭ＿ＴＲＮ＿ｂａｓｉｃ＿６、−ｗ８４０＊ＯＦＤＭ＿ＴＲＮ＿ｂａｓｉｃ＿６、ｗ８４１＊ＯＦＤＭ＿ＴＲＮ＿ｂａｓｉｃ＿６、ｗ８４２＊ＯＦＤＭ＿ＴＲＮ＿ｂａｓｉｃ＿６］
【０３５９】
ＯＦＤＭ＿ＴＲＮ＿ｓｕｂｆｉｅｌｄ＿７＝［ＯＦＤＭ＿ＴＲＮ＿ｂａｓｉｃ＿７、−ｗ８４３＊ＯＦＤＭ＿ＴＲＮ＿ｂａｓｉｃ＿７、ｗ８４４＊ＯＦＤＭ＿ＴＲＮ＿ｂａｓｉｃ＿７、ｗ８４５＊ＯＦＤＭ＿ＴＲＮ＿ｂａｓｉｃ＿７、ｗ８４６＊ＯＦＤＭ＿ＴＲＮ＿ｂａｓｉｃ＿７、−ｗ８４７＊ＯＦＤＭ＿ＴＲＮ＿ｂａｓｉｃ＿７、ｗ８４８＊ＯＦＤＭ＿ＴＲＮ＿ｂａｓｉｃ＿７、ｗ８４９＊ＯＦＤＭ＿ＴＲＮ＿ｂａｓｉｃ＿７］
【０３６０】
ＯＦＤＭ＿ＴＲＮ＿ｓｕｂｆｉｅｌｄ＿８＝［ＯＦＤＭ＿ＴＲＮ＿ｂａｓｉｃ＿８、−ｗ８５０＊ＯＦＤＭ＿ＴＲＮ＿ｂａｓｉｃ＿８、ｗ８５１＊ＯＦＤＭ＿ＴＲＮ＿ｂａｓｉｃ＿８、ｗ８５２＊ＯＦＤＭ＿ＴＲＮ＿ｂａｓｉｃ＿８、ｗ８５３＊ＯＦＤＭ＿ＴＲＮ＿ｂａｓｉｃ＿８、−ｗ８５４＊ＯＦＤＭ＿ＴＲＮ＿ｂａｓｉｃ＿８、ｗ８５５＊ＯＦＤＭ＿ＴＲＮ＿ｂａｓｉｃ＿８、ｗ８５６＊ＯＦＤＭ＿ＴＲＮ＿ｂａｓｉｃ＿８］
【０３６１】
前記のように送信機が送信するＴＲＮフィールドは、送信しようとするストリームの総個数（ｔｏｔａｌ  ｎｕｍｂｅｒ  ｏｆ  ｓｔｒｅａｍ）及びＥＤＭＧ  Ｈｅａｄｅｒ−ＡフィールドのＴＲＮ  Ｓｕｂｆｉｅｌｄ  Ｓｅｑｕｅｎｃｅ  Ｌｅｎｇｔｈフィールドの値によって異なる長さに決定されることができる。
【０３６２】
３．１．４．小結
【０３６３】
本発明が適用可能な一例によると、ＥＤＭＧ  ＯＦＤＭモードのＴＲＮフィールド（または、ＴＲＮサブフィールド）は、下記のように構成されることができる。
【０３６４】
２．１６ＧＨｚチャネルを介してＥＤＭＧ  ＯＦＤＭモードを使用したＥＤＭＧ  ＰＰＤＵ送信のために、ｉＴＸ番目の空間時間ストリームのための周波数領域でのＯＦＤＭ  ＴＲＮ＿ＢＡＳＩＣシーケンスは、下記数式のように定義されることができる。このとき、
2020526990.tif 000029
及び
2020526990.tif 000030
は、前述した図１１及び図１２の
2020526990.tif 000031
及び
2020526990.tif 000032
に各々対応できる。
【０３６５】
【数８】
2020526990.tif 000033
【０３６６】
４．３２ＧＨｚチャネルを介してＥＤＭＧ  ＯＦＤＭモードを使用したＥＤＭＧ  ＰＰＤＵ送信のために、ｉＴＸ番目の空間時間ストリームのための周波数領域でのＯＦＤＭ  ＴＲＮ＿ＢＡＳＩＣシーケンスは、下記数式のように定義されることができる。このとき、
2020526990.tif 000034
及び
2020526990.tif 000035
は、前述した図１３乃至図１６の
2020526990.tif 000036
及び
2020526990.tif 000037
に各々対応できる。
【０３６７】
【数９】
2020526990.tif 000038
【０３６８】
６．４８ＧＨｚチャネルを介してＥＤＭＧ  ＯＦＤＭモードを使用したＥＤＭＧ  ＰＰＤＵ送信のために、ｉＴＸ番目の空間時間ストリームのための周波数領域でのＯＦＤＭ  ＴＲＮ＿ＢＡＳＩＣシーケンスは、下記数式のように定義されることができる。このとき、
2020526990.tif 000039
及び
2020526990.tif 000040
は、前述した図１７乃至図２２の
2020526990.tif 000041
及び
2020526990.tif 000042
に各々対応できる。
【０３６９】
【数１０】
2020526990.tif 000043
【０３７０】
８．６４ＧＨｚチャネルを介してＥＤＭＧ  ＯＦＤＭモードを使用したＥＤＭＧ  ＰＰＤＵ送信のために、ｉＴＸ番目の空間時間ストリームのための周波数領域でのＯＦＤＭ  ＴＲＮ＿ＢＡＳＩＣシーケンスは、下記数式のように定義されることができる。このとき、
2020526990.tif 000044
及び
2020526990.tif 000045
は、前述した図２３乃至図３０の
2020526990.tif 000046
及び
2020526990.tif 000047
に各々対応できる。
【０３７１】
【数１１】
2020526990.tif 000048
【０３７２】
ＯＦＤＭサンプリングレートＦＳ＝ＮＣＢ＊２．６４ＧＨｚであり、サンプル時間長さＴＳ＝１／ＦＳ  ｎｓである場合、時間領域でのｉＴＸ番目の送信チェーン（または、空間時間ストリーム）のための基本ＯＦＤＭ  ＴＲＮサブフィールド波形（ｂａｓｉｃ  ＯＦＤＭ  ＴＲＮ  ｓｕｂｆｉｅｌｄ  ｗａｖｅｆｏｒｍ）は、下記数式のように定義されることができる。
【０３７３】
【数１２】
2020526990.tif 000049
【０３７４】
このとき、ＥＤＭＧ  Ｈｅａｄｅｒ−ＡフィールドのＴＲＮ  Ｓｕｂｆｉｅｌｄ  Ｓｅｑｕｅｎｃｅ  Ｌｅｎｇｔｈフィールドの値によるＮｏｒｍａｌ  ＴＲＮ  ｓｕｂｆｉｅｌｄ、Ｓｈｏｒｔ  ＴＲＮ  ｓｕｂｆｉｅｌｄ及びＬｏｎｇ  ＴＲＮ  ｓｕｂｆｉｅｌｄは、下記数式のように定義されることができる。
【０３７５】
【数１３】
2020526990.tif 000050
【０３７６】
前述した数式において、ＮＣＢは、連続的なチャネル個数またはボンディングされた（または、結合された）チャネルの個数を示し、他のパラメータは、次のように定義されることができる。
【０３７７】
【数１４】
2020526990.tif 000051
【０３７８】
前記構成において、ＰＴＲＮ（ＯＦＤＭ  ＴＲＮ  ｍａｐｐｉｎｇ  ｍａｔｒｉｘ）は、ＮＴＸ値によって下記数式のように定義されることができる。
【０３７９】
【数１５】
2020526990.tif 000052
【０３８０】
【数１６】
2020526990.tif 000053
【０３８１】
【数１７】
2020526990.tif 000054
【０３８２】
【数１８】
2020526990.tif 000055
【０３８３】
【数１９】
2020526990.tif 000056
【０３８４】
【数２０】
2020526990.tif 000057
【０３８５】
前記説明は、前述した３．１．１．乃至３．１．３節で開示された内容を整理した内容であって、本発明に対する技術分野の熟練された当業者は、３．１．４節で前述した説明が前記３．１．１．乃至３．１．３節で前述した内容に含まれることを理解することができる。
【０３８６】
３．２．ＯＦＤＭモードでのＴＲＮサブフィールドを含む信号送受信方法
【０３８７】
図３９は、本発明の一例によってＴＲＮフィールドを含む信号を送信する方法を示す流れ図である。
【０３８８】
まず、送信機（例：ＳＴＡ）は、送信する信号に含まれるトレーニングフィールドを生成する（Ｓ３９１０）。
【０３８９】
送信機は、空間時間ストリーム別基本トレーニングサブフィールド及び総空間時間ストリームの個数に基づいて空間時間ストリーム別トレーニングサブフィールドを含むトレーニングフィールドを生成することができる。このとき、前記空間時間ストリーム別基本トレーニングサブフィールドは、ヘッダフィールドが指示する情報に基づいてＭ個（Ｍは、自然数）ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルで構成されることができる。
【０３９０】
より具体的に、前記トレーニングフィールドは、空間時間ストリーム別トレーニングサブフィールドを含み、前記空間時間ストリーム別トレーニングサブフィールドは、前記総空間時間ストリームの個数によって決定される規則に基づいて前記空間時間ストリーム別基本トレーニングサブフィールドを用いて構成されることができる。
【０３９１】
一例として、前記総空間時間ストリームの個数が１である場合、前記空間時間ストリーム別トレーニングサブフィールドは、下記のように構成されることができる。以下、説明において、ＯＦＤＭ＿ＴＲＮ＿ｓｕｂｆｉｅｌｄ＿Ｎは、空間時間ストリームインデックスＮに対するトレーニングサブフィールドを意味し、ＯＦＤＭ＿ＴＲＮ＿ｂａｓｉｃ＿Ｎは、空間時間ストリームインデックスＮに対する基本トレーニングサブフィールドを意味する。
【０３９２】
−ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１］
【０３９３】
他の例として、前記総空間時間ストリームの個数が２である場合、前記空間時間ストリーム別トレーニングサブフィールドは、下記のように構成されることができる。
【０３９４】
−ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１］
【０３９５】
−ＯＦＤＭ＿ＴＲＮ＿ｓｕｂｆｉｅｌｄ＿２＝［ＯＦＤＭ＿ＴＲＮ＿ｂａｓｉｃ＿２、ＯＦＤＭ＿ＴＲＮ＿ｂａｓｉｃ＿２］
【０３９６】
他の例として、前記総空間時間ストリームの個数が３である場合、前記空間時間ストリーム別トレーニングサブフィールドは、下記のように構成されることができる。下記数式において、ｗ３＝ｅｘｐ（−ｊ＊２＊ｐｉ／３）が適用されることができる。
【０３９７】
−ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１］
【０３９８】
−ＯＦＤＭ＿ＴＲＮ＿ｓｕｂｆｉｅｌｄ＿２＝［ＯＦＤＭ＿ＴＲＮ＿ｂａｓｉｃ＿２、−ｗ３１＊ＯＦＤＭ＿ＴＲＮ＿ｂａｓｉｃ＿２、ｗ３２＊ＯＦＤＭ＿ＴＲＮ＿ｂａｓｉｃ＿２］
【０３９９】
−ＯＦＤＭ＿ＴＲＮ＿ｓｕｂｆｉｅｌｄ＿３＝［ＯＦＤＭ＿ＴＲＮ＿ｂａｓｉｃ＿３、−ｗ３３＊ＯＦＤＭ＿ＴＲＮ＿ｂａｓｉｃ＿３、ｗ３４＊ＯＦＤＭ＿ＴＲＮ＿ｂａｓｉｃ＿３］
【０４００】
他の例として、前記総空間時間ストリームの個数が４である場合、前記空間時間ストリーム別トレーニングサブフィールドは、下記のように構成されることができる。
【０４０１】
−ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１］
【０４０２】
−ＯＦＤＭ＿ＴＲＮ＿ｓｕｂｆｉｅｌｄ＿２＝［ＯＦＤＭ＿ＴＲＮ＿ｂａｓｉｃ＿２、ＯＦＤＭ＿ＴＲＮ＿ｂａｓｉｃ＿２、−ＯＦＤＭ＿ＴＲＮ＿ｂａｓｉｃ＿２、ＯＦＤＭ＿ＴＲＮ＿ｂａｓｉｃ＿２］
【０４０３】
−ＯＦＤＭ＿ＴＲＮ＿ｓｕｂｆｉｅｌｄ＿３＝［ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３］
【０４０４】
−ＯＦＤＭ＿ＴＲＮ＿ｓｕｂｆｉｅｌｄ＿４＝［−ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４］
【０４０５】
他の例として、前記総空間時間ストリームの個数が５である場合、前記空間時間ストリーム別トレーニングサブフィールドは、下記のように構成されることができる。下記数式において、ｗ６＝ｅｘｐ（−ｊ＊２＊ｐｉ／６）が適用されることができる。
【０４０６】
−ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、−ＯＦＤＭ＿ＴＲＮ＿ｂａｓｉｃ＿１］
【０４０７】
−ＯＦＤＭ＿ＴＲＮ＿ｓｕｂｆｉｅｌｄ＿２＝［ＯＦＤＭ＿ＴＲＮ＿ｂａｓｉｃ＿２、−ｗ６１＊ＯＦＤＭ＿ＴＲＮ＿ｂａｓｉｃ＿２、ｗ６２＊ＯＦＤＭ＿ＴＲＮ＿ｂａｓｉｃ＿２、ｗ６３＊ＯＦＤＭ＿ＴＲＮ＿ｂａｓｉｃ＿２、ｗ６４＊ＯＦＤＭ＿ＴＲＮ＿ｂａｓｉｃ＿２、−ｗ６５＊ＯＦＤＭ＿ＴＲＮ＿ｂａｓｉｃ＿２］
【０４０８】
−ＯＦＤＭ＿ＴＲＮ＿ｓｕｂｆｉｅｌｄ＿３＝［ＯＦＤＭ＿ＴＲＮ＿ｂａｓｉｃ＿３、−ｗ６２＊ＯＦＤＭ＿ＴＲＮ＿ｂａｓｉｃ＿３、ｗ６４＊ＯＦＤＭ＿ＴＲＮ＿ｂａｓｉｃ＿３、ｗ６６＊ＯＦＤＭ＿ＴＲＮ＿ｂａｓｉｃ＿３、ｗ６８＊ＯＦＤＭ＿ＴＲＮ＿ｂａｓｉｃ＿３−ｗ６１０＊ＯＦＤＭ＿ＴＲＮ＿ｂａｓｉｃ＿３］
【０４０９】
−ＯＦＤＭ＿ＴＲＮ＿ｓｕｂｆｉｅｌｄ＿４＝［ＯＦＤＭ＿ＴＲＮ＿ｂａｓｉｃ＿４、−ｗ６３＊ＯＦＤＭ＿ＴＲＮ＿ｂａｓｉｃ＿４、ｗ６６＊ＯＦＤＭ＿ＴＲＮ＿ｂａｓｉｃ＿４、ｗ６９＊ＯＦＤＭ＿ＴＲＮ＿ｂａｓｉｃ＿４、ｗ６１２＊ＯＦＤＭ＿ＴＲＮ＿ｂａｓｉｃ＿４−ｗ６１５＊ＯＦＤＭ＿ＴＲＮ＿ｂａｓｉｃ＿４］
【０４１０】
−ＯＦＤＭ＿ＴＲＮ＿ｓｕｂｆｉｅｌｄ＿５＝［ＯＦＤＭ＿ＴＲＮ＿ｂａｓｉｃ＿５、−ｗ６４＊ＯＦＤＭ＿ＴＲＮ＿ｂａｓｉｃ＿５、ｗ６８＊ＯＦＤＭ＿ＴＲＮ＿ｂａｓｉｃ＿５、ｗ６１２＊ＯＦＤＭ＿ＴＲＮ＿ｂａｓｉｃ＿５、ｗ６１６＊ＯＦＤＭ＿ＴＲＮ＿ｂａｓｉｃ＿５−ｗ６２０＊ＯＦＤＭ＿ＴＲＮ＿ｂａｓｉｃ＿５］
【０４１１】
他の例として、前記総空間時間ストリームの個数が６である場合、前記空間時間ストリーム別トレーニングサブフィールドは、下記のように構成されることができる。
【０４１２】
−ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、−ＯＦＤＭ＿ＴＲＮ＿ｂａｓｉｃ＿１］
【０４１３】
−ＯＦＤＭ＿ＴＲＮ＿ｓｕｂｆｉｅｌｄ＿２＝［ＯＦＤＭ＿ＴＲＮ＿ｂａｓｉｃ＿２、−ｗ６１＊ＯＦＤＭ＿ＴＲＮ＿ｂａｓｉｃ＿２、ｗ６２＊ＯＦＤＭ＿ＴＲＮ＿ｂａｓｉｃ＿２、ｗ６３＊ＯＦＤＭ＿ＴＲＮ＿ｂａｓｉｃ＿２、ｗ６４＊ＯＦＤＭ＿ＴＲＮ＿ｂａｓｉｃ＿２、−ｗ６５＊ＯＦＤＭ＿ＴＲＮ＿ｂａｓｉｃ＿２］
【０４１４】
−ＯＦＤＭ＿ＴＲＮ＿ｓｕｂｆｉｅｌｄ＿３＝［ＯＦＤＭ＿ＴＲＮ＿ｂａｓｉｃ＿３、−ｗ６２＊ＯＦＤＭ＿ＴＲＮ＿ｂａｓｉｃ＿３、ｗ６４＊ＯＦＤＭ＿ＴＲＮ＿ｂａｓｉｃ＿３、ｗ６６＊ＯＦＤＭ＿ＴＲＮ＿ｂａｓｉｃ＿３、ｗ６８＊ＯＦＤＭ＿ＴＲＮ＿ｂａｓｉｃ＿３−ｗ６１０＊ＯＦＤＭ＿ＴＲＮ＿ｂａｓｉｃ＿３］
【０４１５】
−ＯＦＤＭ＿ＴＲＮ＿ｓｕｂｆｉｅｌｄ＿４＝［ＯＦＤＭ＿ＴＲＮ＿ｂａｓｉｃ＿４、−ｗ６３＊ＯＦＤＭ＿ＴＲＮ＿ｂａｓｉｃ＿４、ｗ６６＊ＯＦＤＭ＿ＴＲＮ＿ｂａｓｉｃ＿４、ｗ６９＊ＯＦＤＭ＿ＴＲＮ＿ｂａｓｉｃ＿４、ｗ６１２＊ＯＦＤＭ＿ＴＲＮ＿ｂａｓｉｃ＿４−ｗ６１５＊ＯＦＤＭ＿ＴＲＮ＿ｂａｓｉｃ＿４］
【０４１６】
−ＯＦＤＭ＿ＴＲＮ＿ｓｕｂｆｉｅｌｄ＿５＝［ＯＦＤＭ＿ＴＲＮ＿ｂａｓｉｃ＿５、−ｗ６４＊ＯＦＤＭ＿ＴＲＮ＿ｂａｓｉｃ＿５、ｗ６８＊ＯＦＤＭ＿ＴＲＮ＿ｂａｓｉｃ＿５、ｗ６１２＊ＯＦＤＭ＿ＴＲＮ＿ｂａｓｉｃ＿５、ｗ６１６＊ＯＦＤＭ＿ＴＲＮ＿ｂａｓｉｃ＿５−ｗ６２０＊ＯＦＤＭ＿ＴＲＮ＿ｂａｓｉｃ＿５］
【０４１７】
−ＯＦＤＭ＿ＴＲＮ＿ｓｕｂｆｉｅｌｄ＿６＝［ＯＦＤＭ＿ＴＲＮ＿ｂａｓｉｃ＿６、−ｗ６５＊ＯＦＤＭ＿ＴＲＮ＿ｂａｓｉｃ＿６、ｗ６１０＊ＯＦＤＭ＿ＴＲＮ＿ｂａｓｉｃ＿６、ｗ６１５＊ＯＦＤＭ＿ＴＲＮ＿ｂａｓｉｃ＿６、ｗ６２０＊ＯＦＤＭ＿ＴＲＮ＿ｂａｓｉｃ＿６−ｗ６２５＊ＯＦＤＭ＿ＴＲＮ＿ｂａｓｉｃ＿６］
【０４１８】
他の例として、前記総空間時間ストリームの個数が７である場合、前記空間時間ストリーム別トレーニングサブフィールドは、下記のように構成されることができる。
【０４１９】
−ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１］
【０４２０】
−ＯＦＤＭ＿ＴＲＮ＿ｓｕｂｆｉｅｌｄ＿２＝［ＯＦＤＭ＿ＴＲＮ＿ｂａｓｉｃ＿２、ＯＦＤＭ＿ＴＲＮ＿ｂａｓｉｃ＿２、−ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２、−ＯＦＤＭ＿ＴＲＮ＿ｂａｓｉｃ＿２、ＯＦＤＭ＿ＴＲＮ＿ｂａｓｉｃ＿２］
【０４２１】
−ＯＦＤＭ＿ＴＲＮ＿ｓｕｂｆｉｅｌｄ＿３＝［ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３］
【０４２２】
−ＯＦＤＭ＿ＴＲＮ＿ｓｕｂｆｉｅｌｄ＿４＝［−ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、−ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４］
【０４２３】
−ＯＦＤＭ＿ＴＲＮ＿ｓｕｂｆｉｅｌｄ＿５＝［ＯＦＤＭ＿ＴＲＮ＿ｂａｓｉｃ＿５、−ＯＦＤＭ＿ＴＲＮ＿ｂａｓｉｃ＿５、ＯＦＤＭ＿ＴＲＮ＿ｂａｓｉｃ＿５、ＯＦＤＭ＿ＴＲＮ＿ｂａｓｉｃ＿５、−ＯＦＤＭ＿ＴＲＮ＿ｂａｓｉｃ＿５、ＯＦＤＭ＿ＴＲＮ＿ｂａｓｉｃ＿５、−ＯＦＤＭ＿ＴＲＮ＿ｂａｓｉｃ＿５、−ＯＦＤＭ＿ＴＲＮ＿ｂａｓｉｃ＿５］
【０４２４】
−ＯＦＤＭ＿ＴＲＮ＿ｓｕｂｆｉｅｌｄ＿６＝［ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６、−ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６］
【０４２５】
−ＯＦＤＭ＿ＴＲＮ＿ｓｕｂｆｉｅｌｄ＿７＝［ＯＦＤＭ＿ＴＲＮ＿ｂａｓｉｃ＿７、ＯＦＤＭ＿ＴＲＮ＿ｂａｓｉｃ＿７、ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、ＯＦＤＭ＿ＴＲＮ＿ｂａｓｉｃ＿７］
【０４２６】
他の例として、前記総空間時間ストリームの個数が８である場合、前記空間時間ストリーム別トレーニングサブフィールドは、下記のように構成されることができる。
【０４２７】
−ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１］
【０４２８】
−ＯＦＤＭ＿ＴＲＮ＿ｓｕｂｆｉｅｌｄ＿２＝［ＯＦＤＭ＿ＴＲＮ＿ｂａｓｉｃ＿２、ＯＦＤＭ＿ＴＲＮ＿ｂａｓｉｃ＿２、−ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２、−ＯＦＤＭ＿ＴＲＮ＿ｂａｓｉｃ＿２、ＯＦＤＭ＿ＴＲＮ＿ｂａｓｉｃ＿２］
【０４２９】
−ＯＦＤＭ＿ＴＲＮ＿ｓｕｂｆｉｅｌｄ＿３＝［ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３］
【０４３０】
−ＯＦＤＭ＿ＴＲＮ＿ｓｕｂｆｉｅｌｄ＿４＝［−ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、−ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４］
【０４３１】
−ＯＦＤＭ＿ＴＲＮ＿ｓｕｂｆｉｅｌｄ＿５＝［ＯＦＤＭ＿ＴＲＮ＿ｂａｓｉｃ＿５、−ＯＦＤＭ＿ＴＲＮ＿ｂａｓｉｃ＿５、ＯＦＤＭ＿ＴＲＮ＿ｂａｓｉｃ＿５、ＯＦＤＭ＿ＴＲＮ＿ｂａｓｉｃ＿５、−ＯＦＤＭ＿ＴＲＮ＿ｂａｓｉｃ＿５、ＯＦＤＭ＿ＴＲＮ＿ｂａｓｉｃ＿５、−ＯＦＤＭ＿ＴＲＮ＿ｂａｓｉｃ＿５、−ＯＦＤＭ＿ＴＲＮ＿ｂａｓｉｃ＿５］
【０４３２】
−ＯＦＤＭ＿ＴＲＮ＿ｓｕｂｆｉｅｌｄ＿６＝［ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６、−ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６］
【０４３３】
−ＯＦＤＭ＿ＴＲＮ＿ｓｕｂｆｉｅｌｄ＿７＝［ＯＦＤＭ＿ＴＲＮ＿ｂａｓｉｃ＿７、ＯＦＤＭ＿ＴＲＮ＿ｂａｓｉｃ＿７、ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、ＯＦＤＭ＿ＴＲＮ＿ｂａｓｉｃ＿７］
【０４３４】
−ＯＦＤＭ＿ＴＲＮ＿ｓｕｂｆｉｅｌｄ＿８＝［−ＯＦＤＭ＿ＴＲＮ＿ｂａｓｉｃ＿８、ＯＦＤＭ＿ＴＲＮ＿ｂａｓｉｃ＿８、ＯＦＤＭ＿ＴＲＮ＿ｂａｓｉｃ＿８、ＯＦＤＭ＿ＴＲＮ＿ｂａｓｉｃ＿８、ＯＦＤＭ＿ＴＲＮ＿ｂａｓｉｃ＿８、−ＯＦＤＭ＿ＴＲＮ＿ｂａｓｉｃ＿８、−ＯＦＤＭ＿ＴＲＮ＿ｂａｓｉｃ＿８、−ＯＦＤＭ＿ＴＲＮ＿ｂａｓｉｃ＿８］
【０４３５】
また、前記空間時間ストリーム別基本トレーニングサブフィールドは、前記ヘッダフィールドが指示する情報に基づいて１個、２個または４個のＯＦＤＭシンボルで構成されることができる。
【０４３６】
このとき、前記１個、２個または４個のＯＦＤＭシンボルに含まれる一つのＯＦＤＭシンボルは、７２．７２ｎｓ長さであるガード区間（ｇｕａｒｄ  ｉｎｔｅｒｖａｌ）またはＣＰ（Ｃｙｃｌｉｃ  Ｐｒｅｆｉｘ）を含むように構成されることができる。
【０４３７】
また、前記ヘッダフィールドは、前記空間時間ストリーム別基本トレーニングサブフィールドのＯＦＤＭシンボル長さを指示するＥＤＭＧ（Ｅｎｈａｎｃｅｄ  Ｄｉｒｅｃｔｉｏｎａｌ  Ｍｕｌｔｉ  Ｇｉｇａｂｉｔ）トレーニングサブフィールドシーケンス長さ（ｔｒａｉｎｉｎｇ  ｓｕｂｆｉｅｌｄ  ｓｅｑｕｅｎｃｅ  ｌｅｎｇｔｈ）フィールドを含むことができる。
【０４３８】
一例として、前記ＥＤＭＧトレーニングサブフィールドシーケンス長さフィールドが０を指示する場合、前記空間時間ストリーム別基本トレーニングサブフィールドは、２個のＯＦＤＭシンボルで構成され、前記ＥＤＭＧトレーニングサブフィールドシーケンス長さフィールドが１を指示する場合、前記空間時間ストリーム別基本トレーニングサブフィールドは、４個のＯＦＤＭシンボルで構成され、前記ＥＤＭＧトレーニングサブフィールドシーケンス長さフィールドが２を指示する場合、前記空間時間ストリーム別基本トレーニングサブフィールドは、１個のＯＦＤＭシンボルで構成されることができる。
【０４３９】
また、前記空間時間ストリーム別基本トレーニングサブフィールドは、前記信号が送信される連続的なチャネルの個数によって周波数領域で異なる長さのシーケンスで構成されることができる。
【０４４０】
一例として、前記信号が送信される連続的なチャネルの個数が１である場合、前記空間時間ストリーム別基本トレーニングサブフィールドは、周波数領域で３５５長さのシーケンスで構成されることができる。このとき、前記シーケンスに対して５１２大きさのＩＤＦＴが適用されることができる。
【０４４１】
他の例として、前記信号が送信される連続的なチャネルの個数が２である場合、前記空間時間ストリーム別基本トレーニングサブフィールドは、周波数領域で７７３長さのシーケンスで構成されることができる。このとき、前記シーケンスに対して１０２４大きさのＩＤＦＴが適用されることができる。
【０４４２】
他の例として、前記信号が送信される連続的なチャネルの個数が３である場合、前記空間時間ストリーム別基本トレーニングサブフィールドは、周波数領域で５９６長さのシーケンスで構成されることができる。このとき、前記シーケンスに対して１５３６大きさのＩＤＦＴが適用されることができる。
【０４４３】
他の例として、前記信号が送信される連続的なチャネルの個数が４である場合、前記空間時間ストリーム別基本トレーニングサブフィールドは、周波数領域で８０５長さのシーケンスで構成されることができる。このとき、前記シーケンスに対して２０４８大きさのＩＤＦＴが適用されることができる。
【０４４４】
次に、送信機は、前記のように生成されたトレーニングフィールド及び前記ヘッダフィールドを含む信号を、対応する空間時間ストリームを介して受信機に送信する（Ｓ３９２０）。
【０４４５】
このとき、前記信号が複数個のチャネルを介して送信される場合、前記送信機は、前記信号を複数個のチャネル内の対応する空間時間ストリームを介して送信できる。
【０４４６】
これに対応して、まず、受信機は、送信される信号に含まれているヘッダフィールドを受信する。次に、前記受信機は、前記ヘッダフィールドが指示する情報に基づいて空間時間ストリーム別基本トレーニングサブフィールドのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル個数を決定する。次に、前記受信機は、総空間時間ストリームの個数及び前記決定されたＯＦＤＭシンボル個数で構成された前記空間時間ストリーム別基本トレーニングサブフィールドに基づいて構成される空間時間ストリーム別トレーニングサブフィールドを含むトレーニングフィールドを、対応する空間時間ストリームを介して受信する。
【０４４７】
このとき、前記受信機は、前記トレーニングフィールドを介して前記トレーニングフィールドが送信されるシンボル区間の間に周波数領域でのチャネル測定を実行することができる。
【０４４８】
前記のような構成を介して各空間時間ストリーム別トレーニングサブフィールドは、互いに直交する特性を維持することができる。
【０４４９】
４．装置構成
【０４５０】
図４０は、前述したような方法を具現するための装置を説明するための図面である。
【０４５１】
図４０の無線装置１００は、前述した説明で説明した信号を送信するＳＴＡに対応し、そして無線装置１５０は、前述した説明で説明した信号を受信するＳＴＡに対応できる。
【０４５２】
このとき、信号を送信するステーションは、１１ａｙシステムをサポートする１１ａｙ端末またはＰＣＰ／ＡＰに対応されることができ、信号を受信するステーションは、１１ａｙシステムをサポートする１１ａｙ端末またはＰＣＰ／ＡＰに対応できる。
【０４５３】
以下、説明の便宜のために、信号を送信するＳＴＡは、送信装置１００と命名し、信号を受信するＳＴＡは、受信装置１５０と命名する。
【０４５４】
送信装置１００は、プロセッサ１１０、メモリ１２０、送受信部１３０を含むことができ、受信装置１５０は、プロセッサ１６０、メモリ１７０及び送受信部１８０を含むことができる。送受信部１３０、１８０は、無線信号を送信／受信し、ＩＥＥＥ８０２．１１／３ＧＰＰなどの物理的階層で実行されることができる。プロセッサ１１０、１６０は、物理階層及び／またはＭＡＣ階層で実行され、送受信部１３０、１８０と連結されている。
【０４５５】
プロセッサ１１０、１６０及び／または送受信部１３０、１８０は、特定集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、他のチップセット、論理回路及び／またはデータプロセッサを含むことができる。メモリ１２０、１７０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納ユニットを含むことができる。一実施例がソフトウェアにより実行される時、前記記述した方法は、前記記述された機能を遂行するモジュール（例えば、プロセス、機能）として実行されることができる。前記モジュールは、メモリ１２０、１７０に格納されることができ、プロセッサ１１０、１６０により実行されることができる。前記メモリ１２０、１７０は、前記プロセス１１０、１６０の内部または外部に配置されることができ、よく知られた手段で前記プロセス１１０、１６０と連結されることができる。
【０４５６】
前述したように開示された本発明の好ましい実施形態に対する詳細な説明は、当業者が本発明を具現して実施できるように提供された。前記では本発明の好ましい実施形態を参照して説明したが、該当技術分野の熟練された当業者は、前述した説明から本発明を多様に修正及び変更可能であることを理解することができる。したがって、本発明は、ここに開示した実施形態に制限されるものではなく、ここで開示された原理及び新規特徴と一致する最広の範囲を付与するためのものである。
【産業上の利用可能性】
【０４５７】
前述したような本発明は、ＩＥＥＥ８０２．１１ベースの無線ＬＡＮシステムに適用されることを仮定して説明したが、これに限定される必要はない。本発明は、チャネルボンディングに基づいてデータ送信が可能な多様な無線システムに同じ方式に適用されることができる。
【図１】
2020526990.tif 000058
【図２】
2020526990.tif 000059
【図３】
2020526990.tif 000060
【図４】
2020526990.tif 000061
【図５】
2020526990.tif 000062
【図６】
2020526990.tif 000063
【図７】
2020526990.tif 000064
【図８】
2020526990.tif 000065
【図９】
2020526990.tif 000066
【図１０】
2020526990.tif 000067
【図１１】
2020526990.tif 000068
【図１２】
2020526990.tif 000069
【図１３】
2020526990.tif 000070
【図１４】
2020526990.tif 000071
【図１５】
2020526990.tif 000072
【図１６】
2020526990.tif 000073
【図１７】
2020526990.tif 000074
【図１８】
2020526990.tif 000075
【図１９】
2020526990.tif 000076
【図２０】
2020526990.tif 000077
【図２１】
2020526990.tif 000078
【図２２】
2020526990.tif 000079
【図２３】
2020526990.tif 000080
【図２４】
2020526990.tif 000081
【図２５】
2020526990.tif 000082
【図２６】
2020526990.tif 000083
【図２７】
2020526990.tif 000084
【図２８】
2020526990.tif 000085
【図２９】
2020526990.tif 000086
【図３０】
2020526990.tif 000087
【図３１】
2020526990.tif 000088
【図３２】
2020526990.tif 000089
【図３３】
2020526990.tif 000090
【図３４】
2020526990.tif 000091
【図３５】
2020526990.tif 000092
【図３６】
2020526990.tif 000093
【図３７】
2020526990.tif 000094
【図３８】
2020526990.tif 000095
【図３９】
2020526990.tif 000096
【図４０】
2020526990.tif 000097
【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
無線ＬＡＮ（ＷＬＡＮ）システムにおける第１のステーション（ＳＴＡ）が第２のＳＴＡに信号を送信する方法において、
基本トレーニングサブフィールド及び空間時間ストリームの総個数に基づいてトレーニングサブフィールドを含むトレーニングフィールドを生成し、
前記トレーニングサブフィールドは前記空間時間ストリームのそれぞれに対する前記基本トレーニングサブフィールドに基づいて生成され、
前記基本トレーニングサブフィールドの繰り返しは、ヘッダフィールドに含まれる情報に基づいて決定され、
前記ヘッダフィールド及び前記トレーニングフィールドを含む信号を、前記空間時間ストリームを介して前記第２のＳＴＡに送信することを含む、信号送信方法。
【請求項２】
前記トレーニングサブフィールドは、前記ヘッダフィールドに含まれる情報に基づいて１個、２個または４個の基本トレーニングサブフィールドで構成される、請求項１に記載の信号送信方法。
【請求項３】
前記基本トレーニングサブフィールドに含まれる一つのＯＦＤＭシンボルは、７２．７２ｎｓ長さであるガード区間（ｇｕａｒｄ  ｉｎｔｅｒｖａｌ）またはＣＰ（Ｃｙｃｌｉｃ  Ｐｒｅｆｉｘ）を含む、請求項２に記載の信号送信方法。
【請求項４】
前記ヘッダフィールドは、前記基本トレーニングサブフィールドのＯＦＤＭシンボル長さについての情報を含むＥＤＭＧ（Ｅｎｈａｎｃｅｄ  Ｄｉｒｅｃｔｉｏｎａｌ  Ｍｕｌｔｉ  Ｇｉｇａｂｉｔ）トレーニングサブフィールドシーケンス長さ（ｔｒａｉｎｉｎｇ  ｓｕｂｆｉｅｌｄ  ｓｅｑｕｅｎｃｅ  ｌｅｎｇｔｈ）フィールドを含む、請求項１に記載の信号送信方法。
【請求項５】
前記ＥＤＭＧトレーニングサブフィールドシーケンス長さフィールドの値が０である時、前記トレーニングサブフィールドは、前記基本トレーニングサブフィールドの２回の繰り返しで構成され、
前記ＥＤＭＧトレーニングサブフィールドシーケンス長さフィールドの値が１である時、前記トレーニングサブフィールドは、前記基本トレーニングサブフィールドの４回の繰り返しで構成され、
前記ＥＤＭＧトレーニングサブフィールドシーケンス長さフィールドの値が２である時、前記トレーニングサブフィールドは、１個の基本トレーニングフィールドで構成される、請求項４に記載の信号送信方法。
【請求項６】
前記トレーニングサブフィールドは、前記空間時間ストリームの総個数により決定される規則に基づく、前記基本トレーニングサブフィールドに基づいて構成される、請求項１に記載の信号送信方法。
【請求項７】
前記空間時間ストリームの総個数が１である時、インデックス１に対する空間時間ストリームに対するトレーニングサブフィールドは、下記数式に基づいて構成され、
[数]
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１］
ここで、ＯＦＤＭ＿ＴＲＮ＿ｓｕｂｆｉｅｌｄ＿Ｎは、インデックスＮに対する空間時間ストリームに対するトレーニングサブフィールドを意味し、ＯＦＤＭ＿ＴＲＮ＿ｂａｓｉｃ＿Ｎは、前記インデックスＮに対する前記空間時間ストリームに対する基本トレーニングサブフィールドを意味する、請求項６に記載の信号送信方法。
【請求項８】
前記空間時間ストリームの総個数が２である時、インデックス１及びインデックス２に対する空間時間ストリームに対するトレーニングサブフィールドは、下記数式に基づいて構成され、
[数]
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１］
ＯＦＤＭ＿ＴＲＮ＿ｓｕｂｆｉｅｌｄ＿２＝［ＯＦＤＭ＿ＴＲＮ＿ｂａｓｉｃ＿２、ＯＦＤＭ＿ＴＲＮ＿ｂａｓｉｃ＿２］
ここで、ＯＦＤＭ＿ＴＲＮ＿ｓｕｂｆｉｅｌｄ＿Ｎは、インデックスＮに対する空間時間ストリームに対するトレーニングサブフィールドを意味し、ＯＦＤＭ＿ＴＲＮ＿ｂａｓｉｃ＿Ｎは、前記インデックスＮに対する前記空間時間ストリームに対する基本トレーニングサブフィールドを意味する、請求項６に記載の信号送信方法。
【請求項９】
前記空間時間ストリームの総個数が３である時、インデックス１、インデックス２及びインデックス３に対する空間時間ストリームに対するトレーニングサブフィールドは、下記数式に基づいて構成され、
[数]
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１］
ＯＦＤＭ＿ＴＲＮ＿ｓｕｂｆｉｅｌｄ＿２＝［ＯＦＤＭ＿ＴＲＮ＿ｂａｓｉｃ＿２、−ｗ３１＊ＯＦＤＭ＿ＴＲＮ＿ｂａｓｉｃ＿２、ｗ３２＊ＯＦＤＭ＿ＴＲＮ＿ｂａｓｉｃ＿２］
ＯＦＤＭ＿ＴＲＮ＿ｓｕｂｆｉｅｌｄ＿３＝［ＯＦＤＭ＿ＴＲＮ＿ｂａｓｉｃ＿３、−ｗ３３＊ＯＦＤＭ＿ＴＲＮ＿ｂａｓｉｃ＿３、ｗ３４＊ＯＦＤＭ＿ＴＲＮ＿ｂａｓｉｃ＿３］
ここで、ＯＦＤＭ＿ＴＲＮ＿ｓｕｂｆｉｅｌｄ＿Ｎは、インデックスＮに対する空間時間ストリームに対するトレーニングサブフィールドを意味し、ＯＦＤＭ＿ＴＲＮ＿ｂａｓｉｃ＿Ｎは、前記インデックスＮに対する前記空間時間ストリームに対する基本トレーニングサブフィールドを意味し、ｗ３＝ｅｘｐ（−ｊ＊２＊ｐｉ／３）である、請求項６に記載の信号送信方法。
【請求項１０】
前記空間時間ストリームの総個数が４である時、インデックス１、インデックス２、インデックス３及びインデックス４に対する空間時間ストリームに対するトレーニングサブフィールドは、下記数式に基づいて構成され、
[数]
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１］
ＯＦＤＭ＿ＴＲＮ＿ｓｕｂｆｉｅｌｄ＿２＝［ＯＦＤＭ＿ＴＲＮ＿ｂａｓｉｃ＿２、ＯＦＤＭ＿ＴＲＮ＿ｂａｓｉｃ＿２、−ＯＦＤＭ＿ＴＲＮ＿ｂａｓｉｃ＿２、ＯＦＤＭ＿ＴＲＮ＿ｂａｓｉｃ＿２］
ＯＦＤＭ＿ＴＲＮ＿ｓｕｂｆｉｅｌｄ＿３＝［ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３］
ＯＦＤＭ＿ＴＲＮ＿ｓｕｂｆｉｅｌｄ＿４＝［−ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４］
ここで、ＯＦＤＭ＿ＴＲＮ＿ｓｕｂｆｉｅｌｄ＿Ｎは、インデックスＮに対する空間時間ストリームに対するトレーニングサブフィールドを意味し、ＯＦＤＭ＿ＴＲＮ＿ｂａｓｉｃ＿Ｎは、前記インデックスＮに対する前記空間時間ストリームに対する基本トレーニングサブフィールドを意味する、請求項６に記載の信号送信方法。
【請求項１１】
前記空間時間ストリームの総個数が５である時、インデックス１、インデックス２、インデックス３、インデックス４及びインデックス５に対する空間時間ストリームに対する空間時間ストリームに対するトレーニングサブフィールドは、下記数式に基づいて構成され、
[数]
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、−ＯＦＤＭ＿ＴＲＮ＿ｂａｓｉｃ＿１］
ＯＦＤＭ＿ＴＲＮ＿ｓｕｂｆｉｅｌｄ＿２＝［ＯＦＤＭ＿ＴＲＮ＿ｂａｓｉｃ＿２、−ｗ６１＊ＯＦＤＭ＿ＴＲＮ＿ｂａｓｉｃ＿２、ｗ６２＊ＯＦＤＭ＿ＴＲＮ＿ｂａｓｉｃ＿２、ｗ６３＊ＯＦＤＭ＿ＴＲＮ＿ｂａｓｉｃ＿２、ｗ６４＊ＯＦＤＭ＿ＴＲＮ＿ｂａｓｉｃ＿２、−ｗ６５＊ＯＦＤＭ＿ＴＲＮ＿ｂａｓｉｃ＿２］
ＯＦＤＭ＿ＴＲＮ＿ｓｕｂｆｉｅｌｄ＿３＝［ＯＦＤＭ＿ＴＲＮ＿ｂａｓｉｃ＿３、−ｗ６２＊ＯＦＤＭ＿ＴＲＮ＿ｂａｓｉｃ＿３、ｗ６４＊ＯＦＤＭ＿ＴＲＮ＿ｂａｓｉｃ＿３、ｗ６６＊ＯＦＤＭ＿ＴＲＮ＿ｂａｓｉｃ＿３、ｗ６８＊ＯＦＤＭ＿ＴＲＮ＿ｂａｓｉｃ＿３−ｗ６１０＊ＯＦＤＭ＿ＴＲＮ＿ｂａｓｉｃ＿３］
ＯＦＤＭ＿ＴＲＮ＿ｓｕｂｆｉｅｌｄ＿４＝［ＯＦＤＭ＿ＴＲＮ＿ｂａｓｉｃ＿４、−ｗ６３＊ＯＦＤＭ＿ＴＲＮ＿ｂａｓｉｃ＿４、ｗ６６＊ＯＦＤＭ＿ＴＲＮ＿ｂａｓｉｃ＿４、ｗ６９＊ＯＦＤＭ＿ＴＲＮ＿ｂａｓｉｃ＿４、ｗ６１２＊ＯＦＤＭ＿ＴＲＮ＿ｂａｓｉｃ＿４−ｗ６１５＊ＯＦＤＭ＿ＴＲＮ＿ｂａｓｉｃ＿４］
ＯＦＤＭ＿ＴＲＮ＿ｓｕｂｆｉｅｌｄ＿５＝［ＯＦＤＭ＿ＴＲＮ＿ｂａｓｉｃ＿５、−ｗ６４＊ＯＦＤＭ＿ＴＲＮ＿ｂａｓｉｃ＿５、ｗ６８＊ＯＦＤＭ＿ＴＲＮ＿ｂａｓｉｃ＿５、ｗ６１２＊ＯＦＤＭ＿ＴＲＮ＿ｂａｓｉｃ＿５、ｗ６１６＊ＯＦＤＭ＿ＴＲＮ＿ｂａｓｉｃ＿５−ｗ６２０＊ＯＦＤＭ＿ＴＲＮ＿ｂａｓｉｃ＿５］
ここで、ＯＦＤＭ＿ＴＲＮ＿ｓｕｂｆｉｅｌｄ＿Ｎは、インデックスＮに対する空間時間ストリームに対するトレーニングサブフィールドを意味し、ＯＦＤＭ＿ＴＲＮ＿ｂａｓｉｃ＿Ｎは、前記インデックスＮに対する前記空間時間ストリームに対する基本トレーニングサブフィールドを意味し、ｗ６＝ｅｘｐ（−ｊ＊２＊ｐｉ／６）である、請求項６に記載の信号送信方法。
【請求項１２】
前記空間時間ストリームの総個数が６である時、インデックス１、インデックス２、インデックス３、インデックス４、インデックス５及びインデックス６に対する空間時間ストリームに対する空間時間ストリームに対するトレーニングサブフィールドは、下記数式に基づいて構成され、
[数]
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、−ＯＦＤＭ＿ＴＲＮ＿ｂａｓｉｃ＿１］
ＯＦＤＭ＿ＴＲＮ＿ｓｕｂｆｉｅｌｄ＿２＝［ＯＦＤＭ＿ＴＲＮ＿ｂａｓｉｃ＿２、−ｗ６１＊ＯＦＤＭ＿ＴＲＮ＿ｂａｓｉｃ＿２、ｗ６２＊ＯＦＤＭ＿ＴＲＮ＿ｂａｓｉｃ＿２、ｗ６３＊ＯＦＤＭ＿ＴＲＮ＿ｂａｓｉｃ＿２、ｗ６４＊ＯＦＤＭ＿ＴＲＮ＿ｂａｓｉｃ＿２、−ｗ６５＊ＯＦＤＭ＿ＴＲＮ＿ｂａｓｉｃ＿２］
ＯＦＤＭ＿ＴＲＮ＿ｓｕｂｆｉｅｌｄ＿３＝［ＯＦＤＭ＿ＴＲＮ＿ｂａｓｉｃ＿３、−ｗ６２＊ＯＦＤＭ＿ＴＲＮ＿ｂａｓｉｃ＿３、ｗ６４＊ＯＦＤＭ＿ＴＲＮ＿ｂａｓｉｃ＿３、ｗ６６＊ＯＦＤＭ＿ＴＲＮ＿ｂａｓｉｃ＿３、ｗ６８＊ＯＦＤＭ＿ＴＲＮ＿ｂａｓｉｃ＿３−ｗ６１０＊ＯＦＤＭ＿ＴＲＮ＿ｂａｓｉｃ＿３］
ＯＦＤＭ＿ＴＲＮ＿ｓｕｂｆｉｅｌｄ＿４＝［ＯＦＤＭ＿ＴＲＮ＿ｂａｓｉｃ＿４、−ｗ６３＊ＯＦＤＭ＿ＴＲＮ＿ｂａｓｉｃ＿４、ｗ６６＊ＯＦＤＭ＿ＴＲＮ＿ｂａｓｉｃ＿４、ｗ６９＊ＯＦＤＭ＿ＴＲＮ＿ｂａｓｉｃ＿４、ｗ６１２＊ＯＦＤＭ＿ＴＲＮ＿ｂａｓｉｃ＿４−ｗ６１５＊ＯＦＤＭ＿ＴＲＮ＿ｂａｓｉｃ＿４］
ＯＦＤＭ＿ＴＲＮ＿ｓｕｂｆｉｅｌｄ＿５＝［ＯＦＤＭ＿ＴＲＮ＿ｂａｓｉｃ＿５、−ｗ６４＊ＯＦＤＭ＿ＴＲＮ＿ｂａｓｉｃ＿５、ｗ６８＊ＯＦＤＭ＿ＴＲＮ＿ｂａｓｉｃ＿５、ｗ６１２＊ＯＦＤＭ＿ＴＲＮ＿ｂａｓｉｃ＿５、ｗ６１６＊ＯＦＤＭ＿ＴＲＮ＿ｂａｓｉｃ＿５−ｗ６２０＊ＯＦＤＭ＿ＴＲＮ＿ｂａｓｉｃ＿５］
ＯＦＤＭ＿ＴＲＮ＿ｓｕｂｆｉｅｌｄ＿６＝［ＯＦＤＭ＿ＴＲＮ＿ｂａｓｉｃ＿６、−ｗ６５＊ＯＦＤＭ＿ＴＲＮ＿ｂａｓｉｃ＿６、ｗ６１０＊ＯＦＤＭ＿ＴＲＮ＿ｂａｓｉｃ＿６、ｗ６１５＊ＯＦＤＭ＿ＴＲＮ＿ｂａｓｉｃ＿６、ｗ６２０＊ＯＦＤＭ＿ＴＲＮ＿ｂａｓｉｃ＿６−ｗ６２５＊ＯＦＤＭ＿ＴＲＮ＿ｂａｓｉｃ＿６］
ここで、ＯＦＤＭ＿ＴＲＮ＿ｓｕｂｆｉｅｌｄ＿Ｎは、インデックスＮに対する空間時間ストリームに対するトレーニングサブフィールドを意味し、ＯＦＤＭ＿ＴＲＮ＿ｂａｓｉｃ＿Ｎは、前記インデックスＮに対する前記空間時間ストリームに対する基本トレーニングサブフィールドを意味し、ｗ６＝ｅｘｐ（−ｊ＊２＊ｐｉ／６）である、請求項６に記載の信号送信方法。
【請求項１３】
前記空間時間ストリームの総個数が７である時、インデックス１、インデックス２、インデックス３、インデックス４、インデックス５、インデックス６及びインデックス７に対する空間時間ストリームに対する空間時間ストリームに対するトレーニングサブフィールドは、下記数式に基づいて構成され、
[数]
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１］
ＯＦＤＭ＿ＴＲＮ＿ｓｕｂｆｉｅｌｄ＿２＝［ＯＦＤＭ＿ＴＲＮ＿ｂａｓｉｃ＿２、ＯＦＤＭ＿ＴＲＮ＿ｂａｓｉｃ＿２、−ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２、−ＯＦＤＭ＿ＴＲＮ＿ｂａｓｉｃ＿２、ＯＦＤＭ＿ＴＲＮ＿ｂａｓｉｃ＿２］
ＯＦＤＭ＿ＴＲＮ＿ｓｕｂｆｉｅｌｄ＿３＝［ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３］
ＯＦＤＭ＿ＴＲＮ＿ｓｕｂｆｉｅｌｄ＿４＝［−ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、−ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４］
ＯＦＤＭ＿ＴＲＮ＿ｓｕｂｆｉｅｌｄ＿５＝［ＯＦＤＭ＿ＴＲＮ＿ｂａｓｉｃ＿５、−ＯＦＤＭ＿ＴＲＮ＿ｂａｓｉｃ＿５、ＯＦＤＭ＿ＴＲＮ＿ｂａｓｉｃ＿５、ＯＦＤＭ＿ＴＲＮ＿ｂａｓｉｃ＿５、−ＯＦＤＭ＿ＴＲＮ＿ｂａｓｉｃ＿５、ＯＦＤＭ＿ＴＲＮ＿ｂａｓｉｃ＿５、−ＯＦＤＭ＿ＴＲＮ＿ｂａｓｉｃ＿５、−ＯＦＤＭ＿ＴＲＮ＿ｂａｓｉｃ＿５］
ＯＦＤＭ＿ＴＲＮ＿ｓｕｂｆｉｅｌｄ＿６＝［ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６、−ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６］
ＯＦＤＭ＿ＴＲＮ＿ｓｕｂｆｉｅｌｄ＿７＝［ＯＦＤＭ＿ＴＲＮ＿ｂａｓｉｃ＿７、ＯＦＤＭ＿ＴＲＮ＿ｂａｓｉｃ＿７、ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、ＯＦＤＭ＿ＴＲＮ＿ｂａｓｉｃ＿７］
ここで、ＯＦＤＭ＿ＴＲＮ＿ｓｕｂｆｉｅｌｄ＿Ｎは、インデックスＮに対する空間時間ストリームに対するトレーニングサブフィールドを意味し、ＯＦＤＭ＿ＴＲＮ＿ｂａｓｉｃ＿Ｎは、前記インデックスＮに対する前記空間時間ストリームに対する基本トレーニングサブフィールドを意味する、請求項６に記載の信号送信方法。
【請求項１４】
前記空間時間ストリームの総個数が８である時、インデックス１、インデックス２、インデックス３、インデックス４、インデックス５、インデックス６、インデックス７及びインデックス８に対する空間時間ストリームに対する空間時間ストリームに対するトレーニングサブフィールドは、下記数式に基づいて構成され、
[数]
ＯＦＤＭ＿ＴＲＮ＿ｓｕｂｆｉｅｌｄ＿１＝［ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１、−ＯＦＤＭ＿ＴＲＮ＿ｂａｓｉｃ＿１、ＯＦＤＭ＿ＴＲＮ＿ｂａｓｉｃ＿１、ＯＦＤＭ＿ＴＲＮ＿ｂａｓｉｃ＿１］
ＯＦＤＭ＿ＴＲＮ＿ｓｕｂｆｉｅｌｄ＿２＝［ＯＦＤＭ＿ＴＲＮ＿ｂａｓｉｃ＿２、ＯＦＤＭ＿ＴＲＮ＿ｂａｓｉｃ＿２、−ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２、ＯＦＤＭ＿ＴＲＮ＿ｂａｓｉｃ＿２、−ＯＦＤＭ＿ＴＲＮ＿ｂａｓｉｃ＿２、ＯＦＤＭ＿ＴＲＮ＿ｂａｓｉｃ＿２］
ＯＦＤＭ＿ＴＲＮ＿ｓｕｂｆｉｅｌｄ＿３＝［ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、ＯＦＤＭ＿ＴＲＮ＿ｂａｓｉｃ＿３、−ＯＦＤＭ＿ＴＲＮ＿ｂａｓｉｃ＿３］
ＯＦＤＭ＿ＴＲＮ＿ｓｕｂｆｉｅｌｄ＿４＝［−ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、−ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４、ＯＦＤＭ＿ＴＲＮ＿ｂａｓｉｃ＿４］
ＯＦＤＭ＿ＴＲＮ＿ｓｕｂｆｉｅｌｄ＿５＝［ＯＦＤＭ＿ＴＲＮ＿ｂａｓｉｃ＿５、−ＯＦＤＭ＿ＴＲＮ＿ｂａｓｉｃ＿５、ＯＦＤＭ＿ＴＲＮ＿ｂａｓｉｃ＿５、ＯＦＤＭ＿ＴＲＮ＿ｂａｓｉｃ＿５、−ＯＦＤＭ＿ＴＲＮ＿ｂａｓｉｃ＿５、ＯＦＤＭ＿ＴＲＮ＿ｂａｓｉｃ＿５、−ＯＦＤＭ＿ＴＲＮ＿ｂａｓｉｃ＿５、−ＯＦＤＭ＿ＴＲＮ＿ｂａｓｉｃ＿５］
ＯＦＤＭ＿ＴＲＮ＿ｓｕｂｆｉｅｌｄ＿６＝［ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６、−ＯＦＤＭ＿ＴＲＮ＿ｂａｓｉｃ＿６、ＯＦＤＭ＿ＴＲＮ＿ｂａｓｉｃ＿６、−ＯＦＤＭ＿ＴＲＮ＿ｂａｓｉｃ＿６］
ＯＦＤＭ＿ＴＲＮ＿ｓｕｂｆｉｅｌｄ＿７＝［ＯＦＤＭ＿ＴＲＮ＿ｂａｓｉｃ＿７、ＯＦＤＭ＿ＴＲＮ＿ｂａｓｉｃ＿７、ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、−ＯＦＤＭ＿ＴＲＮ＿ｂａｓｉｃ＿７、ＯＦＤＭ＿ＴＲＮ＿ｂａｓｉｃ＿７］
ＯＦＤＭ＿ＴＲＮ＿ｓｕｂｆｉｅｌｄ＿８＝［−ＯＦＤＭ＿ＴＲＮ＿ｂａｓｉｃ＿８、ＯＦＤＭ＿ＴＲＮ＿ｂａｓｉｃ＿８、ＯＦＤＭ＿ＴＲＮ＿ｂａｓｉｃ＿８、ＯＦＤＭ＿ＴＲＮ＿ｂａｓｉｃ＿８、ＯＦＤＭ＿ＴＲＮ＿ｂａｓｉｃ＿８、−ＯＦＤＭ＿ＴＲＮ＿ｂａｓｉｃ＿８、−ＯＦＤＭ＿ＴＲＮ＿ｂａｓｉｃ＿８、−ＯＦＤＭ＿ＴＲＮ＿ｂａｓｉｃ＿８］
ここで、ＯＦＤＭ＿ＴＲＮ＿ｓｕｂｆｉｅｌｄ＿Ｎは、インデックスＮに対する空間時間ストリームに対するトレーニングサブフィールドを意味し、ＯＦＤＭ＿ＴＲＮ＿ｂａｓｉｃ＿Ｎは、前記インデックスＮに対する前記空間時間ストリームに対する基本トレーニングサブフィールドを意味する、請求項６に記載の信号送信方法。
【国際調査報告】
2020526990.tif 000098
2020526990.tif 000099
2020526990.tif 000100
2020526990.tif 000101